(57)【要約】【課題】  ３波多重以上に対応し、簡易に調芯し得るメトロ・アクセス系の光通信網で用いられる高機能で廉価な光送受信モジュールを提供すること。【解決手段】  このモジュールでは、筐体１内でレーザダイオード２からの波長１．３μｍの光が集光レンズ１０、キャピラリ１４（ダイオード２の光軸からの角度ずれへの補正機能を持つ）、コリメータレンズ１３を経て全反射用波長フィルタ６，波長分離用フィルタ８で全反射してファイバコリメータ５で受光され、コリメータ５からの波長１．４９μｍ，波長１．５５μｍの光は波長分離用フィルタ９を通過してから１．５５μｍの光に対して全反射ミラーとして作用する波長分離用フィルタ８により分離され、１．５５μｍの光が全反射用波長フィルタ７により折り返されて結合レンズ１１によりフォトダイオード３に入射し、１．４９μｍの光が結合レンズ１２によりフォトダイオード４に入射する。【選択図】    図１
2005309370.tif 000002
【特許請求の範囲】
【請求項１】
筐体内にそれぞれレーザダイオード，光学的レンズ，波長フィルタ，及びファイバコリメータを少なくとも１個有して成ると共に、該筐体内で該レーザダイオードから出射される光についての該光学的レンズを透過させたものを該波長フィルタを介して該ファイバコリメータに自由空間で結合させる機能を有する光モジュールにおいて、前記光学的レンズは、前記レーザダイオードから出射される光を集光する集光レンズと、前記レーザダイオードから出射される光を平行光とするコリメータレンズとを含み、前記集光レンズ及び前記コリメータレンズの間には、該集光レンズにより前記レーザダイオードから出射される光が集光されるファイバを内蔵すると共に、両端面が研磨されたキャピラリが備えられ、前記コリメータレンズは、前記キャピラリの前記ファイバから出射される光を平行光とすることを特徴とする光モジュール。
【請求項２】
請求項１記載の光モジュールにおいて、前記波長フィルタは、前記コリメータレンズレーザから出射される前記平行光の波長を全反射して前記筐体内で光線方向を少なくとも２回以上変更できるように、少なくとも２個以上のものが予め定められた入射角度で該平行光を入射可能なように配置されたことを特徴とする光モジュール。
【請求項３】
請求項１又は２記載の光モジュールにおいて、前記波長フィルタは、誘電体多層膜から成ることを特徴とする光モジュール。
【請求項４】
請求項１〜３の何れか一つに記載の光モジュールにおいて、前記レーザダイオードには、伝送速度に応じて専用波長の光アイソレータが付加されたことを特徴とする光モジュール。
【請求項５】
請求項１〜４の何れか一つに記載の光モジュールにおいて、前記波長フィルタと前記ファイバコリメータとの間には、該波長フィルタにおいて透過又は全反射される光を該ファイバコリメータ側のみへ方向付けると共に、前記レーザダイオードの使用されるものの全波長範囲に対応する光アイソレータが配置されたことを特徴とする光モジュール。
【請求項６】
筐体内にそれぞれフォトダイオード，光学的レンズ，波長フィルタ，及びファイバコリメータを少なくとも１個有して成ると共に、該筐体内で該ファイバコリメータから入射される平行光についての該波長フィルタを介したものを該光学的レンズを透過させることにより該フォトダイオードに自由空間で結合させる機能を有する光モジュールにおいて、前記波長フィルタは、前記ファイバコリメータから入射される前記平行光の波長を全反射して前記筐体内で光線方向を少なくとも２回以上変更できるように、少なくとも２個以上のものが予め定められた入射角度で該平行光を入射可能なように配置され、前記光学的レンズは、前記波長フィルタにより前記平行光を全反射したものを前記フォトダイオードへ結合する結合レンズを含むことを特徴とする光モジュール。
【請求項７】
請求項６記載の光モジュールにおいて、前記波長フィルタは、誘電体多層膜から成ることを特徴とする光モジュール。
【請求項８】
筐体内にそれぞれレーザダイオード，フォトダイオード，光学的レンズ，波長フィルタ，及びファイバコリメータを少なくとも１個有して成ると共に、該筐体内で該レーザダイオードから出射される光についての該光学的レンズを透過させたものを該波長フィルタを介して該ファイバコリメータに自由空間で結合させる機能と、該筐体内で該ファイバコリメータから入射される平行光についての該波長フィルタを介したものを該光学的レンズを透過させることにより該フォトダイオードに自由空間で結合させる機能とを有する光モジュールにおいて、前記光学的レンズは、前記レーザダイオードから出射される光を集光する集光レンズと、前記レーザダイオードから出射される光を平行光とするコリメータレンズとを含み、前記集光レンズ及び前記コリメータレンズの間には、該集光レンズにより前記レーザダイオードから出射される光が集光されるファイバを内蔵すると共に、両端面が研磨されたキャピラリが備えられ、前記コリメータレンズは、前記キャピラリの前記ファイバから出射される光を平行光とするもので、前記波長フィルタは、前記コリメータレンズレーザから出射される前記平行光の波長と前記ファイバコリメータから入射される前記平行光の波長との少なくとも一方を全反射して前記筐体内で光線方向を少なくとも２回以上変更できるように、少なくとも２個以上のものが予め定められた入射角度で該平行光を入射可能なように配置され、更に、前記光学的レンズは、前記波長フィルタにより前記平行光を全反射したものを前記フォトダイオードへ結合する結合レンズを含むことを特徴とする光モジュール。
【請求項９】
請求項８記載の光モジュールにおいて、前記波長フィルタは、誘電体多層膜から成ることを特徴とする光モジュール。
【請求項１０】
請求項８又は９記載の光モジュールにおいて、前記レーザダイオードには、伝送速度に応じて専用波長の光アイソレータが付加されたことを特徴とする光モジュール。
【請求項１１】
互いに対向する第１の側面及び第２の側面を持つ筐体と、前記筐体の前記第１の側面に配置された第１の入出射ポートと、前記筐体の前記第２の側面に配置された第２の入出射ポート乃至第５の入出射ポートとを備え、前記第１の入出射ポートは、互いに異なる第１の波長乃至第４の波長から成る波長群を持つ光信号を前記筐体に対して入出射するためのものであり、前記第２の入出射ポート乃至前記５の入出射ポートは、それぞれ前記第１の波長乃至前記第４の波長を持つ光信号を入出射するためのものであり、前記筐体は、前記第１の入出射ポートから入射した前記第１の波長を持つ光信号を前記第２の入出射ポートへ向けて伝達すると共に、該第２の入出射ポートから入射した該第１の波長を持つ光信号を該第１の入出射ポートへ向けて伝達する第１の光伝達手段と、前記第１の入出射ポートから入射した前記第２の波長を持つ光信号を前記第３の入出射ポートへ向けて伝達すると共に、該第３の入出射ポートから入射した該第２の波長を持つ光信号を前記第１の入出射ポートへ向けて伝達する第２の光伝達手段と、前記第１の入出射ポートから入射した前記第３の波長を持つ光信号を前記第４の入出射ポートへ向けて伝達すると共に、該第４の入出射ポートから入射した該第３の波長を持つ光信号を該第１の入出射ポートへ向けて伝達する第３の光伝達手段と、前記第１の入出射ポートから入射した前記第４の波長を持つ光信号を前記第５の入出射ポートへ向けて伝達すると共に、該第５の入出射ポートから入射した該第４の波長を持つ光信号を該第１の入出射ポートへ向けて伝達する第４の光伝達手段とを有することを特徴とする光合分波器。
【請求項１２】
請求項１１記載の光合分波器において、前記第１の光伝達手段は、前記筐体にあっての前記第１の側面と前記第２の側面との間に配置されると共に、前記第１の波長及び前記第２の波長を持つ光信号を透過し、前記第３の波長及び前記第４の波長を持つ光信号を反射する第１の波長フィルタと、前記第２の入出射ポートの近傍で前記第１の波長フィルタと前記第２の側面との間に配置されると共に、前記第１の波長を持つ光信号を透過し、且つ前記第２の波長を持つ光信号を反射する第２の波長フィルタとから成ることを特徴とする光合分波器。
【請求項１３】
請求項１２記載の光合分波器において、前記第２の光伝達手段は、前記第１の波長フィルタと、前記第２の波長フィルタと、前記第３の入出射ポートの近傍に配置されると共に、前記第２の波長を持つ光信号のみを透過する第３の波長フィルタと、前記第２の波長フィルタで反射された前記第２の波長を持つ光信号を前記第３の波長フィルタへ向けて反射すると共に、前記第３の入出射ポートから前記筐体内に入射されて該第３の波長フィルタを透過した該第２の波長を持つ光信号を該第２の波長フィルタへ向けて反射する第１の反射手段とから成ることを特徴とする光合分波器。
【請求項１４】
請求項１３記載の光合分波器において、前記第３の光伝達手段は、前記第１の波長フィルタと、前記第４の入出射ポートの近傍に配置されると共に、前記第３の波長を持つ光信号を透過し、且つ前記第４の波長を持つ光信号を反射する前記第４の波長フィルタと、前記筐体の前記第１の側面側に配置されると共に、前記第１の波長フィルタで反射された前記第３の波長及び前記第４の波長を持つ光信号を前記第４の波長フィルタへ向けて反射し、且つ前記第４の入出射ポートから前記筐体内に入射されて該第４の波長フィルタを透過した該第３の波長を持つ光信号と該第４の波長フィルタで反射された該第４の波長を持つ光信号とを該第１の波長フィルタへ向けて反射する第２の反射手段とから成ることを特徴とする光合分波器。
【請求項１５】
請求項１４記載の光合分波器において、前記第４の光伝達手段は、前記第１の波長フィルタと、前記第４の波長フィルタと、前記第５の入出射ポートの近傍に配置されると共に、前記第４の波長を持つ光信号のみを透過する第５の波長フィルタと、前記第４の波長フィルタで反射された前記第４の波長を持つ光信号を前記第５の波長フィルタへ向けて反射し、且つ前記第５の入出射ポートから前記筐体内に入射されて該第５の波長フィルタを透過した該第４の波長を持つ光信号を該第４の波長フィルタへ向けて反射する第３の反射手段とから成ることを特徴とする光合分波器。
【請求項１６】
請求項１５記載の光合分波器において、前記第１の反射手段乃至前記第３の反射手段は、それぞれ一枚のミラーで構成されたことを特徴とする光合分波器。
【請求項１７】
請求項１１記載の光合分波器において、前記第１の光伝達手段は、前記第２の入出射ポートの近傍に配置されると共に、前記第１の波長を持つ光信号のみを透過し、且つ前記第２の波長乃至前記第４の波長を持つ光信号を反射する第１の波長フィルタから成ることを特徴とする光合分波器。
【請求項１８】
請求項１７記載の光合分波器において、前記第２の光伝達手段は、前記第１の波長フィルタと、前記第３の入出射ポートの近傍に配置されると共に、前記第２の波長を持つ光信号のみを透過し、且つ前記第３の波長及び前記第４の波長を持つ光信号を反射する第２の波長フィルタと、前記筐体の前記第１の側面側に配置されると共に、前記第１の波長フィルタで反射された前記第２の波長乃至前記第４の波長を持つ光信号を前記第２の波長フィルタへ向けて反射し、且つ前記第３の入出射ポートから入射されて該第２の波長フィルタを透過した該第２の波長の光信号を該第１の波長フィルタへ向けて反射する第１の反射手段とから成ることを特徴とする光合分波器。
【請求項１９】
請求項１８記載の光合分波器において、前記第３の光伝達手段は、前記第１の波長フィルタと、前記第２の波長フィルタと、前記第４の入出射ポートの近傍に配置されると共に、前記第３の波長を持つ光信号のみを透過し、且つ前記第４の波長を持つ光信号を反射する第３の波長フィルタと、前記筐体内の前記第１の側面側に配置されると共に、前記第２の波長フィルタで反射された前記第３の波長及び前記第４の波長を持つ光信号を前記第３の波長フィルタへ向けて反射し、且つ前記第４の入出射ポートから入射されて該第３の波長フィルタを透過した該第３の波長の光信号を該第２の波長フィルタへ向けて反射する第２の反射手段とから成ることを特徴とする光合分波器。
【請求項２０】
請求項１９記載の光合分波器において、前記第４の光伝達手段は、前記第１の波長フィルタと、前記第２の波長フィルタと、前記第３の波長フィルタと、前記第５の入出射ポートの近傍に配置されると共に、前記第４の波長を持つ光信号のみを透過する前記第４の波長フィルタと、前記筐体内の前記第１の側面側に配置されると共に、前記第３の波長フィルタで反射された前記第４の波長を持つ光信号を前記第４の波長フィルタへ向けて反射し、且つ前記第５の入出射ポートから入射されて該第４の波長フィルタを透過した該第４の波長の光信号を前記第３の波長フィルタへ向けて反射する第３の反射手段とから成ることを特徴とする光合分波器。
【請求項２１】
請求項２０記載の光合分波器において、前記第１の反射手段乃至前記第３の反射手段は、一枚のミラーで構成されていることを特徴とする光合分波器。
【請求項２２】
互いに異なる第１の波長乃至第Ｐ（Ｐは３以上の整数とする）の波長から成る波長群を持つ光信号を合波／分波するための光合分波器であって、互いに対向する第１の側面及び第２の側面を持つ筐体と、前記筐体の前記第１の側面に配置された第１の入出射ポートと、前記筐体の前記第２の側面に配置された第２の入出射ポート乃至第（Ｐ＋１）の入出射ポートとを備え、前記第１の入出射ポートは、前記波長群を持つ光信号を前記筐体に対して入出射するためのものであり、前記第２の入出射ポート乃至前記第（Ｐ＋１）の入出射ポートは、それぞれ前記第１の波長乃至前記第Ｐの波長を持つ光信号を入出射するためのものであり、前記筐体は、第１の光伝達手段乃至第Ｐの光伝達手段を備え、第ｐ（ｐはＰ以下の正の整数とする）の光伝達手段は、前記第１の入出射ポートから入射した前記第ｐの波長を持つ光信号を第（ｐ＋１）の入出射ポートへ向けて伝達し、且つ該第（ｐ＋１）の入出射ポートから入射した該第ｐの波長を持つ光信号を該第１の入出射ポートへ向けて伝達することを特徴とする光合分波器。
【請求項２３】
互いに異なる第１の波長乃至第Ｐ（Ｐは３以上の整数とする）の波長から成る波長群を持つ光信号を合波するための光合波器であって、互いに対向する第１の側面及び第２の側面を持つ筐体と、前記筐体の前記第１の側面に配置された出射ポートと、前記筐体の前記第２の側面に配置された第１の入射ポート乃至第Ｐの入射ポートとを備え、前記出射ポートは、前記波長群を持つ光信号を前記筐体から出射するためのものであり、前記第１の入射ポート乃至前記第Ｐの入射ポートは、それぞれ前記第１の波長乃至前記第Ｐの波長を持つ光信号を入射するためのものであり、前記筐体は、第１の光伝達手段乃至第Ｐの光伝達手段を備え、第ｐ（ｐはＰ以下の正の整数とする）の光伝達手段は、第ｐの入射ポートから入射した第ｐの波長を持つ光信号を前記出射ポートへ向けて伝達することを特徴とする光合波器。
【請求項２４】
互いに異なる第１の波長乃至第Ｐ（Ｐは３以上の整数とする）の波長から成る波長群を持つ光信号を分波するための光分波器であって、互いに対向する第１の側面及び第２の側面を持つ筐体と、前記筐体の前記第１の側面に配置された入射ポートと、前記筐体の前記第２の側面に配置された第１の出射ポート乃至第Ｐの出射ポートとを備え、前記入射ポートは、前記波長群を持つ光信号を前記筐体に入射するためのものであり、前記第１の出射ポート乃至前記第Ｐの出射ポートは、それぞれ前記第１の波長乃至前記第Ｐの波長を持つ光信号を出射するためのものであり、前記筐体は、第１の光伝達手段乃至第Ｐの光伝達手段を備え、第ｐ（ｐはＰ以下の正の整数とする）の光伝達手段は、前記入射ポートから入射した第ｐの波長を持つ光信号を第ｐの出射ポートへ向けて伝達することを特徴とする光分波器。
【請求項２５】
互いに対向する第１の側面及び第２の側面を持つ筐体と、前記筐体の前記第１の側面に配置された第１の入出射ポート及び第２入出射ポートと、前記筐体の前記第２の側面に配置された第３の入出射ポート乃至第６の入出射ポートとを備え、前記第１の入出射ポートは、互いに異なる第１の波長乃至第４の波長から成る第１の波長群を持つ光信号とそれ以外の波長から成る第２の波長群を持つ光信号とを前記筐体に対して入出射するためのものであり、前記第２の入出射ポートは、前記第２の波長群の光信号を前記筐体に対して入出射するためのものであり、前記第３の入出射ポート乃至前記第６の入出射ポートは、それぞれ前記第１の波長乃至前記第４の波長を持つ光信号を入出射するためのものであり、前記筐体は、前記第１の入出射ポート及び前記第２の入出射ポートの近傍に配置されると共に、該第１の入出射ポートから入射した光信号のうちの前記第１の波長群を持つ光信号を透過し、且つ前記第２の波長群を持つ光信号を該第２の入出射ポートへ向けて反射し、更に、該第２の入出射ポートから入射した該第２の波長群を持つ光信号を反射し、且つ該反射した該第２の波長群を持つ光信号を前記第２の側面側から入射される該第１の波長群を持つ光信号と合波して該第１の入出射ポートへ向けて出射する透過／反射手段と、前記第１の入出射ポートから前記透過／反射手段を介して入射した前記第１の波長を持つ光信号を前記第３の入出射ポートへ向けて伝達すると共に、該第３の入出射ポートから入射した該第１の波長を持つ光信号を該透過／反射手段を介して該第１の入出射ポートへ向けて伝達する第１の光伝達手段と、前記第１の入出射ポートから前記透過／反射手段を介して入射した前記第２の波長を持つ光信号を前記第４の入出射ポートへ向けて伝達すると共に、該第４の入出射ポートから入射した該第２の波長を持つ光信号を該透過／反射手段を介して該第１の入出射ポートへ向けて伝達する第２の光伝達手段と、前記第１の入出射ポートから前記透過／反射手段を介して入射した前記第３の波長を持つ光信号を前記第５の入出射ポートへ向けて伝達すると共に、該第５の入出射ポートから入射した該第３の波長を持つ光信号を該透過／反射手段を介して該第１の入出射ポートへ向けて伝達する第３の光伝達手段と、前記第１の入出射ポートから前記透過／反射手段を介して入射した前記第４の波長を持つ光信号を前記第６の入出射ポートへ向けて伝達すると共に、該第６の入出射ポートから入射した該第４の波長を持つ光信号を該透過／反射手段を介して該第１の入出射ポートへ向けて伝達する第４の光伝達手段とを有することを特徴とする光合分波器。
【請求項２６】
請求項２５記載の光合分波器において、前記第１の光伝達手段は、前記透過／反射手段と前記筐体の前記第２の側面との間に配置されると共に、前記第１の波長及び前記第２の波長を持つ光信号を透過し、且つ前記第３の波長及び前記第４の波長を持つ光信号を反射する第１の波長フィルタと、前記第３の入出射ポートの近傍で前記第１の波長フィルタと前記第２の側面との間に配置されると共に、前記第１の波長を持つ光信号を透過し、且つ前記第２の波長を持つ光信号を反射する第２の波長フィルタとから成ることを特徴とする光合分波器。
【請求項２７】
請求項２６記載の光合分波器において、前記第２の光伝達手段は、前記第１の波長フィルタ及び前記第２の波長フィルタと、前記第４の入出射ポートの近傍に配置されると共に、前記第２の波長を持つ光信号のみを透過する第３の波長フィルタと、前記第２の波長フィルタで反射された前記第２の波長を持つ光信号を前記第３の波長フィルタへ向けて反射すると共に、前記第４の入出射ポートから前記筐体内に入射されて該第３の波長フィルタを透過した該第２の波長を持つ光信号を該第２の波長フィルタへ向けて反射する第１の反射手段とから成ることを特徴とする光合分波器。
【請求項２８】
請求項２７記載の光合分波器において、前記第３の光伝達手段は、前記第１の波長フィルタと、前記第５の入出射ポートの近傍に配置されると共に、前記第３の波長を持つ光信号を透過し、且つ前記第４の波長を持つ光信号を反射する第４の波長フィルタと、前記筐体の前記第１の側面側に配置されると共に、前記第１の波長フィルタで反射された前記第３の波長及び前記第４の波長を持つ光信号を前記第４の波長フィルタへ向けて反射し、更に前記第５の入出射ポートから該筐体内に入射されて該第４の波長フィルタを透過した該第３の波長を持つ光信号と前記第４の波長フィルタで反射された該第４の波長を持つ光信号とを該第１の波長フィルタへ向けて反射する第２の反射手段とから成ることを特徴とする光合分波器。
【請求項２９】
請求項２８記載の光合分波器において、前記第４の光伝達手段は、前記第１の波長フィルタ及び前記第４の波長フィルタと、前記第６の入出射ポートの近傍に配置されると共に、前記第４の波長を持つ光信号のみを透過する前記第５の波長フィルタと、前記第４の波長フィルタで反射された前記第４の波長を持つ光信号を前記第５の波長フィルタへ向けて反射すると共に、前記第６の入出射ポートから前記筐体内に入射されて該第５の波長フィルタを透過した該第４の波長を持つ光信号を該第４の波長フィルタへ向けて反射する第３の反射手段とから成ることを特徴とする光合分波器。
【請求項３０】
請求項２９記載の光合分波器において、前記第１の反射手段乃至前記第３の反射手段は、一枚のミラーで構成されたことを特徴とする光合分波器。
【請求項３１】
請求項２５記載の光合分波器において、前記第１の光伝達手段は、前記第３の入出射ポートの近傍に配置されると共に、前記第１の波長を持つ光信号のみを透過し、且つ前記第２の波長乃至前記第４の波長を持つ光信号を反射する第１の波長フィルタから成ることを特徴とする光合分波器。
【請求項３２】
請求項３１記載の光合分波器において、前記第２の光伝達手段は、前記第１の波長フィルタと、前記第４の入出射ポートの近傍に配置されると共に、前記第２の波長を持つ光信号のみを透過し、且つ前記第３の波長及び前記第４の波長を持つ光信号を反射する前記第２の波長フィルタと、前記筐体の前記第１の側面側に配置されると共に、前記第１の波長フィルタで反射された前記第２の波長乃至前記第４の波長を持つ光信号を前記第２の波長フィルタへ向けて反射し、更に前記第４の入出射ポートから入射されて該第２の波長フィルタを透過した該第２の波長の光信号を該第１の波長フィルタへ向けて反射する第１の反射手段とから成ることを特徴とする光合分波器。
【請求項３３】
請求項３２記載の光合分波器において、前記第３の光伝達手段は、前記第１の波長フィルタ及び前記第２の波長フィルタと、前記第５の入出射ポートの近傍に配置されると共に、前記第３の波長を持つ光信号のみを透過し、且つ前記第４の波長を持つ光信号を反射する第３の波長フィルタと、前記筐体内の前記第１の側面側に配置されると共に、前記第２の波長フィルタで反射された前記第３の波長及び前記第４の波長を持つ光信号を前記第３の波長フィルタへ向けて反射し、更に前記第５の入出射ポートから入射されて該第３の波長フィルタを透過した該第３の波長の光信号を該第２の波長フィルタへ向けて反射する第２の反射手段とから成ることを特徴とする光合分波器。
【請求項３４】
請求項３３記載の光合分波器において、前記第４の光伝達手段は、前記第１の波長フィルタ，前記第２の波長フィルタ，及び前記第３の波長フィルタと、前記第６の入出射ポートの近傍に配置されると共に、前記第４の波長を持つ光信号のみを透過する前記第４の波長フィルタと、前記筐体内の前記第１の側面側に配置されると共に、前記第３の波長フィルタで反射された前記第４の波長を持つ光信号を前記第４の波長フィルタへ向けて反射し、更に前記第６の入出射ポートから入射されて該第４の波長フィルタを透過した該第４の波長の光信号を該第３の波長フィルタへ向けて反射する第３の反射手段とから成ることを特徴とする光合分波器。
【請求項３５】
請求項３４記載の光合分波器において、前記第１の反射手段乃至前記第３の反射手段は、一枚のミラーで構成されたことを特徴とする光合分波器。
【請求項３６】
互いに異なる第１の波長乃至第Ｐ（但し、Ｐは３以上の整数とする）の波長から成る第１の波長群を持つ光信号を他の光信号に合波／分波するか、或いは該第１の波長群を持つ光信号を該他の光信号から合波／分波するための光合分波器であって、互いに対向する第１の側面及び第２の側面を持つ筐体と、前記筐体の前記第１の側面に配置された第１の入出射ポート及び第２の入出射ポートと、前記筐体の前記第２の側面に配置された第３の入出射ポート乃至第（Ｐ＋２）の入出射ポートとを備え、前記第１の入出射ポートは、前記第１の波長群を持つ光信号とそれ以外の波長から成る第２の波長群を持つ光信号とを前記筐体に対して入出射するためのものであり、前記第２の入出射ポートは、前記第２の波長群の光信号を前記筐体に対して入出射するためのものであり、前記第３の入出射ポート乃至前記（Ｐ＋２）の入出射ポートは、それぞれ前記第１の波長乃至前記第Ｐの波長を持つ光信号を入出射するためのものであり、前記筐体は、前記第１の入出射ポート及び前記第２の入出射ポートの近傍に配置された透過／反射手段と、第１の光伝達手段乃至第Ｐの伝達手段とを備え、前記透過／反射手段は、前記第１の入出射ポートから入射した光信号のうちの前記第１の波長群を持つ光信号を透過し、且つ前記第２の波長群を持つ光信号を前記第２の入出射ポートへ向けて反射し、更に該第２の入出射ポートから入射した該第２の波長群を持つ光信号を反射し、且つ該反射した該第２の波長群を持つ光信号を前記第２の側面側から入射される該第１の波長群を持つ光信号と合波して該第１の入出射ポートへ向けて出射し、第ｐ（ｐはＰ以下の正の整数）の光伝達手段は、前記第１の入出射ポートから前記透過／反射手段を介して入射した第ｐの波長を持つ光信号を第（ｐ＋２）の入出射ポートへ向けて伝達し、更に該第（ｐ＋２）の入出射ポートから入射した該第ｐの波長を持つ光信号を該透過／反射手段を介して該第１の入出射ポートへ向けて伝達することを特徴とする光合分波器。
【請求項３７】
請求項３６記載の光合分波器の複数個のものを直列／並列に接続して成ることを特徴とする光合分波ユニット。
【請求項３８】
２以上の自然数Ｎに対してＰ×Ｎ（但し、Ｐは３以上の整数とする）波長に対応できるように、第１の光合分波器乃至第Ｎの光合分波器を縦続接続して構成された光合分波ユニットであって、第ｎ（但し、Ｎ、ｎは１≦ｎ≦Ｎなる関係を満たす整数とする）の光合分波器は、第｛Ｐ（ｎ−１）＋１｝の波長乃至第Ｐｎの波長から成る第ｎの波長群を持つ光信号を他の光信号に分波／合波するか、或いは該第ｎの波長群を持つ光信号を該他の光信号から分波／合波するためのものであり、前記第１の光合分波器乃至前記第Ｎの光合分波器は、それぞれ第１の筐体乃至第Ｎの筐体を有し、前記第１の筐体乃至前記第Ｎの筐体は、それぞれ互いに対向する第１の側面及び第２の側面を持ち、前記第ｎの光合分波器は、Ｐ＋２に等しいＱに対し、第ｎの筐体の前記第１の側面に配置された第｛Ｑ（ｎ−１）＋１｝の入出射ポート及び第｛Ｑ（ｎ−１）＋２｝の入出射ポートと、前記第ｎの筐体の前記第２の側面に配置された第｛Ｑ（ｎ−１）＋３｝の入出射ポート乃至第Ｑｎの入出射ポートとを備え、前記第｛Ｑ（ｎ−１）＋１｝の入出射ポートは、第ｎの波長群を持つ光信号と第（ｎ＋１）の波長群乃至第Ｎの波長群を持つ光信号とを前記第ｎの筐体に対して入出射するためのものであり、前記第｛Ｑ（ｎ−１）＋２｝の入出射ポートは、前記第（ｎ＋１）の波長群乃至前記第Ｎの波長群の光信号を前記第ｎの筐体に対して入出射するためのものであり（但し、ｎがＮに等しい場合には光信号の入出射が無い状態を示す）、前記第｛Ｑ（ｎ−１）＋３｝の入出射ポート乃至前記第Ｑｎの入出射ポートは、それぞれ前記第｛Ｐ（ｎ−１）＋１｝の波長乃至前記第Ｐｎの波長を持つ光信号を入出射するためのものであり、前記第ｎの筐体の前記第｛Ｑ（ｎ−１）＋２｝の入出射ポートは、第（ｎ＋１）の筐体の第（Ｑｎ＋１）の入出射ポートと光学的に結合されている（但し、ｎがＮに等しい場合には接続先が無い状態を示す）ことを特徴とする光合分波ユニット。
【請求項３９】
請求項３７記載の光合分波ユニットにおいて、前記第ｎの筐体は、前記第｛Ｑ（ｎ−１）＋１｝の入出射ポート及び前記第｛Ｑ（ｎ−１）＋２｝の入出射ポートの近傍に配置された第ｎの透過／反射手段と、第｛Ｐ（ｎ−１）＋１｝の光伝達手段乃至第Ｐｎの光伝達手段とを備え、前記ｎの透過／反射手段は、前記第｛Ｑ（ｎ−１）＋１｝の入出射ポートから入射した光信号のうちの前記第ｎの波長群を持つ光信号を透過し、且つ前記第（ｎ＋１）の波長群乃至前記第Ｎの波長群を持つ光信号を前記第｛Ｑ（ｎ−１）＋２｝の入出射ポートへ向けて反射し、更に該第｛Ｑ（ｎ−１）＋２｝の入出射ポートから入射した該第（ｎ＋１）の波長群乃至該第Ｎの波長群を持つ光信号を反射し、且つ該反射した該第（ｎ＋１）の波長群乃至該第Ｎの波長群を持つ光信号を前記第２の側面側から入射される該第ｎの波長群を持つ光信号と合波して該第｛Ｑ（ｎ−１）＋１｝の入出射ポートへ向けて出射し、前記第｛Ｐ（ｎ−１）＋１｝の光伝達手段乃至前記第Ｐｎの光伝達手段は、それぞれ前記第｛Ｑ（ｎ−１）＋１｝の入出射ポートから前記第ｎの透過／反射手段を介して入射した前記第｛（Ｐ（ｎ−１）＋１）の波長乃至前記Ｐｎの波長を持つ光信号を前記第｛Ｑ（ｎ−１）＋３｝乃至前記第Ｑｎの入出射ポートへ向けて伝達し、更に該第｛Ｑ（ｎ−１）＋３｝乃至該第Ｑｎの入出射ポートから入射した該第｛Ｐ（ｎ−１）＋１｝乃至該第Ｐｎの波長を持つ光信号を該第ｎの透過／反射手段を介して該第｛Ｑ（ｎ−１）＋１｝の入出射ポートへ向けて伝達することを特徴とする光合分波ユニット。
【請求項４０】
３本の光線を透過可能に形成された筐体にあっての対向する壁面の一方側の外方近傍に１つの入出射ポートを備えると共に、他方側の外方近傍に２つの入出射ポートを備え、且つ２つの異なる波長の光を該２つの入出射ポートから別々に入射して該１つの入出射ポートへ合波するか、或いは該１つの入出射ポートから入射して該２つの入出射ポートへ分波することにより双方向での入出射が可能な光合分波器であって、前記２つの異なる波長にあっての一方の波長の光を透過し、且つ他方の波長の光を反射する波長フィルタと、前記他方の波長の光を全反射する全反射ミラーとが前記筐体内に配備され、更に、前記１つの入出射ポートと前記２つの入出射ポートにあっての一方の入出射ポートとは、それぞれ入出射する光線の光軸がほぼ一致するように略直線上に配置され、前記波長フィルタは、光軸上に所定の角度で配置され、前記全反射ミラーは、前記２つの入出射ポートにあっての他方の入出射ポートで入出射する光線の光軸が前記１つの入出射ポートから該２つの入出射ポートにあっての一方の入出射ポートへ結合される光線の光軸に対してほぼ平行となるように、該２つの入出射ポートにあっての他方の入出射ポートに入出射する光線の光軸に対して所定の角度で所定の位置に配置され、前記一方の波長の光は、前記１つの入出射ポートと前記２つの入出射ポートにあっての一方の入出射ポートとの間で前記波長フィルタを介して光学的に結合され、前記他方の波長の光は、前記１つの入出射ポートと前記２つの入出射ポートにあっての他方の入出射ポートとの間で前記波長フィルタ及び前記全反射ミラーを介して光学的に結合されることを特徴とする光合分波器。
【請求項４１】
５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、前記４つの異なる波長にあっての第１の波長及び第２の波長の光を透過し、且つ第３の波長及び第４の波長の光を反射する第１の波長フィルタと、前記第１の波長の光を透過し、且つ前記第２の波長の光を反射する第２の波長フィルタと、前記第２の波長の光のみを透過する第３の波長フィルタと、前記第３の波長の光を透過し、且つ前記第４の波長の光を反射する第４の波長フィルタと、前記第４の波長の光のみを透過する第５の波長フィルタと、前記第２の波長の光を全反射する第１の全反射ミラーと、前記第３の波長及び前記第４の波長の光を全反射する第２の全反射ミラーと、前記第４の波長の光を全反射する第３の全反射ミラーとが前記筐体内に配備され、更に、前記１つの入出射ポートと前記４つの入出射ポートにあっての第１の入出射ポートとは、それぞれ入出射する光線の光軸をほぼ一致するように略直線上に配置され、前記第１の波長フィルタ及び前記第２の波長フィルタは、それぞれ光軸上に所定の角度で配置され、前記第１の全反射ミラー，前記第２の全反射ミラー，及び前記第３の全反射ミラーは、前記４つの入出射ポートにあっての第２の入出射ポート，第３の入出射ポート，及び第４の入出射ポートに入出射する光線の光軸が前記１つの入出射ポートから前記第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、前記第３の波長フィルタ，前記第４の波長フィルタ，及び前記第５の波長フィルタは、それぞれの光軸に対してそれぞれ所定の角度で配置され、前記第１の波長の光は、前記１つの入出射ポートと前記第１の入出射ポートとの間で前記第１の波長フィルタ及び前記第２の波長フィルタを介して光学的に結合され、前記第２の波長の光は、前記１つの入出射ポートと前記第２の入出射ポートとの間で前記第１の波長フィルタ，前記第２の波長フィルタ，並びに前記第３の波長フィルタと前記第１の全反射ミラーとを介して光学的に結合され、前記第３の波長の光は、前記１つの入出射ポートと前記第３の入出射ポートとの間で前記第１の波長フィルタ及び前記第４の波長フィルタと前記第２の全反射ミラーとを介して光学的に結合され、前記第４の波長の光は、前記１つの入出射ポートと前記第４の入出射ポートとの間で前記第１の波長フィルタ，前記第４の波長フィルタ，並びに前記第５の波長フィルタと前記第２の全反射ミラー及び前記第３の全反射ミラーとを介して光学的に結合されることを特徴とする光合分波器。
【請求項４２】
７本の光線を透過可能に形成された筐体にあっての対向する壁面の一方側の外方近傍に３つの入出射ポートを備えると共に、他方側の外方近傍に４つの入出射ポートを備え、且つ６つの異なる波長の光を該３つの入出射ポートと該４つの入出射ポートにあっての第２の入出射ポート，第３の入出射ポート，及び第４の入出射ポートとから別々に入射して該４つの入出射ポートにあっての第１の入出射ポートへ合波するか、或いは該第１の入出射ポートから入射して該３つの入出射ポートと該４つの入出射ポートにあっての第２の入出射ポート，第３の入出射ポート，及び第４の入出射ポートとへ分波することにより双方向での入出射が可能な光合分波器であって、前記６つの異なる波長にあっての第１の波長，第２の波長，及び第３の波長の光を透過し、且つ第４の波長，第５の波長，及び第６の波長の光を反射する第１の波長フィルタと、前記第１の波長の光を透過し、且つ前記第２の波長及び前記第３の波長の光を反射する第２の波長フィルタと、前記第２の波長の光を透過し、且つ前記第３の波長の光を反射する第３の波長フィルタと、前記第３の波長の光のみを透過する第４の波長フィルタと、前記第４の波長の光を透過し、且つ前記第５の波長及び前記第６の波長の光を反射する第５の波長フィルタと、前記第５の波長の光を透過し、且つ前記第６の波長の光を反射する第６の波長フィルタと、前記第６の波長の光のみを透過する第７の波長フィルタと、前記第２の波長及び前記第３の波長の光を反射する第１のミラー面と前記第５の波長及び前記第６の波長の光を反射する第２のミラー面とをそれぞれ片側に備えた全反射ミラーとが前記筐体内に配備され、更に、前記第１の入出射ポートと前記３つの入出射ポートにあっての第１の入出射ポートとは、それぞれ入出射する光線の光軸がほぼ一致するように略直線上に配置され、前記第１の波長フィルタ及び前記第２の波長フィルタは、光軸上にそれぞれ所定の角度で配置され、前記第３の波長フィルタ，前記第４の波長フィルタ，及び前記全反射ミラーは、前記３つの入出射ポートにあっての第２の入出射ポート及び第３の入出射ポートに入出射する光線の光軸が前記４つの入出射ポートにあっての前記第１の入出射ポートから該３つの入出射ポートにあっての前記第１の入出射ポートへ結合される光線の光軸に対してほぼ平行となるように、該３つの入出射ポートにあっての該第２の入出射ポート及び該第３の入出射ポートに入出射する光線の光軸に対して所定の角度で所定の位置に配置され、前記４つの入出射ポートにあっての前記第２の入出射ポートと前記第５の波長フィルタとは、前記第１の波長フィルタで反射する光の方向に光軸が一致するように配置され、前記４つの入出射ポートにあっての前記第３の入出射ポート及び前記第４の入出射ポートと前記第６の波長フィルタ及び前記第７の波長フィルタとは、該４つの入出射ポートにあっての第３の入出射ポート及び第４の入出射ポートに入出射する光線の光軸が該４つの入出射ポートにあっての第２の入出射ポートの光軸に対してほぼ平行となるように所定の角度で所定の位置に配置され、前記第１の波長の光は、前記４つの入出射ポートにあっての前記第１の入出射ポートと前記３つの入出射ポートにあっての前記第１の入出射ポートとの間で前記第１の波長フィルタ及び前記第２の波長フィルタを介して光学的に結合され、前記第２の波長の光は、前記４つの入出射ポートにあっての前記第１の入出射ポートと前記３つの入出射ポートにあっての前記第２の入出射ポートとの間で前記第１の波長フィルタ，前記第２の波長フィルタ，並びに前記第３の波長フィルタと前記全反射ミラーとを介して光学的に結合され、前記第３の波長の光は、前記４つの入出射ポートにあっての前記第１の入出射ポートと前記３つの入出射ポートにあっての前記第３の入出射ポートとの間で前記第１の波長フィルタ，前記第２の波長フィルタ，前記第３の波長フィルタ，並びに前記第４の波長フィルタと前記全反射ミラーとを介して光学的に結合され、前記第４の波長の光は、前記４つの入出射ポートにあっての前記第１の入出射ポート及び前記第２の入出射ポートの間で前記第１の波長フィルタ及び前記第５の波長フィルタと前記全反射ミラーとを介して光学的に結合され、前記第５の波長の光は、前記４つの入出射ポートにあっての前記第１の入出射ポート及び前記第３の入出射ポートの間で前記第１の波長フィルタ，前記第５の波長フィルタ，並びに前記第６の波長フィルタと前記全反射ミラーとを介して光学的に結合され、前記第６の波長の光は、前記４つの入出射ポートにあっての前記第１の入出射ポート及び前記第４の入出射ポートの間で前記第１の波長フィルタ，前記第５の波長フィルタ，前記第６の波長フィルタ，並びに前記第７の波長フィルタと前記全反射ミラーとを介して光学的に結合されることを特徴とする光合分波器。
【請求項４３】
５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、前記４つの異なる波長にあっての第１の波長の光を透過し、且つ他の第２の波長，第３の波長，及び第４の波長の光を反射する第１の波長フィルタと、前記第２の波長の光を透過し、且つ前記第３の波長及び前記第４の波長の光を反射する第２の波長フィルタと、前記第３の波長の光を透過し、且つ前記第４の波長の光を反射する第３の波長フィルタと、前記第４の波長の光のみを透過する第４の波長フィルタと、前記第２の波長，前記第３の波長，及び前記第４の波長の光を全反射する全反射ミラーと、前記第１の波長フィルタ乃至前記第４の波長フィルタと前記全反射ミラーとを固定した透光性基板とが前記筐体内に配備され、更に、前記１つの入出射ポートと前記４つの入出射ポートにあっての第１の入出射ポートとはそれぞれ入出射する光線の光軸がほぼ一致するように略直線上に配置され、前記透光性基板に固定された前記第１の波長フィルタは、光軸上に所定の角度で配置され、前記透光性基板に固定された前記全反射ミラーは、前記４つの入出射ポートにあっての第２の入出射ポート，第３の入出射ポート，及び第４の入出射ポートに入出射する光線の光軸が前記１つの入出射ポートから前記第１の入出射ポートへ結合される光線の光軸に対してほぼ平行となるように、該第２の入出射ポート，該第３の入出射ポート，及び該第４の入出射ポートに入出射する光線の光軸に対して所定の角度で所定の位置に配置され、前記透光性基板に固定された前記第２の波長フィルタ，前記第３の波長フィルタ，及び前記第４の波長フィルタは、それぞれの光軸に対してそれぞれ所定の角度で配置され、前記第１の波長の光は、前記１つの入出射ポートと前記第１の入出射ポートとの間で前記透光性基板に固定された前記第１の波長フィルタを介して光学的に結合され、前記第２の波長の光は、前記１つの入出射ポートと前記第２の入出射ポートとの間で前記透光性基板にそれぞれ固定された前記第２の波長フィルタ及び前記第３の波長フィルタと前記全反射ミラーとを介して光学的に結合され、前記第３の波長の光は、前記１つの入出射ポートと前記第３の入出射ポートとの間で前記透光性基板にそれぞれ固定された前記第１の波長フィルタ，前記第２の波長フィルタ，並びに前記第３の波長フィルタと前記全反射ミラーとを介して光学的に結合され、前記第４の波長の光は、前記１つの入出射ポートと前記第４の入出射ポートとの間で前記透光性基板にそれぞれ固定された前記第１の波長フィルタ，前記第２の波長フィルタ，前記第３の波長フィルタ，並びに前記第４の波長フィルタと前記全反射ミラーとを介して光学的に結合されることを特徴とする光合分波器。
【請求項４４】
５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、前記４つの異なる波長にあっての第１の波長及び第２の波長の光を透過し、且つ第３の波長及び第４の波長の光を反射する第１の波長フィルタと、前記第１の波長の光を透過し、且つ前記第２の波長の光を反射する第２の波長フィルタと、前記第２の波長の光のみを透過する第３の波長フィルタと、前記第３の波長の光を透過し、且つ前記第４の波長の光を反射する第４の波長フィルタと、前記第４の波長の光のみを透過する第５の波長フィルタと、前記第２の波長の光を全反射する第１の全反射ミラーと、前記第３の波長及び前記第４の波長の光を全反射する第２の全反射ミラーと、前記第４の波長の光を全反射する第３の全反射ミラーと、前記第１の波長フィルタ乃至前記第５の波長フィルタと前記第１の全反射ミラー及び前記第３の全反射ミラーとを固定した透光性基板とが前記筐体内に配備され、更に、前記１つの入出射ポートと前記４つの入出射ポートにあっての第１の入出射ポートとは、それぞれ入出射する光線の光軸をほぼ一致するように略直線上に配置され、前記透光性基板に固定された前記第１の波長フィルタ及び前記第２の波長フィルタは、それぞれ光軸上に所定の角度で配置され、前記透光性基板に固定された前記第１の全反射ミラー及び前記第３の全反射ミラーと前記第２の全反射ミラーとは、前記４つの入出射ポートにあっての第２の入出射ポート，第３の入出射ポート，及び第４の入出射ポートに入出射する光線の光軸が前記１つの入出射ポートから前記第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、前記透光性基板に固定された第３の波長フィルタ，前記第４の波長フィルタ，及び前記第５の波長フィルタは、それぞれの光軸に対してそれぞれ所定の角度で配置され、前記第１の波長の光は、前記１つの入出射ポートと前記第１の入出射ポートとの間で前記透光性基板に固定された前記第１の波長フィルタ及び前記第２の波長フィルタを介して光学的に結合され、前記第２の波長の光は、前記１つの入出射ポートと前記第２の入出射ポートとの間で前記透光性基板にそれぞれ固定された第１の波長フィルタ，前記第２の波長フィルタ，並びに前記第３の波長フィルタと前記第１の全反射ミラーとを介して光学的に結合され、前記第３の波長の光は、前記１つの入出射ポートと前記第３の入出射ポートとの間で前記透光性基板に固定された前記第１の波長フィルタ及び前記第４の波長フィルタと前記第２の全反射ミラーとを介して光学的に結合され、前記第４の波長の光は、前記１つの入出射ポートと前記第４の入出射ポートとの間で前記透光性基板に固定された前記第１の波長フィルタ，前記第４の波長フィルタ，並びに前記第５の波長フィルタと前記第２の全反射ミラー及び該透光性基板に固定された前記第３の全反射ミラーとを介して光学的に結合されることを特徴とする光合分波器。
【請求項４５】
５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、前記４つの異なる波長にあっての第１の波長及び第２の波長の光を透過し、且つ第３の波長及び第４の波長の光を反射する第１の波長フィルタと、前記第１の波長の光を透過し、且つ前記第２の波長の光を反射する第２の波長フィルタと、前記第２の波長の光のみを透過する第３の波長フィルタと、前記第３の波長の光を透過し、且つ前記第４の波長の光を反射する第４の波長フィルタと、前記第４の波長の光のみを透過する第５の波長フィルタと、前記第２の波長の光を全反射する第１の全反射ミラーと、前記第３の波長及び前記第４の波長の光を全反射する第２の全反射ミラーと、前記第４の波長の光を全反射する第３の全反射ミラーと、前記３つの全反射ミラーと前記第１の波長フィルタとを固定した第１の透光性基板と、前記第１の波長フィルタ乃至前記第５の波長フィルタと前記第１の全反射ミラー及び前記第３の全反射ミラーとを固定した第２の透光性基板とが前記筐体内に配備され、更に、前記１つの入出射ポートと前記４つの入出射ポートにあっての第１の入出射ポートとは、それぞれ入出射する光線の光軸をほぼ一致するように略直線上に配置され、前記第１の透光性基板及び前記第２の透光性基板に固定された前記第１の波長フィルタと該第２の透光性基板に固定された前記第２の波長フィルタとは、それぞれ光軸上に所定の角度で配置され、前記第１の透光性基板及び前記第２の透光性基板に固定された前記第１の全反射ミラー，該第１の透光性基板に固定された前記第２の全反射ミラー，並びに該第１の透光性基板及び該第２の透光性基板に固定された前記第３の全反射ミラーは、前記４つの入出射ポートにあっての第２の入出射ポート，第３の入出射ポート，及び第４の入出射ポートに入出射する光線の光軸が前記１つの入出射ポートから前記第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、前記第２の透光性基板にそれぞれ固定された前記第３の波長フィルタ，前記第４の波長フィルタ，及び前記第５の波長フィルタは、それぞれの光軸に対してそれぞれ所定の角度で配置され、前記第１の波長の光は、前記１つの入出射ポートと前記第１の入出射ポートとの間で前記第１の透光性基板及び前記第２の透光性基板に固定された前記第１の波長フィルタと該第２の透光性基板に固定された前記第２の波長フィルタとを介して光学的に結合され、前記第２の波長の光は、前記１つの入出射ポートと前記第２の入出射ポートとの間で前記第１の透光性基板及び前記第２の透光性基板に固定された第１の波長フィルタ，該第２の透光性基板に固定された前記第２の波長フィルタ，並びに該第２の透光性基板に固定された前記第３の波長フィルタと該第１の透光性基板及び該第２の透光性基板に固定された前記第１の全反射ミラーとを介して光学的に結合され、前記第３の波長の光は、前記１つの入出射ポートと前記第３の入出射ポートとの間で前記第１の透光性基板及び前記第２の透光性基板に固定された前記第１の波長フィルタと該第２の透光性基板に固定された前記第４の波長フィルタと該第１の透光性基板に固定された前記第２の全反射ミラーとを介して光学的に結合され、前記第４の波長の光は、前記１つの入出射ポートと前記第４の入出射ポートとの間で前記第１の透光性基板及び前記第２の透光性基板に固定された前記第１の波長フィルタ，該第２の透光性基板に固定された前記第４の波長フィルタ，並びに該第２の透光性基板に固定された前記第５の波長フィルタと該第１の透光性基板に固定された前記第２の全反射ミラーと該第１の透光性基板及び該第２の透光性基板に固定された前記第３の全反射ミラーとを介して光学的に結合されることを特徴とする光合分波器。
【請求項４６】
５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、前記４つの異なる波長にあっての第１の波長及び第２の波長の光を透過し、且つ第３の波長及び第４の波長の光を反射する第１の波長フィルタと、前記第１の波長の光を透過し、且つ前記第２の波長の光を反射する第２の波長フィルタと、前記第２の波長の光のみを透過する第３の波長フィルタと、前記第３の波長の光を透過し、且つ前記第４の波長の光を反射する第４の波長フィルタと、前記第４の波長の光のみを透過する第５の波長フィルタと、前記第３の波長の光及び前記第４の波長の光を全反射する第１の全反射ミラーと、前記２の波長の光を全反射する第２の全反射ミラーと、前記第４の波長の光を全反射する第３の全反射ミラーと、前記第１の全反射ミラー乃至前記第３の全反射ミラーと前記第１の波長フィルタとを固定した第１の透光性基板と、前記第１の波長フィルタ乃至前記第５の波長フィルタを固定した第２の透光性基板と、前記第１の透光性基板及び前記第２の透光性基板を固定した第３の透光性基板とが前記筐体内に配備され、更に、前記１つの入出射ポートと前記４つの入出射ポートにあっての第１の入出射ポートとは、それぞれ入出射する光線の光軸をほぼ一致するように略直線上に配置され、前記第１の透光性基板及び前記第２の透光性基板に固定された前記第１の波長フィルタと該第２の透光性基板に固定された前記第２の波長フィルタとは、それぞれ光軸上に所定の角度で配置され、前記第１の透光性基板にそれぞれ固定された前記第１の全反射ミラー，前記第２の全反射ミラー，及び前記第３の全反射ミラーは、前記４つの入出射ポートにあっての第２の入出射ポート，第３の入出射ポート，及び第４の入出射ポートに入出射する光線の光軸が前記１つの入出射ポートから前記第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、前記第２の透光性基板にそれぞれ固定された前記第３の波長フィルタ，前記第４の波長フィルタ，及び前記第５の波長フィルタと前記第３の透光性基板とは、それぞれの光軸に対してそれぞれ所定の角度で配置され、前記第１の波長の光は、前記１つの入出射ポートと前記第１の入出射ポートとの間で前記第１の透光性基板及び前記第２の透光性基板に固定された前記第１の波長フィルタと該第２の透光性基板に固定された前記第２の波長フィルタとを介して光学的に結合され、前記第２の波長の光は、前記１つの入出射ポートと前記第２の入出射ポートとの間で前記第１の透光性基板及び前記第２の透光性基板に固定された前記第１の波長フィルタ，該第２の透光性基板に固定された前記第２の波長フィルタ，並びに該第２の透光性基板に固定された前記第３の波長フィルタと該第１の透光性基板に固定された前記第２の全反射ミラーとを介して光学的に結合され、前記第３の波長の光は、前記１つの入出射ポートと前記第３の入出射ポートとの間で前記第１の透光性基板及び前記第２の透光性基板に固定された前記第１の波長フィルタと該第２の透光性基板に固定された前記第４の波長フィルタと該第１の透光性基板に固定された前記第１の全反射ミラーとを介して光学的に結合され、前記第４の波長の光は、前記１つの入出射ポートと前記第４の入出射ポートとの間で前記第１の透光性基板及び前記第２の透光性基板に固定された前記第１の波長フィルタ，該第２の透光性基板に固定された前記第４の波長フィルタ，並びに該第２の透光性基板に固定された前記第５の波長フィルタと該第１の透光性基板に固定された前記第１の全反射ミラー及び前記第３の全反射ミラーとを介して光学的に結合されることを特徴とする光合分波器。
【発明の詳細な説明】
【技術分野】
【０００１】
本発明は、主として高速・大容量が要求される光通信分野で適用されると共に、メトロ・アクセス系において光信号の送受信等に用いられる光モジュール、並びに波長多重通信システムにおいて光信号の合波又は分波に用いられる光合分波器及びそれを用いた光合分波ユニットに関する。
【背景技術】
【０００２】
従来、陸上の長距離基幹系、或いは海底の光ケーブルシステム等のバックボーン系における光通信化の進展の目覚しさに比べ、メトロ・アクセス系の光通信化は予想通りには進んでいないのが現状である。又、メトロ・アクセス系の光通信化が思うように進んでいないことにより、そのトラフィックの増加を補うためのバックボーン系への投資も進まないというジレンマがある。
【０００３】
このようなジレンマを解消し、バックボーン系やメトロ・アクセス系に対する光通信化の投資が盛んになるためには、加入者用の光送受信モジュールを如何に安価にするか、更に光通信によるブロードバンドサービスがフルサービス，マルチサービスという点でふさわしいものであることを加入者に認知して貰うことが不可欠となっている。
【０００４】
サービスの点については別にしても、光送受信モジュールの低価格化は、１９８０年代から一般家庭まで光ファイバ網を引こうというファイバーツーザホーム（ＦＴＴＨ）構想を実現する上での中核的課題であった。それは現在時点でメディアコンバータという名称で呼ばれる低価格の製品として実現されている。
【０００５】
しかしながら、メディアコンバータを用いたブロードバンドサービスは、１本の光ファイバに加入者側からの上りディジタル信号（光波長１．３μｍが使用される）と局舎側からの下りディジタル信号（光波長１．５μｍが使用される）とによる２波長を乗せる波長多重（ＷＤＭ）により行われており、これまでの方式では加入者側にとって最も魅力的な精細度の高い動画を提供することはできていない。
【０００６】
これから開始されようとしている加入者向けの光ファイバによる映像（動画，高精細動画等）配信は、光ファイバ増幅器による長距離伝送が可能な波長１．５５μｍの光信号により行われることになっており、可能な限り１本の光ファイバに加入者からの上り信号（波長１．３μｍのもの）、下りディジタル信号（現在の下り信号波長よりも若干短い波長１．４９μｍのもの）、及び映像用信号（アナログ，ディジタルの両方を持つ波長１．５５μｍのもの）による３波多重でのサービスを行うことが望ましいとされている。これは映像信号のためだけに新たに光ファイバを敷設して２重化するのは、通信業者及び加入者に対する設備負担が大きく、普及への大きな障害となるためである。
【０００７】
１本の光ファイバで３波多重の伝送を行うためには、加入者側の光送受信モジュールに３波の合分波機能を付加する必要がある。従来から知られている上りと下りとのディジタル信号は、映像信号（波長１．５５μｍのもの）を高い消光比で分離した後、周知のメディアコンバータで取り扱うことができる。こうしたメディアコンバータは、２波多重の伝送に対応する光送受信モジュールを内蔵し、駆動・信号出力用の電気・電子回路を内蔵する機器である。即ち、３波の合分波には、先ず映像信号を高い消光比で分離して、残りの波長１．３μｍ，波長１．４９μｍの信号を周知のメディアコンバータにより処理することで行われる。分離された映像信号は、専用の受光器に入力されて電気信号に変換された後、更に専用のセットトップボックスと呼ばれる機器を介してＴＶに接続される。専用の受光器はそのセットトップボックスに内蔵されることもある。
【０００８】
このような目的のために、映像信号を分離するためのＷＤＭフィルタモジュールの製品化が進展しており、そのＷＤＭフィルタモジュール、メディアコンバータ、及び映像信号用機器を組み合わせてサービスが行われようとしている。しかしながら、その分離用のＷＤＭフィルタモジュールは、長距離幹線系で用いられる高密度波長多重（ＤＷＤＭ）用合分波フィルタと同様に２芯のファイバコリメータ、誘電体多層膜フィルタ、及び１芯のファイバコリメータを調芯（以下も同様であるように、各光学素子間の光軸を合わせる作業を示す）し、ホルダに高信頼性による固定方法で固定して製造され、且つそれぞれのファイバに光コネクタを付ける必要があるため、加入者系で用いるには非常に高価なモジュールである。メディアコンバータの低価格化の進展と合わせてＷＤＭフィルタモジュールの低価格化が強く求められるのに反し、ＷＤＭフィルタモジュールの高コスト化止まりは決して好ましくないものとなっている。
【０００９】
ＷＤＭフィルタモジュールの高コスト化止まりを対処する方法として、容易に類推できるものに、メディアコンバータに映像信号分離用ＷＤＭフィルタを内蔵させるというものがある。映像分離用ＷＤＭフィルタを内蔵する新らしいメディアコンバータにおいては、波長１．５５μｍ，波長１．４９μｍの信号の消光比を３０ｄＢ以上とすることが望ましいため、所謂パッシブアラインメントの手法を用いる光導波路型のモジュールやファイバ埋め込み型のモジュールでは、容易に対応することができず、受発光素子を動作させながら調芯を行うアクティブアラインメントの手法を用いるマイクロオプティクス型のモジュールが好適であると考えられる。
【００１０】
メディアコンバータに内蔵される従来のマイクロオプティクス型の光送受信モジュールとしては、例えば図２２に示されるような構成のもの（開発済みであるが、文献公知に係る発明でない）が挙げられる。
【００１１】
この光送受信モジュールでは、筐体１１０内のレーザダイオード１１１から出射した加入者側からの上りの波長１．３μｍの光がコリメータレンズ１１５により平行光に変換されてＷＤＭフィルタ１１４をそのまま通過した後、ファイバコリメータ１１３に入射する。これに対し、局舎側からの下りの波長１．５μｍの光がファイバコリメータから平行光で出射し、ＷＤＭフィルタ１１４で反射して集光レンズ１１６により受光用のフォトダイオード１１２に入射する。
【００１２】
ここで用いられるＷＤＭフィルタ１１４は、波長１．３μｍの光を透過し、且つ波長１．５μｍの光を反射する波長分離用フィルタとして機能するローパスフィルタであり、波長間隔が２００ｎｍもあるために性能的には余裕がある。又、受光用のフォトダイオード１１２も波長１．５μｍの光を選択的に受光する機能を持たせることができるために、ＷＤＭフィルタ１１４，レーザダイオード１１１，フォトダイオード１１２の調芯に依らずに漏話の問題が殆ど生じることも無く、消光比を気にせずに調芯作業を行うことができる。勿論、ＷＤＭフィルタ１１４において、波長１．３μｍ，波長１．５μｍの光に対する透過，反射の関係を逆にした特性を持つハイパスフィルタを代用した構造にしても良い。
【００１３】
一方、従来の波長多重通信システムにおいて光信号の合波又は分波に用いられる波長多重通信用の光合分波器としては、例えばＧＩファイバ（屈折率分布型マルチモードファイバ）の小片が先端に装着されたシングルモード光ファイバを誘電体多層膜フィルタの一方の組に２組、他方の組に１組とし、それぞれ各ＧＩファイバの先端が誘電体多層膜フィルタの方向に向くように配置して光学的に結合した構成のもの（特許文献１参照）が知られている。
【００１４】
又、光信号を合波又は分波する機能を持つ光合分波器としては、例えば図２３に示されるような構成のもの（研究開発済みであるが、文献公知に係る発明でないもの）が挙げられる。
【００１５】
この光合分波器は、１つの波長選択機能を持つ波長フィルタ４９８における一方側に１つの入出射ポートを持つ１つのファイバコリメータ５０１を配備すると共に、他方側にそれぞれ１つの入出射ポートを持つ２つのファイバコリメータ４９９，５００を配備し、２つの異なる波長λ１，λ２の光を２つのファイバコリメータ４９９，５０１から別々に入射して波長フィルタ４９８を介して１つのファイバコリメータ５００へ合波するか、或いは１つのファイバコリメータ５００から入射して波長フィルタ４９８を介して２つのファイバコリメータ４９９，５０１へ分波することにより双方向での入出射が可能となっている。
【００１６】
その他、波長多重数が８波の場合に対応した光合分波器も知られている（例えば、非特許文献１参照。）。
【００１７】
以下、図２４を参照して、この非特許文献１に開示された光合分波器について説明する。この光合分波器は、光カプラと呼ばれるもので、多段に配置することにより波長多重数が８波長の場合に対応して構成されるものである。
【００１８】
即ち、この光合分波器は、内部に誘電体多層膜による第１の波長フィルタ５８１及び第２の波長フィルタ５８２が配置された筐体５７７における一方側に第１のファイバコリメータ５７８及び第２のファイバコリメータ５７９が設けられ、他方側に第３のファイバコリメータ５８０が設けられて構成されている。これらのファイバコリメータ５７８〜５８０は、それぞれレンズと光導波路とから成る光信号入出射手段として働く。
【００１９】
筐体５７７内に配置された第１の波長フィルタ５８１は、所定の波長範囲を持つ第１の波長λ１の光信号のみを透過する機能を有する。
【００２０】
図２４に示されるように、第１のファイバコリメータ５７８は、第１の波長乃至第ｍ（ｍは２以上の整数）の波長λ１，λ２，・・・，λｍを持つ光信号を入出射するためのものである。第２のファイバコリメータ５７９は、第２の波長乃至第ｍの波長λ２，・・・，λｍを持つ光信号を入出射するためのものである。第３のファイバコリメータ５８０は、第１の波長λ１を持つ光信号を入出射するためのものである。
【００２１】
このような構成の光合分波器は、第１の波長λ１を持つ光信号を他の波長の光信号に対して分波又は合波する機能を有する。筐体５７７内に付加されている第２の波長フィルタ５８２は、第１の波長フィルタ５８１と同様の機能を有するもので、これは第１の波長フィルタ５８１による第１の波長λ１の光信号の選択比が十分でない場合に、選択比を大きくするためである。尚、筐体５７７の片側に置かれたファイバコリメータ５７８，５７９には、通常２芯コリメータが用いられる。
【００２２】
【特許文献１】特開平１１−３８２６２号公報（要約、図１、図３）
【非特許文献１】電波新聞第９４８号（２００２年９月５日発行第２４頁乃至第２５頁）
【発明の開示】
【発明が解決しようとする課題】
【００２３】
上述した図２２に示した光送受信モジュールの場合、映像信号分離用のＷＤＭフィルタを付加しようとすると、幾つかの問題点が生ずるが、以下は具体的に検討して考察する。
【００２４】
先ず、波長１．３μｍ，波長１．４９μｍと波長１．５５μｍとによる光を分離し、波長１．４９μｍとの消光比を高くしたまま波長１．５５μｍの受光感度を上げようとすると、映像信号分離用のＷＤＭフィルタと波長１．５５μｍの出射ポート（集光レンズとフォトダイオードとの組み合わせ又はファイバコリメータ）との調芯・固定を高精度で行う必要がある。このときの調芯作業は、波長１．５５μｍ，波長１．４９μｍの光をファイバコリメータから入射させながら行う。調芯作業を高精度で行うためには、それぞれの光学素子を高精度で位置決めするためのマイクロメータが必要であり、それぞれの光学素子を独立にハンドリングするための空間も必要となる。勿論、これらの調芯を行うためのマイクロメータは容易にして比較的安価に入手可能であり、高精度に位置決めを行うための技術も汎用技術の範囲内であるし、ハンドリングの空間についてもそれだけでは問題とはならない。
【００２５】
次に、映像信号分離用のＷＤＭフィルタを通過した光については、高精度に調芯を行うために空間を取ったことにより、ファイバコリメータからレーザダイオード，フォトダイオードまでの距離を例えば従来であれば１０ｍｍ程度としていたのに対し、３０ｍｍ程度と大きくすれば良く、波長１．４９μｍの光を受光するフォトダイオードについては受光部の断面積を比較的大きく（おおよそ口径φ＝５０μｍ）すれば、入射角度依存性も小さいために調芯はさほど困難ではない。ここでは上述した場合と同様に高精度に位置決めする技術を活用することが有効である。
【００２６】
更に、レーザダイオードの発光部の断面積は、おおよそ口径φ＝１０μｍ程度であり、しかもファイバコリメータへの結合効率は発光部からの光の出射角度に大きく依存し、レーザダイオード及びファイバコリメータの距離に対して指数関数的に結合効率が低下する傾向にあるため、レーザダイオードからの出射光をコリメータレンズで平行光に変換しても、結合すべきファイバコリメータまでの距離が大きいと調芯が非常に困難となる。即ち、レーザダイオードからの光を調芯しようとすると、映像信号分離用のＷＤＭフィルタを内蔵した構造によるマイクロオプティクス型モジュールの製造が至難なものとなる。
【００２７】
加えて、電気・電子回路側からの要求として、従来型のモジュールではレーザダイオード，フォトダイオードの駆動回路を比較的光学素子の近傍に設置することが可能であり、具体的には同一基板上に駆動回路を配置することができるが、３波多重に対応する２段の反射，透過のＷＤＭフィルタに対して調芯されたレーザダイオード，フォトダイオードはハンドリングのための空間の影響もあり、非常に離れた配置が必要となって駆動回路を同一基板上に配置することが困難となっている。
【００２８】
要するに、従来の図２２に示した光送受信モジュールの基本構成に基づいて、３波多重に対応する映像信号分離用のＷＤＭフィルタを適用して光送受信モジュールを製造することは容易でなく、同様にメトロ系で用いられる高機能の光送受信モジュールにおいても一層の低価格化が求められているが、実際には同様な問題があるために具現し難いものとなっている。
【００２９】
一方、上述した図２３や図２４に示す双方向での入出射が可能な波長多重通信用の光合分波器の場合、基本的に２つの異なる波長λ１，λ２の光を合波又は分波するために構成（基本構造とみなすことができる）されており、３つ以上の異なる波長の光を合波又は分波するためには入出射ポートを持つ光学素子として働くファイバコリメータを要求される波長多重数に合わせて備えることが必要となるが、このように多数の異なる波長の光を合波又は分波する機能を構築するときには入出射ポートの数が増大することにより部品点数が多くなって作製コストが高くなってしまうばかりでなく、入出射ポートの配置が複雑となって作製が困難になってしまうという問題がある他、入出射用にファイバの余長を収納するための空間が必要になる等の事情によりモジュールを小型化して作製し難いといった問題がある。更に、複数の基本構造のものを多段に接続した場合、各経路における挿入損失が段数に応じて足し合わせたものに等しくなり、挿入損失偏差が生じるという問題もある。
【００３０】
本発明は、このような問題点を解決すべくなされたもので、その技術的課題の一つは、加入者向けの廉価な光アクセス網を実現するための３波多重以上に対応可能な簡易にして高精度に調芯し得る廉価な光モジュールを提供することにある。又、本発明のその他の技術的課題は、メトロ・アクセス系の光通信網で用いられる高機能で廉価な光送受信モジュールを提供することにある。更に、本発明の別の技術的課題は、多数の異なる波長の光を合波又は分波する機能を構築しても部品点数を削減できて低コスト化を図り得ると共に、入出射ポートの配置を簡単にしてモジュールを小型化でき、しかも挿入損失偏差を抑制し得る高性能な光合分波器を提供することにある。
【課題を解決するための手段】
【００３１】
本発明によれば、筐体内にそれぞれレーザダイオード，光学的レンズ，波長フィルタ，及びファイバコリメータを少なくとも１個有して成ると共に、該筐体内で該レーザダイオードから出射される光についての該光学的レンズを透過させたものを該波長フィルタを介して該ファイバコリメータに自由空間で結合させる機能を有する光モジュールにおいて、光学的レンズは、レーザダイオードから出射される光を集光する集光レンズと、レーザダイオードから出射される光を平行光とするコリメータレンズとを含み、集光レンズ及びコリメータレンズの間には、該集光レンズによりレーザダイオードから出射される光が集光されるファイバを内蔵すると共に、両端面が研磨されたキャピラリが備えられ、コリメータレンズは、キャピラリのファイバから出射される光を平行光とする光モジュール（第１の構成とする）が得られる。
【００３２】
又、本発明によれば、上記光モジュールにおいて、波長フィルタは、コリメータレンズレーザから出射される平行光の波長を全反射して筐体内で光線方向を少なくとも２回以上変更できるように、少なくとも２個以上のものが予め定められた入射角度で該平行光を入射可能なように配置された光モジュール（第２の構成とする）が得られる。
【００３３】
更に、本発明によれば、上記何れかの光モジュールにおいて、波長フィルタは、誘電体多層膜から成る光モジュール（第３の構成とする）が得られる。
【００３４】
加えて、本発明によれば、上記何れか一つの光モジュールにおいて、レーザダイオードには、伝送速度に応じて専用波長の光アイソレータが付加された光モジュール（第４の構成とする）が得られる。
【００３５】
又、本発明によれば、上記何れかの光モジュールにおいて、波長フィルタとファイバコリメータとの間には、該波長フィルタにおいて透過又は全反射される光を該ファイバコリメータ側のみへ方向付けると共に、レーザダイオードの使用されるものの全波長範囲に対応するアイソレータが配置された光モジュール（第５の構成とする）が得られる。
【００３６】
一方、本発明によれば、筐体内にそれぞれフォトダイオード，光学的レンズ，波長フィルタ，及びファイバコリメータを少なくとも１個有して成ると共に、該筐体内で該ファイバコリメータから入射される平行光についての該波長フィルタを介したものを該光学的レンズを透過させることにより該フォトダイオードに自由空間で結合させる機能を有する光モジュールにおいて、波長フィルタは、ファイバコリメータから入射される平行光の波長を全反射して筐体内で光線方向を少なくとも２回以上変更できるように、少なくとも２個以上のものが予め定められた入射角度で該平行光を入射可能なように配置され、光学的レンズは、波長フィルタにより平行光を全反射したものをフォトダイオードへ結合する結合レンズを含む光モジュール（第６の構成とする）が得られる。
【００３７】
又、本発明によれば、上記光モジュールにおいて、波長フィルタは、誘電体多層膜から成る光モジュール（第７の構成とする）が得られる。
【００３８】
他方、本発明によれば、筐体内にそれぞれレーザダイオード，フォトダイオード，光学的レンズ，波長フィルタ，及びファイバコリメータを少なくとも１個有して成ると共に、該筐体内で該レーザダイオードから出射される光についての該光学的レンズを透過させたものを該波長フィルタを介して該ファイバコリメータに自由空間で結合させる機能と、該筐体内で該ファイバコリメータから入射される平行光についての該波長フィルタを介したものを該光学的レンズを透過させることにより該フォトダイオードに自由空間で結合させる機能とを有する光モジュールにおいて、光学的レンズは、レーザダイオードから出射される光を集光する集光レンズと、レーザダイオードから出射される光を平行光とするコリメータレンズとを含み、集光レンズ及びコリメータレンズの間には、該集光レンズによりレーザダイオードから出射される光が集光されるファイバを内蔵すると共に、両端面が研磨されたキャピラリが備えられ、コリメータレンズは、キャピラリのファイバから出射される光を平行光とするもので、波長フィルタは、コリメータレンズレーザから出射される平行光の波長とファイバコリメータから入射される平行光の波長との少なくとも一方を全反射して筐体内で光線方向を少なくとも２回以上変更できるように、少なくとも２個以上のものが予め定められた入射角度で該平行光を入射可能なように配置され、更に、光学的レンズは、波長フィルタにより平行光を全反射したものをフォトダイオードへ結合する結合レンズを含む光モジュール（第８の構成とする）が得られる。
【００３９】
又、本発明によれば、上記光モジュールにおいて、波長フィルタは、誘電体多層膜から成る光モジュール（第９の構成とする）が得られる。
【００４０】
更に、本発明によれば、上記何れかの光モジュールにおいて、レーザダイオードには、伝送速度に応じて専用波長の光アイソレータが付加された光モジュール（第１０の構成とする）が得られる。
【００４１】
他方、本発明によれば、互いに対向する第１の側面及び第２の側面を持つ筐体と、筐体の第１の側面に配置された第１の入出射ポートと、筐体の第２の側面に配置された第２の入出射ポート乃至第５の入出射ポートとを備え、第１の入出射ポートは、互いに異なる第１の波長乃至第４の波長から成る波長群を持つ光信号を筐体に対して入出射するためのものであり、第２の入出射ポート乃至第５の入出射ポートは、それぞれ第１の波長乃至第４の波長を持つ光信号を入出射するためのものであり、筐体は、第１の入出射ポートから入射した第１の波長を持つ光信号を第２の入出射ポートへ向けて伝達すると共に、該第２の入出射ポートから入射した該第１の波長を持つ光信号を該第１の入出射ポートへ向けて伝達する第１の光伝達手段と、第１の入出射ポートから入射した第２の波長を持つ光信号を第３の入出射ポートへ向けて伝達すると共に、該第３の入出射ポートから入射した該第２の波長を持つ光信号を第１の入出射ポートへ向けて伝達する第２の光伝達手段と、第１の入出射ポートから入射した第３の波長を持つ光信号を第４の入出射ポートへ向けて伝達すると共に、該第４の入出射ポートから入射した該第３の波長を持つ光信号を該第１の入出射ポートへ向けて伝達する第３の光伝達手段と、第１の入出射ポートから入射した第４の波長を持つ光信号を第５の入出射ポートへ向けて伝達すると共に、該第５の入出射ポートから入射した該第４の波長を持つ光信号を該第１の入出射ポートへ向けて伝達する第４の光伝達手段とを有する光合分波器が得られる。
【００４２】
この光合分波器において、第１の光伝達手段は、筐体にあっての第１の側面と第２の側面との間に配置されると共に、第１の波長及び第２の波長を持つ光信号を透過し、第３の波長及び第４の波長を持つ光信号を反射する第１の波長フィルタと、第２の入出射ポートの近傍で第１の波長フィルタと第２の側面との間に配置されると共に、第１の波長を持つ光信号を透過し、且つ第２の波長を持つ光信号を反射する第２の波長フィルタとから成ること、第２の光伝達手段は、第１の波長フィルタと、第２の波長フィルタと、第３の入出射ポートの近傍に配置されると共に、第２の波長を持つ光信号のみを透過する第３の波長フィルタと、第２の波長フィルタで反射された第２の波長を持つ光信号を第３の波長フィルタへ向けて反射すると共に、第３の入出射ポートから筐体内に入射されて該第３の波長フィルタを透過した該第２の波長を持つ光信号を該第２の波長フィルタへ向けて反射する第１の反射手段とから成ること、第３の光伝達手段は、第１の波長フィルタと、第４の入出射ポートの近傍に配置されると共に、第３の波長を持つ光信号を透過し、且つ第４の波長を持つ光信号を反射する第４の波長フィルタと、筐体の第１の側面側に配置されると共に、第１の波長フィルタで反射された第３の波長及び第４の波長を持つ光信号を第４の波長フィルタへ向けて反射し、且つ第４の入出射ポートから筐体内に入射されて該第４の波長フィルタを透過した該第３の波長を持つ光信号と該第４の波長フィルタで反射された該第４の波長を持つ光信号とを該第１の波長フィルタへ向けて反射する第２の反射手段とから成ること、第４の光伝達手段は、第１の波長フィルタと、第４の波長フィルタと、第５の入出射ポートの近傍に配置されると共に、第４の波長を持つ光信号のみを透過する第５の波長フィルタと、第４の波長フィルタで反射された第４の波長を持つ光信号を第５の波長フィルタへ向けて反射し、且つ第５の入出射ポートから筐体内に入射されて該第５の波長フィルタを透過した該第４の波長を持つ光信号を該第４の波長フィルタへ向けて反射する第３の反射手段とから成ることは、それぞれ好ましい。更に、この光合分波器において、第１の反射手段乃至第３の反射手段は、それぞれ一枚のミラーで構成されたことも好ましい。
【００４３】
又、本発明によれば、上記光合分波器において、第１の光伝達手段は、第２の入出射ポートの近傍に配置されると共に、第１の波長を持つ光信号のみを透過し、且つ第２の波長乃至第４の波長を持つ光信号を反射する第１の波長フィルタから成る光合分波器が得られる。
【００４４】
この光合分波器において、第２の光伝達手段は、第１の波長フィルタと、第３の入出射ポートの近傍に配置されると共に、第２の波長を持つ光信号のみを透過し、且つ第３の波長及び第４の波長を持つ光信号を反射する第２の波長フィルタと、筐体の第１の側面側に配置されると共に、第１の波長フィルタで反射された第２の波長乃至第４の波長を持つ光信号を第２の波長フィルタへ向けて反射し、且つ第３の入出射ポートから入射されて該第２の波長フィルタを透過した該第２の波長の光信号を該第１の波長フィルタへ向けて反射する第１の反射手段とから成ること、第３の光伝達手段は、第１の波長フィルタと、第２の波長フィルタと、第４の入出射ポートの近傍に配置されると共に、第３の波長を持つ光信号のみを透過し、且つ第４の波長を持つ光信号を反射する第３の波長フィルタと、筐体内の第１の側面側に配置されると共に、第２の波長フィルタで反射された第３の波長及び第４の波長を持つ光信号を第３の波長フィルタへ向けて反射し、且つ第４の入出射ポートから入射されて該第３の波長フィルタを透過した該第３の波長の光信号を該第２の波長フィルタへ向けて反射する第２の反射手段とから成ること、第４の光伝達手段は、第１の波長フィルタと、第２の波長フィルタと、第３の波長フィルタと、第５の入出射ポートの近傍に配置されると共に、第４の波長を持つ光信号のみを透過する第４の波長フィルタと、筐体内の第１の側面側に配置されると共に、第３の波長フィルタで反射された第４の波長を持つ光信号を第４の波長フィルタへ向けて反射し、且つ第５の入出射ポートから入射されて該第４の波長フィルタを透過した該第４の波長の光信号を第３の波長フィルタへ向けて反射する第３の反射手段とから成ることは、それぞれ好ましい。更に、この光合分波器において、第１の反射手段乃至第３の反射手段は、一枚のミラーで構成されていることも好ましい。
【００４５】
加えて、本発明によれば、互いに異なる第１の波長乃至第Ｐ（Ｐは３以上の整数とする）の波長から成る波長群を持つ光信号を合波／分波するための光合分波器であって、互いに対向する第１の側面及び第２の側面を持つ筐体と、筐体の第１の側面に配置された第１の入出射ポートと、筐体の第２の側面に配置された第２の入出射ポート乃至第（Ｐ＋１）の入出射ポートとを備え、第１の入出射ポートは、波長群を持つ光信号を筐体に対して入出射するためのものであり、第２の入出射ポート乃至第（Ｐ＋１）の入出射ポートは、それぞれ第１の波長乃至第Ｐの波長を持つ光信号を入出射するためのものであり、筐体は、第１の光伝達手段乃至第Ｐの光伝達手段を備え、第ｐ（ｐはＰ以下の正の整数とする）の光伝達手段は、第１の入出射ポートから入射した第ｐの波長を持つ光信号を第（ｐ＋１）の入出射ポートへ向けて伝達し、且つ該第（ｐ＋１）の入出射ポートから入射した該第ｐの波長を持つ光信号を該第１の入出射ポートへ向けて伝達する光合分波器が得られる。
【００４６】
又、本発明によれば、互いに異なる第１の波長乃至第Ｐ（Ｐは３以上の整数とする）の波長から成る波長群を持つ光信号を合波するための光合波器であって、互いに対向する第１の側面及び第２の側面を持つ筐体と、筐体の第１の側面に配置された出射ポートと、筐体の第２の側面に配置された第１の入射ポート乃至第Ｐの入射ポートとを備え、出射ポートは、波長群を持つ光信号を筐体から出射するためのものであり、第１の入射ポート乃至第Ｐの入射ポートは、それぞれ第１の波長乃至第Ｐの波長を持つ光信号を入射するためのものであり、筐体は、第１の光伝達手段乃至第Ｐの光伝達手段を備え、第ｐ（ｐはＰ以下の正の整数とする）の光伝達手段は、第ｐの入射ポートから入射した第ｐの波長を持つ光信号を前記出射ポートへ向けて伝達する光合波器が得られる。
【００４７】
更に、本発明によれば、互いに異なる第１の波長乃至第Ｐ（Ｐは３以上の整数とする）の波長から成る波長群を持つ光信号を分波するための光分波器であって、互いに対向する第１の側面及び第２の側面を持つ筐体と、筐体の第１の側面に配置された入射ポートと、筐体の第２の側面に配置された第１の出射ポート乃至第Ｐの出射ポートとを備え、入射ポートは、波長群を持つ光信号を筐体に入射するためのものであり、第１の出射ポート乃至第Ｐの出射ポートは、それぞれ第１の波長乃至第Ｐの波長を持つ光信号を出射するためのものであり、筐体は、第１の光伝達手段乃至第Ｐの光伝達手段を備え、第ｐ（ｐはＰ以下の正の整数とする）の光伝達手段は、入射ポートから入射した第ｐの波長を持つ光信号を第ｐの出射ポートへ向けて伝達する光分波器が得られる。
【００４８】
一方、本発明によれば、互いに対向する第１の側面及び第２の側面を持つ筐体と、筐体の第１の側面に配置された第１の入出射ポート及び第２入出射ポートと、筐体の第２の側面に配置された第３の入出射ポート乃至第６の入出射ポートとを備え、第１の入出射ポートは、互いに異なる第１の波長乃至第４の波長から成る第１の波長群を持つ光信号とそれ以外の波長から成る第２の波長群を持つ光信号とを筐体に対して入出射するためのものであり、第２の入出射ポートは、第２の波長群の光信号を筐体に対して入出射するためのものであり、第３の入出射ポート乃至第６の入出射ポートは、それぞれ第１の波長乃至第４の波長を持つ光信号を入出射するためのものであり、筐体は、第１の入出射ポート及び第２の入出射ポートの近傍に配置されると共に、該第１の入出射ポートから入射した光信号のうちの第１の波長群を持つ光信号を透過し、且つ第２の波長群を持つ光信号を該第２の入出射ポートへ向けて反射し、更に、該第２の入出射ポートから入射した該第２の波長群を持つ光信号を反射し、且つ該反射した該第２の波長群を持つ光信号を第２の側面側から入射される該第１の波長群を持つ光信号と合波して該第１の入出射ポートへ向けて出射する透過／反射手段と、第１の入出射ポートから透過／反射手段を介して入射した第１の波長を持つ光信号を第３の入出射ポートへ向けて伝達すると共に、該第３の入出射ポートから入射した該第１の波長を持つ光信号を該透過／反射手段を介して該第１の入出射ポートへ向けて伝達する第１の光伝達手段と、第１の入出射ポートから透過／反射手段を介して入射した第２の波長を持つ光信号を第４の入出射ポートへ向けて伝達すると共に、該第４の入出射ポートから入射した該第２の波長を持つ光信号を該透過／反射手段を介して該第１の入出射ポートへ向けて伝達する第２の光伝達手段と、第１の入出射ポートから透過／反射手段を介して入射した第３の波長を持つ光信号を第５の入出射ポートへ向けて伝達すると共に、該第５の入出射ポートから入射した該第３の波長を持つ光信号を該透過／反射手段を介して該第１の入出射ポートへ向けて伝達する第３の光伝達手段と、第１の入出射ポートから透過／反射手段を介して入射した第４の波長を持つ光信号を第６の入出射ポートへ向けて伝達すると共に、該第６の入出射ポートから入射した該第４の波長を持つ光信号を該透過／反射手段を介して該第１の入出射ポートへ向けて伝達する第４の光伝達手段とを有する光合分波器が得られる。
【００４９】
この光合分波器において、第１の光伝達手段は、透過／反射手段と筐体の第２の側面との間に配置されると共に、第１の波長及び第２の波長を持つ光信号を透過し、且つ第３の波長及び第４の波長を持つ光信号を反射する第１の波長フィルタと、第３の入出射ポートの近傍で第１の波長フィルタと第２の側面との間に配置されると共に、第１の波長を持つ光信号を透過し、且つ第２の波長を持つ光信号を反射する第２の波長フィルタとから成ること、第２の光伝達手段は、第１の波長フィルタ及び第２の波長フィルタと、第４の入出射ポートの近傍に配置されると共に、第２の波長を持つ光信号のみを透過する第３の波長フィルタと、第２の波長フィルタで反射された第２の波長を持つ光信号を第３の波長フィルタへ向けて反射すると共に、第４の入出射ポートから筐体内に入射されて該第３の波長フィルタを透過した該第２の波長を持つ光信号を該第２の波長フィルタへ向けて反射する第１の反射手段とから成ること、第３の光伝達手段は、第１の波長フィルタと、第５の入出射ポートの近傍に配置されると共に、第３の波長を持つ光信号を透過し、且つ第４の波長を持つ光信号を反射する第４の波長フィルタと、筐体の第１の側面側に配置されると共に、第１の波長フィルタで反射された第３の波長及び第４の波長を持つ光信号を第４の波長フィルタへ向けて反射し、更に第５の入出射ポートから該筐体内に入射されて該第４の波長フィルタを透過した該第３の波長を持つ光信号と第４の波長フィルタで反射された該第４の波長を持つ光信号とを該第１の波長フィルタへ向けて反射する第２の反射手段とから成ること、第４の光伝達手段は、第１の波長フィルタ及び第４の波長フィルタと、第６の入出射ポートの近傍に配置されると共に、第４の波長を持つ光信号のみを透過する第５の波長フィルタと、第４の波長フィルタで反射された第４の波長を持つ光信号を第５の波長フィルタへ向けて反射すると共に、第６の入出射ポートから筐体内に入射されて該第５の波長フィルタを透過した該第４の波長を持つ光信号を該第４の波長フィルタへ向けて反射する第３の反射手段とから成ることは、それぞれ好ましい。更に、この光合分波器において、第１の反射手段乃至第３の反射手段は、一枚のミラーで構成されたことも好ましい。
【００５０】
他方、本発明によれば、上記光合分波器において、第１の光伝達手段は、第３の入出射ポートの近傍に配置されると共に、第１の波長を持つ光信号のみを透過し、且つ第２の波長乃至第４の波長を持つ光信号を反射する第１の波長フィルタから成る光合分波器が得られる。
【００５１】
この光合分波器において、第２の光伝達手段は、第１の波長フィルタと、第４の入出射ポートの近傍に配置されると共に、第２の波長を持つ光信号のみを透過し、且つ第３の波長及び第４の波長を持つ光信号を反射する第２の波長フィルタと、筐体の第１の側面側に配置されると共に、第１の波長フィルタで反射された第２の波長乃至第４の波長を持つ光信号を第２の波長フィルタへ向けて反射し、更に第４の入出射ポートから入射されて該第２の波長フィルタを透過した該第２の波長の光信号を該第１の波長フィルタへ向けて反射する第１の反射手段とから成ること、第３の光伝達手段は、第１の波長フィルタ及び第２の波長フィルタと、第５の入出射ポートの近傍に配置されると共に、第３の波長を持つ光信号のみを透過し、且つ第４の波長を持つ光信号を反射する第３の波長フィルタと、筐体内の第１の側面側に配置されると共に、第２の波長フィルタで反射された第３の波長及び第４の波長を持つ光信号を第３の波長フィルタへ向けて反射し、更に第５の入出射ポートから入射されて該第３の波長フィルタを透過した該第３の波長の光信号を該第２の波長フィルタへ向けて反射する第２の反射手段とから成ること、第４の光伝達手段は、第１の波長フィルタ，第２の波長フィルタ，及び第３の波長フィルタと、第６の入出射ポートの近傍に配置されると共に、第４の波長を持つ光信号のみを透過する第４の波長フィルタと、筐体内の第１の側面側に配置されると共に、第３の波長フィルタで反射された第４の波長を持つ光信号を第４の波長フィルタへ向けて反射し、更に第６の入出射ポートから入射されて該第４の波長フィルタを透過した該第４の波長の光信号を該第３の波長フィルタへ向けて反射する第３の反射手段とから成ることは、それぞれ好ましい。更に、この光合分波器において、第１の反射手段乃至第３の反射手段は、一枚のミラーで構成されたことも好ましい。
【００５２】
又、本発明によれば、互いに異なる第１の波長乃至第Ｐ（但し、Ｐは３以上の整数とする）の波長から成る第１の波長群を持つ光信号を他の光信号に合波／分波するか、或いは該第１の波長群を持つ光信号を該他の光信号から合波／分波するための光合分波器であって、互いに対向する第１の側面及び第２の側面を持つ筐体と、筐体の第１の側面に配置された第１の入出射ポート及び第２の入出射ポートと、筐体の第２の側面に配置された第３の入出射ポート乃至第（Ｐ＋２）の入出射ポートとを備え、第１の入出射ポートは、第１の波長群を持つ光信号とそれ以外の波長から成る第２の波長群を持つ光信号とを筐体に対して入出射するためのものであり、第２の入出射ポートは、第２の波長群の光信号を筐体に対して入出射するためのものであり、第３の入出射ポート乃至（Ｐ＋２）の入出射ポートは、それぞれ第１の波長乃至第Ｐの波長を持つ光信号を入出射するためのものであり、筐体は、第１の入出射ポート及び第２の入出射ポートの近傍に配置された透過／反射手段と、第１の光伝達手段乃至第Ｐの伝達手段とを備え、透過／反射手段は、第１の入出射ポートから入射した光信号のうちの第１の波長群を持つ光信号を透過し、且つ第２の波長群を持つ光信号を第２の入出射ポートへ向けて反射し、更に該第２の入出射ポートから入射した該第２の波長群を持つ光信号を反射し、且つ該反射した該第２の波長群を持つ光信号を第２の側面側から入射される該第１の波長群を持つ光信号と合波して該第１の入出射ポートへ向けて出射し、第ｐ（ｐはＰ以下の正の整数）の光伝達手段は、第１の入出射ポートから透過／反射手段を介して入射した第ｐの波長を持つ光信号を第（ｐ＋２）の入出射ポートへ向けて伝達し、更に該第（ｐ＋２）の入出射ポートから入射した該第ｐの波長を持つ光信号を該透過／反射手段を介して該第１の入出射ポートへ向けて伝達することを特徴とする光合分波器。
【００５３】
ところで、本発明によれば、上記光合分波器の複数個のものを直列／並列に接続して成る光合分波ユニットも得られる。
【００５４】
更に、本発明によれば、２以上の自然数Ｎに対してＰ×Ｎ（但し、Ｐは３以上の整数とする）波長に対応できるように、第１の光合分波器乃至第Ｎの光合分波器を縦続接続して構成された光合分波ユニットであって、第ｎ（但し、Ｎ、ｎは１≦ｎ≦Ｎなる関係を満たす整数とする）の光合分波器は、第｛Ｐ（ｎ−１）＋１｝の波長乃至第Ｐｎの波長から成る第ｎの波長群を持つ光信号を他の光信号に分波／合波するか、或いは該第ｎの波長群を持つ光信号を該他の光信号から分波／合波するためのものであり、第１の光合分波器乃至第Ｎの光合分波器は、それぞれ第１の筐体乃至第Ｎの筐体を有し、第１の筐体乃至第Ｎの筐体は、それぞれ互いに対向する第１の側面及び第２の側面を持ち、第ｎの光合分波器は、Ｐ＋２に等しいＱに対し、第ｎの筐体の第１の側面に配置された第｛Ｑ（ｎ−１）＋１｝の入出射ポート及び第｛Ｑ（ｎ−１）＋２｝の入出射ポートと、第ｎの筐体の第２の側面に配置された第｛Ｑ（ｎ−１）＋３｝の入出射ポート乃至第Ｑｎの入出射ポートとを備え、第｛Ｑ（ｎ−１）＋１｝の入出射ポートは、第ｎの波長群を持つ光信号と第（ｎ＋１）の波長群乃至第Ｎの波長群を持つ光信号とを第ｎの筐体に対して入出射するためのものであり、第｛Ｑ（ｎ−１）＋２｝の入出射ポートは、第（ｎ＋１）の波長群乃至第Ｎの波長群の光信号を第ｎの筐体に対して入出射するためのものであり（但し、ｎがＮに等しい場合には光信号の入出射が無い状態を示す）、第｛Ｑ（ｎ−１）＋３｝の入出射ポート乃至第Ｑｎの入出射ポートは、それぞれ第｛Ｐ（ｎ−１）＋１｝の波長乃至第Ｐｎの波長を持つ光信号を入出射するためのものであり、第ｎの筐体の第｛Ｑ（ｎ−１）＋２｝の入出射ポートは、第（ｎ＋１）の筐体の第（Ｑｎ＋１）の入出射ポートと光学的に結合されている（但し、ｎがＮに等しい場合には接続先が無い状態を示す）光合分波ユニットが得られる。
【００５５】
この光合分波ユニットにおいて、第ｎの筐体は、第｛Ｑ（ｎ−１）＋１｝の入出射ポート及び第｛Ｑ（ｎ−１）＋２｝の入出射ポートの近傍に配置された第ｎの透過／反射手段と、第｛Ｐ（ｎ−１）＋１｝の光伝達手段乃至第Ｐｎの光伝達手段とを備え、ｎの透過／反射手段は、第｛Ｑ（ｎ−１）＋１｝の入出射ポートから入射した光信号のうちの第ｎの波長群を持つ光信号を透過し、且つ第（ｎ＋１）の波長群乃至第Ｎの波長群を持つ光信号を第｛Ｑ（ｎ−１）＋２｝の入出射ポートへ向けて反射し、更に該第｛Ｑ（ｎ−１）＋２｝の入出射ポートから入射した該第（ｎ＋１）の波長群乃至該第Ｎの波長群を持つ光信号を反射し、且つ該反射した該第（ｎ＋１）の波長群乃至該第Ｎの波長群を持つ光信号を第２の側面側から入射される該第ｎの波長群を持つ光信号と合波して該第｛Ｑ（ｎ−１）＋１｝の入出射ポートへ向けて出射し、第｛Ｐ（ｎ−１）＋１｝の光伝達手段乃至第Ｐｎの光伝達手段は、それぞれ第｛Ｑ（ｎ−１）＋１｝の入出射ポートから第ｎの透過／反射手段を介して入射した第｛（Ｐ（ｎ−１）＋１）の波長乃至Ｐｎの波長を持つ光信号を第｛Ｑ（ｎ−１）＋３｝乃至第Ｑｎの入出射ポートへ向けて伝達し、更に該第｛Ｑ（ｎ−１）＋３｝乃至該第Ｑｎの入出射ポートから入射した該第｛Ｐ（ｎ−１）＋１｝乃至該第Ｐｎの波長を持つ光信号を該第ｎの透過／反射手段を介して該第｛Ｑ（ｎ−１）＋１｝の入出射ポートへ向けて伝達することは好ましい。
【００５６】
他方、本発明によれば、３本の光線を透過可能に形成された筐体にあっての対向する壁面の一方側の外方近傍に１つの入出射ポートを備えると共に、他方側の外方近傍に２つの入出射ポートを備え、且つ２つの異なる波長の光を該２つの入出射ポートから別々に入射して該１つの入出射ポートへ合波するか、或いは該１つの入出射ポートから入射して該２つの入出射ポートへ分波することにより双方向での入出射が可能な光合分波器であって、２つの異なる波長にあっての一方の波長の光を透過し、且つ他方の波長の光を反射する波長フィルタと、他方の波長の光を全反射する全反射ミラーとが筐体内に配備され、更に、１つの入出射ポートと２つの入出射ポートにあっての一方の入出射ポートとは、それぞれ入出射する光線の光軸がほぼ一致するように略直線上に配置され、波長フィルタは、光軸上に所定の角度で配置され、全反射ミラーは、２つの入出射ポートにあっての他方の入出射ポートで入出射する光線の光軸が１つの入出射ポートから該２つの入出射ポートにあっての一方の入出射ポートへ結合される光線の光軸に対してほぼ平行となるように、該２つの入出射ポートにあっての他方の入出射ポートに入出射する光線の光軸に対して所定の角度で所定の位置に配置され、一方の波長の光は、１つの入出射ポートと２つの入出射ポートにあっての一方の入出射ポートとの間で波長フィルタを介して光学的に結合され、他方の波長の光は、１つの入出射ポートと２つの入出射ポートにあっての他方の入出射ポートとの間で波長フィルタ及び全反射ミラーを介して光学的に結合される光合分波器が得られる。
【００５７】
更に、本発明によれば、５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、４つの異なる波長にあっての第１の波長及び第２の波長の光を透過し、且つ第３の波長及び第４の波長の光を反射する第１の波長フィルタと、第１の波長の光を透過し、且つ第２の波長の光を反射する第２の波長フィルタと、第２の波長の光のみを透過する第３の波長フィルタと、第３の波長の光を透過し、且つ第４の波長の光を反射する第４の波長フィルタと、第４の波長の光のみを透過する第５の波長フィルタと、第２の波長の光を全反射する第１の全反射ミラーと、第３の波長及び第４の波長の光を全反射する第２の全反射ミラーと、第４の波長の光を全反射する第３の全反射ミラーとが筐体内に配備され、更に、１つの入出射ポートと４つの入出射ポートにあっての第１の入出射ポートとは、それぞれ入出射する光線の光軸をほぼ一致するように略直線上に配置され、第１の波長フィルタ及び第２の波長フィルタは、それぞれ光軸上に所定の角度で配置され、第１の全反射ミラー，第２の全反射ミラー，及び第３の全反射ミラーは、４つの入出射ポートにあっての第２の入出射ポート，第３の入出射ポート，及び第４の入出射ポートに入出射する光線の光軸が１つの入出射ポートから第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、第３の波長フィルタ，第４の波長フィルタ，及び第５の波長フィルタは、それぞれの光軸に対してそれぞれ所定の角度で配置され、第１の波長の光は、１つの入出射ポートと第１の入出射ポートとの間で第１の波長フィルタ及び第２の波長フィルタを介して光学的に結合され、第２の波長の光は、１つの入出射ポートと第２の入出射ポートとの間で第１の波長フィルタ，第２の波長フィルタ，並びに第３の波長フィルタと第１の全反射ミラーとを介して光学的に結合され、第３の波長の光は、１つの入出射ポートと第３の入出射ポートとの間で第１の波長フィルタ及び第４の波長フィルタと第２の全反射ミラーとを介して光学的に結合され、第４の波長の光は、１つの入出射ポートと第４の入出射ポートとの間で第１の波長フィルタ，第４の波長フィルタ，並びに第５の波長フィルタと第２の全反射ミラー及び第３の全反射ミラーとを介して光学的に結合される光合分波器が得られる。
【００５８】
加えて、本発明によれば、７本の光線を透過可能に形成された筐体にあっての対向する壁面の一方側の外方近傍に３つの入出射ポートを備えると共に、他方側の外方近傍に４つの入出射ポートを備え、且つ６つの異なる波長の光を該３つの入出射ポートと該４つの入出射ポートにあっての第２の入出射ポート，第３の入出射ポート，及び第４の入出射ポートとから別々に入射して該４つの入出射ポートにあっての第１の入出射ポートへ合波するか、或いは該第１の入出射ポートから入射して該３つの入出射ポートと該４つの入出射ポートにあっての第２の入出射ポート，第３の入出射ポート，及び第４の入出射ポートとへ分波することにより双方向での入出射が可能な光合分波器であって、６つの異なる波長にあっての第１の波長，第２の波長，及び第３の波長の光を透過し、且つ第４の波長，第５の波長，及び第６の波長の光を反射する第１の波長フィルタと、第１の波長の光を透過し、且つ第２の波長及び第３の波長の光を反射する第２の波長フィルタと、第２の波長の光を透過し、且つ第３の波長の光を反射する第３の波長フィルタと、第３の波長の光のみを透過する第４の波長フィルタと、第４の波長の光を透過し、且つ第５の波長及び第６の波長の光を反射する第５の波長フィルタと、第５の波長の光を透過し、且つ第６の波長の光を反射する第６の波長フィルタと、第６の波長の光のみを透過する第７の波長フィルタと、第２の波長及び第３の波長の光を反射する第１のミラー面と第５の波長及び第６の波長の光を反射する第２のミラー面とをそれぞれ片側に備えた全反射ミラーとが筐体内に配備され、更に、第１の入出射ポートと３つの入出射ポートにあっての第１の入出射ポートとは、それぞれ入出射する光線の光軸がほぼ一致するように略直線上に配置され、第１の波長フィルタ及び第２の波長フィルタは、光軸上にそれぞれ所定の角度で配置され、第３の波長フィルタ，第４の波長フィルタ，及び全反射ミラーは、３つの入出射ポートにあっての第２の入出射ポート及び第３の入出射ポートに入出射する光線の光軸が４つの入出射ポートにあっての第１の入出射ポートから該３つの入出射ポートにあっての第１の入出射ポートへ結合される光線の光軸に対してほぼ平行となるように、該３つの入出射ポートにあっての該第２の入出射ポート及び該第３の入出射ポートに入出射する光線の光軸に対して所定の角度で所定の位置に配置され、４つの入出射ポートにあっての第２の入出射ポートと第５の波長フィルタとは、第１の波長フィルタで反射する光の方向に光軸が一致するように配置され、４つの入出射ポートにあっての第３の入出射ポート及び第４の入出射ポートと第６の波長フィルタ及び第７の波長フィルタとは、該４つの入出射ポートにあっての第３の入出射ポート及び第４の入出射ポートに入出射する光線の光軸が該４つの入出射ポートにあっての第２の入出射ポートの光軸に対してほぼ平行となるように所定の角度で所定の位置に配置され、第１の波長の光は、４つの入出射ポートにあっての第１の入出射ポートと３つの入出射ポートにあっての第１の入出射ポートとの間で第１の波長フィルタ及び第２の波長フィルタを介して光学的に結合され、第２の波長の光は、４つの入出射ポートにあっての第１の入出射ポートと３つの入出射ポートにあっての第２の入出射ポートとの間で第１の波長フィルタ，第２の波長フィルタ，並びに第３の波長フィルタと全反射ミラーとを介して光学的に結合され、第３の波長の光は、４つの入出射ポートにあっての第１の入出射ポートと３つの入出射ポートにあっての第３の入出射ポートとの間で第１の波長フィルタ，第２の波長フィルタ，第３の波長フィルタ，並びに第４の波長フィルタと全反射ミラーとを介して光学的に結合され、第４の波長の光は、４つの入出射ポートにあっての第１の入出射ポート及び第２の入出射ポートの間で第１の波長フィルタ及び第５の波長フィルタと全反射ミラーとを介して光学的に結合され、第５の波長の光は、４つの入出射ポートにあっての第１の入出射ポート及び第３の入出射ポートの間で第１の波長フィルタ，第５の波長フィルタ，並びに第６の波長フィルタと全反射ミラーとを介して光学的に結合され、第６の波長の光は、４つの入出射ポートにあっての第１の入出射ポート及び第４の入出射ポートの間で第１の波長フィルタ，第５の波長フィルタ，第６の波長フィルタ，並びに第７の波長フィルタと全反射ミラーとを介して光学的に結合される光合分波器が得られる。
【００５９】
その他、本発明によれば、５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、４つの異なる波長にあっての第１の波長の光を透過し、且つ他の第２の波長，第３の波長，及び第４の波長の光を反射する第１の波長フィルタと、第２の波長の光を透過し、且つ第３の波長及び第４の波長の光を反射する第２の波長フィルタと、第３の波長の光を透過し、且つ第４の波長の光を反射する第３の波長フィルタと、第４の波長の光のみを透過する第４の波長フィルタと、第２の波長，第３の波長，及び第４の波長の光を全反射する全反射ミラーと、第１の波長フィルタ乃至第４の波長フィルタと全反射ミラーとを固定した透光性基板とが筐体内に配備され、更に、１つの入出射ポートと４つの入出射ポートにあっての第１の入出射ポートとはそれぞれ入出射する光線の光軸がほぼ一致するように略直線上に配置され、透光性基板に固定された第１の波長フィルタは、光軸上に所定の角度で配置され、透光性基板に固定された全反射ミラーは、４つの入出射ポートにあっての第２の入出射ポート，第３の入出射ポート，及び第４の入出射ポートに入出射する光線の光軸が１つの入出射ポートから第１の入出射ポートへ結合される光線の光軸に対してほぼ平行となるように、該第２の入出射ポート，該第３の入出射ポート，及び該第４の入出射ポートに入出射する光線の光軸に対して所定の角度で所定の位置に配置され、透光性基板に固定された第２の波長フィルタ，第３の波長フィルタ，及び第４の波長フィルタは、それぞれの光軸に対してそれぞれ所定の角度で配置され、第１の波長の光は、１つの入出射ポートと第１の入出射ポートとの間で透光性基板に固定された第１の波長フィルタを介して光学的に結合され、第２の波長の光は、１つの入出射ポートと第２の入出射ポートとの間で透光性基板にそれぞれ固定された第２の波長フィルタ及び第３の波長フィルタと全反射ミラーとを介して光学的に結合され、第３の波長の光は、１つの入出射ポートと第３の入出射ポートとの間で透光性基板にそれぞれ固定された第１の波長フィルタ，第２の波長フィルタ，並びに第３の波長フィルタと全反射ミラーとを介して光学的に結合され、第４の波長の光は、１つの入出射ポートと第４の入出射ポートとの間で透光性基板にそれぞれ固定された第１の波長フィルタ，第２の波長フィルタ，第３の波長フィルタ，並びに第４の波長フィルタと全反射ミラーとを介して光学的に結合される光合分波器が得られる。
【００６０】
又、本発明によれば、５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、４つの異なる波長にあっての第１の波長及び第２の波長の光を透過し、且つ第３の波長及び第４の波長の光を反射する第１の波長フィルタと、第１の波長の光を透過し、且つ第２の波長の光を反射する第２の波長フィルタと、第２の波長の光のみを透過する第３の波長フィルタと、第３の波長の光を透過し、且つ第４の波長の光を反射する第４の波長フィルタと、第４の波長の光のみを透過する第５の波長フィルタと、第２の波長の光を全反射する第１の全反射ミラーと、第３の波長及び第４の波長の光を全反射する第２の全反射ミラーと、第４の波長の光を全反射する第３の全反射ミラーと、第１の波長フィルタ乃至第５の波長フィルタと第１の全反射ミラー及び第３の全反射ミラーとを固定した透光性基板とが筐体内に配備され、更に、１つの入出射ポートと４つの入出射ポートにあっての第１の入出射ポートとは、それぞれ入出射する光線の光軸をほぼ一致するように略直線上に配置され、透光性基板に固定された第１の波長フィルタ及び第２の波長フィルタは、それぞれ光軸上に所定の角度で配置され、透光性基板に固定された第１の全反射ミラー及び第３の全反射ミラーと第２の全反射ミラーとは、４つの入出射ポートにあっての第２の入出射ポート，第３の入出射ポート，及び第４の入出射ポートに入出射する光線の光軸が１つの入出射ポートから第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、透光性基板に固定された第３の波長フィルタ，第４の波長フィルタ，及び第５の波長フィルタは、それぞれの光軸に対してそれぞれ所定の角度で配置され、第１の波長の光は、１つの入出射ポートと第１の入出射ポートとの間で透光性基板に固定された第１の波長フィルタ及び第２の波長フィルタを介して光学的に結合され、第２の波長の光は、１つの入出射ポートと第２の入出射ポートとの間で透光性基板にそれぞれ固定された第１の波長フィルタ，第２の波長フィルタ，並びに第３の波長フィルタと第１の全反射ミラーとを介して光学的に結合され、第３の波長の光は、１つの入出射ポートと第３の入出射ポートとの間で透光性基板に固定された第１の波長フィルタ及び第４の波長フィルタと第２の全反射ミラーとを介して光学的に結合され、第４の波長の光は、１つの入出射ポートと第４の入出射ポートとの間で透光性基板に固定された第１の波長フィルタ，第４の波長フィルタ，並びに第５の波長フィルタと第２の全反射ミラー及び該透光性基板に固定された第３の全反射ミラーとを介して光学的に結合される光合分波器が得られる。
【００６１】
更に、本発明によれば、５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、４つの異なる波長にあっての第１の波長及び第２の波長の光を透過し、且つ第３の波長及び第４の波長の光を反射する第１の波長フィルタと、第１の波長の光を透過し、且つ第２の波長の光を反射する第２の波長フィルタと、第２の波長の光のみを透過する第３の波長フィルタと、第３の波長の光を透過し、且つ第４の波長の光を反射する第４の波長フィルタと、第４の波長の光のみを透過する第５の波長フィルタと、第２の波長の光を全反射する第１の全反射ミラーと、第３の波長及び第４の波長の光を全反射する第２の全反射ミラーと、第４の波長の光を全反射する第３の全反射ミラーと、３つの全反射ミラーと第１の波長フィルタとを固定した第１の透光性基板と、第１の波長フィルタ乃至第５の波長フィルタと第１の全反射ミラー及び第３の全反射ミラーとを固定した第２の透光性基板とが筐体内に配備され、更に、１つの入出射ポートと４つの入出射ポートにあっての第１の入出射ポートとは、それぞれ入出射する光線の光軸をほぼ一致するように略直線上に配置され、第１の透光性基板及び第２の透光性基板に固定された第１の波長フィルタと該第２の透光性基板に固定された第２の波長フィルタとは、それぞれ光軸上に所定の角度で配置され、第１の透光性基板及び第２の透光性基板に固定された第１の全反射ミラー，該第１の透光性基板に固定された第２の全反射ミラー，並びに該第１の透光性基板及び該第２の透光性基板に固定された第３の全反射ミラーは、４つの入出射ポートにあっての第２の入出射ポート，第３の入出射ポート，及び第４の入出射ポートに入出射する光線の光軸が１つの入出射ポートから第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、第２の透光性基板にそれぞれ固定された第３の波長フィルタ，第４の波長フィルタ，及び第５の波長フィルタは、それぞれの光軸に対してそれぞれ所定の角度で配置され、第１の波長の光は、１つの入出射ポートと第１の入出射ポートとの間で第１の透光性基板及び第２の透光性基板に固定された第１の波長フィルタと該第２の透光性基板に固定された第２の波長フィルタとを介して光学的に結合され、第２の波長の光は、１つの入出射ポートと第２の入出射ポートとの間で第１の透光性基板及び第２の透光性基板に固定された第１の波長フィルタ，該第２の透光性基板に固定された第２の波長フィルタ，並びに該第２の透光性基板に固定された第３の波長フィルタと該第１の透光性基板及び該第２の透光性基板に固定された第１の全反射ミラーとを介して光学的に結合され、第３の波長の光は、１つの入出射ポートと第３の入出射ポートとの間で第１の透光性基板及び第２の透光性基板に固定された第１の波長フィルタと該第２の透光性基板に固定された第４の波長フィルタと該第１の透光性基板に固定された第２の全反射ミラーとを介して光学的に結合され、第４の波長の光は、１つの入出射ポートと第４の入出射ポートとの間で第１の透光性基板及び第２の透光性基板に固定された第１の波長フィルタ，該第２の透光性基板に固定された第４の波長フィルタ，並びに該第２の透光性基板に固定された第５の波長フィルタと該第１の透光性基板に固定された第２の全反射ミラーと該第１の透光性基板及び該第２の透光性基板に固定された第３の全反射ミラーとを介して光学的に結合される光合分波器が得られる。
【００６２】
加えて、本発明によれば、５本の光線を透過可能に形成された筐体にあっての対向する壁面の一方側の外方近傍に１つの入出射ポートを備えると共に、他方側の外方近傍に４つの入出射ポートを備え、且つ４つの異なる波長の光を該４つの入出射ポートから別々に入射して該１つの入出射ポートへ合波するか、或いは該１つの入出射ポートから入射して該４つの入出射ポートへ分波することにより双方向での入出射が可能な光合分波器であって、４つの異なる波長にあっての第１の波長及び第２の波長の光を透過し、且つ第３の波長及び第４の波長の光を反射する第１の波長フィルタと、第１の波長の光を透過し、且つ第２の波長の光を反射する第２の波長フィルタと、第２の波長の光のみを透過する第３の波長フィルタと、第３の波長の光を透過し、且つ第４の波長の光を反射する第４の波長フィルタと、第４の波長の光のみを透過する第５の波長フィルタと、第３の波長の光及び第４の波長の光を全反射する第１の全反射ミラーと、２の波長の光を全反射する第２の全反射ミラーと、第４の波長の光を全反射する第３の全反射ミラーと、第１の全反射ミラー乃至第３の全反射ミラーと第１の波長フィルタとを固定した第１の透光性基板と、第１の波長フィルタ乃至第５の波長フィルタを固定した第２の透光性基板と、第１の透光性基板及び第２の透光性基板を固定した第３の透光性基板とが筐体内に配備され、更に、１つの入出射ポートと４つの入出射ポートにあっての第１の入出射ポートとは、それぞれ入出射する光線の光軸をほぼ一致するように略直線上に配置され、第１の透光性基板及び第２の透光性基板に固定された第１の波長フィルタと該第２の透光性基板に固定された第２の波長フィルタとは、それぞれ光軸上に所定の角度で配置され、第１の透光性基板にそれぞれ固定された第１の全反射ミラー，第２の全反射ミラー，及び第３の全反射ミラーは、４つの入出射ポートにあっての第２の入出射ポート，第３の入出射ポート，及び第４の入出射ポートに入出射する光線の光軸が１つの入出射ポートから第１の入出射ポートへ結合される光線の光軸に対してほぼ平行となるように、該第２の入出射ポート，該第３の入出射ポート，及び該第４の入出射ポートに入出射する光線の光軸に対してそれぞれ所定の角度で所定の位置に配置され、第２の透光性基板にそれぞれ固定された第３の波長フィルタ，第４の波長フィルタ，及び第５の波長フィルタと第３の透光性基板とは、それぞれの光軸に対してそれぞれ所定の角度で配置され、第１の波長の光は、１つの入出射ポートと第１の入出射ポートとの間で第１の透光性基板及び第２の透光性基板に固定された第１の波長フィルタと該第２の透光性基板に固定された第２の波長フィルタとを介して光学的に結合され、第２の波長の光は、１つの入出射ポートと第２の入出射ポートとの間で第１の透光性基板及び第２の透光性基板に固定された第１の波長フィルタ，該第２の透光性基板に固定された第２の波長フィルタ，並びに該第２の透光性基板に固定された第３の波長フィルタと該第１の透光性基板に固定された第２の全反射ミラーとを介して光学的に結合され、第３の波長の光は、１つの入出射ポートと第３の入出射ポートとの間で第１の透光性基板及び第２の透光性基板に固定された第１の波長フィルタと該第２の透光性基板に固定された第４の波長フィルタと該第１の透光性基板に固定された第１の全反射ミラーとを介して光学的に結合され、第４の波長の光は、１つの入出射ポートと第４の入出射ポートとの間で第１の透光性基板及び第２の透光性基板に固定された第１の波長フィルタ，該第２の透光性基板に固定された第４の波長フィルタ，並びに該第２の透光性基板に固定された第５の波長フィルタと該第１の透光性基板に固定された第１の全反射ミラー及び第３の全反射ミラーとを介して光学的に結合される光合分波器が得られる。
【発明の効果】
【００６３】
本発明の光モジュールにあっての第１の構成によれば、レーザダイオード及びファイバコリメータの間の結合効率を容易に高くすることが可能であり、レーザダイオードから出射された光を効率良くしかも短時間で十分離れた位置にあるファイバコリメータに結合することができるため、廉価に光モジュールを構成することができるようになる。第２の構成によれば、複数のレーザダイオードを有する光モジュールにおいて、筐体に対して任意の位置にレーザダイオードを配置することができ、各レーザダイオードの配置及び駆動用の電気・電子回路の配置が容易となるため、設計の自由度が増大するようになる。第３の構成によれば、第１の構成及び第２の構成による効果に加えて波長選択性が向上するようになる。第４の構成によれば、要求される伝送速度に応じた光モジュールの構築が可能となる。第５の構成によれば、波長フィルタ及びファイバコリメータの間に配置された光アイソレータが使用されるレーザダイオードの全波長範囲に対応するため、複数のレーザダイオードを備えた場合でも簡単な構成で各レーザダイオードからの発振光波長を安定化させて有効にファイバコリメータへ導くことができるようになり、且つ第４の構成を採用しなくても同様に要求される伝送速度に応じた光モジュールの構築が可能となる。第６の構成によれば、複数のフォトダイオードを有する光モジュールにおいて、筐体に対して任意の位置にフォトダイオードを配置することができ、各フォトダイオードの配置、及び駆動用の電気・電子回路の配置が容易となる。第７の構成によれば、第６の構成の効果に加えて波長選択性が向上するようになる。第８の構成によれば、上述した第１の構成及び第２の構成と第６の構成とによる効果を合わせ持ったものとなる。第９の構成によれば、第８の構成の効果に加えて波長選択性が向上するようになる。第１０の構成によれば、第８の構成及び第９の構成による効果に加えて要求される伝送速度に応じた光モジュールの構築が可能となる。更に、本発明の光モジュールは、単純に波長フィルタの数を増やしたり、或いは２波多重，４波多重の光モジュールを組み合わせることにより、４波以上の例えば８波多重，１６波多重等の光送信モジュールや光受信モジュール，或いは光送受信モジュールにも適用することができる上、波長間隔の非常に狭い高密度波長多重（ＤＷＤＭ）向けの光モジュールについても、レーザダイオード及びフォトダイオードと共に誘電体多層膜による波長フィルタを適宜組み合わせることで適用可能である。
【００６４】
又、本発明の光合分波器の場合、一形態のものでは筐体の第１の側面に第１の入出射ポートを配置し、筐体の第２の側面に第２の入出射ポート乃至第５の入出射ポートを配置し、筐体内に第１の光伝達手段乃至第４の光伝達手段を備えて空間的に光信号を結合させる構造を採用していることにより、筐体内にファイバの余長を収納するための空間を設ける必要がなく入出射ポートとしてのファイバコリメータの数量を少なくできるため、部品点数を削減できて部品の小型化が可能となリ、しかも挿入損失偏差を抑制できるようになる。更に、他形態の光合分波器の場合、筐体の第１の側面に第１の入出射ポート及び第２の入出射ポートを配置し、筐体の第２の側面に第３の入出射ポート乃至第６の入出射ポートを配置し、筐体内には透過／反射手段と第１の光伝達手段乃至第４の光伝達手段を備えて空間的に光信号を結合させる構造を採用しているので、ファイバコリメータの数量を少なくでき、筐体内にファイバの余長を収納するための空間を設ける必要がないことにより、部品点数を削減できると共に、部品を小型化し、挿入損失偏差を抑制した上で多段化構成による光合分波ユニットを構築することができるようになる。
【００６５】
更に、本発明の光合分波器の場合、所定数の光線を透過可能に形成された筐体外の対向する壁面の一方側及び他方側の外方近傍に対して要求される波長多重数に合わせて入出射ポート（それを持つファイバコリメータ）を備えると共に、筐体内で波長フィルタ及び全反射ミラーを適宜組み合わせて空間的に光を結合させる構造とした上で多数の異なる波長の光を合波又は分波する機能を構築しているため、入出射ポート（それを持つファイバコリメータ）の数量を少なくできることにより部品点数を削減できて低コスト化を図り得ると共に、筐体内にファイバの余長を収納するための空間を設ける必要がなくて部品を小型化することが可能となり、結果として要求される波長多重数に応じて入出射ポートの配置を簡単にしてモジュールを小型化し得る高性能な製品が得られるようになる。特に本発明の光合分波器の場合、筐体内に配備される波長フィルタ及び全反射ミラーには誘電体多層膜を用い、特定の波長に対して有効に全反射させることにより筐体の好ましい端面に入出射ポート（それを持つファイバコリメータ）を配置することができるため、光合分波器を小型化した上で低コストで高性能なものとして容易に構成することができるようになる。
【発明を実施するための最良の形態】
【００６６】
本発明の光モジールにおける最良の形態は、上述した第１の構成を基本とするもので、この上で第２の構成を採用するものである。或いは第６の構成や第８の構成を採用するものである。
【００６７】
これらの各構成において用いられる筐体には、ステンレス，ハステロイ，コバール等の金属、或いはガラス，プラスチック，セラミクス等のケースとして使用できる材料であれば如何なるものでも適用できる。レーザダイオードとしては、ファブリペローレーザ，分布帰還型レーザ（ＤＦＢレーザ）等を例示でき、面発光型のレーザダイオードを使用することもできるが、何れの場合もキャン，ミニディル，バタフライ等のパッケージに封止された構造として使用することが望ましい。
【００６８】
コリメータレンズや集光レンズとしては、非球面レンズ，球レンズ，ロッドレンズ，回折レンズ等を例示できる。ロッドレンズの場合には、更に端面をＣレンズに加工したものの他、ＧＲＩＮ（Ｇｒａｄｅｄ  Ｉｎｄｅｘ）レンズ，球レンズをロッド状に加工したＤレンズ等を例示できる。
【００６９】
波長フィルタとしては、光学ガラス基板上に誘電体多層膜を形成した構成のものを使用することが望ましい。ここでの光学ガラス基板において、基板ガラスとしては、石英ガラス，パイレックス（登録商標）ガラスの他、各種光学ガラスを用いることができ、基板としては、通常の光学ガラスの他、ポリイミド等の高分子基板であっても良く、全反射ミラーとして使用する場合には、金属や吸収性を持つガラスや結晶基板等を用いても問題は生じない。
【００７０】
ファイバコリメータとしては、ガラスやジルコニア、或いはプラスチックや金属製のキャピラリにファイバを挿入・固定し、端面を所定の角度及び精度で研磨したピグテールファイバと非球面レンズ，球レンズ，ロッドレンズ，回折レンズ等とを組み合わせたものを例示できる。
【００７１】
ファイバを内蔵するキャピラリとしては、各種ファイバを内蔵固定できること、並びに好ましい角度及び面精度でファイバ端面研磨が可能であれば、材質は如何なるものでも使用できるが、具体的にはジルコニアフェルール，ガラスフェルール，プラスチックフェルール，金属フェルール等を例示できる。キャピラリとレーザダイオードとの間に配置される集光レンズとしては、上述した非球面レンズ，球レンズ，ロッドレンズ，回折レンズ等を例示できる。
【００７２】
ところで、こうした光モジュールにおいて、レーザダイオードからの発振光の波長を安定化させるために光アイソレータをレーザダイオードに付加するようにして用いることもある。このような光アイソレータは、信号伝送速度が２．４ギガビット／秒以上であって、且つ伝送距離が１０ｋｍ以上である規格仕様が要求される場合に必須となるもので、基本的にはファラデー回転子，ガラス偏光子又は複屈折偏光子，及び磁石を組み合わせた構造のものである。ファラデー回転子としては、液相エピタキシャル成長法で作製される磁性ガーネットを使用することが好ましい。ガラス偏光子としては、コーニング社製のポーラコア，ＨＯＹＡ社製のＣＵＰＯを例示できる。複屈折偏光子用材料としては、ルチル結晶，イットリウムバナデート結晶，ガドリニウムバナデート結晶，ニオブ酸リチウム結晶等を例示できる。更に好ましくは、保磁力の高い磁性ガーネット結晶をファラデー回転子に用いることである。保持力の高いガーネットを用いれば、能動的な調芯に先んじて磁化しておくことにより永久磁石を用いる必要がなくなるため、部品を減らして小型化することができる。保磁力の高いガーネット材料としては、Ｇｄ１．４Ｙ０．６Ｂｉ１．０Ｆｅ４．０Ｇａ１．０Ｏ１２の組成等を例示できる。
【００７３】
何れにしても、このような光モジュールでは、各光学素子に対する調芯をできるだけ簡易に行うことが望ましく、各光学素子を配置すべき個所に予めマーキングを施しておき、そのマーキングに対して各光学素子を配置することにより受動的な調整方法を行い、固定する際に能動的な調整方法を行って光学的配置を微調整することで調芯作業を行えば良い。
【００７４】
一方、本発明の光合分波器は、所定数の光線を透過可能に形成された筐体外の対向する壁面の一方側及び他方側の外方近傍に対して要求される波長多重数に合わせて入出射ポートを備えると共に、筐体内で波長フィルタ及び全反射ミラーを適宜組み合わせて空間的に光を結合させる構造とした上で多数の異なる波長の光を合波又は分波する機能を構築したものである。
【００７５】
ここでの筐体には、ステンレス，ハステロイ，コバール等の金属の他、ガラス，プラスチック，セラミックス等のケースとして使用できる材料であれば、どのような材料でも適用可能である。
【００７６】
入出射ポートとしては、それを持つファイバコリメータを例示できるが、更にファイバコリメータとしては、ガラスやジルコニア、或いはプラスチックや金属製のキャピラリーにファイバを挿入・固定し、端面を所定の角度及び精度で研磨したピグテールファイバとレンズとを組み合わせた構成のものが例示される。尚、入出射ポートとしては、単にレンズのみを用いて結合すべきファイバ，レーザダイオード，フォトダイオードとの間で調芯・固定を後に行うタイプの構成のものも適用可能である。ファイバコリメータを構成するレンズ（集光機能を含む）としては、非球面レンズ，球レンズ，ロッドレンズ，回折レンズ等が例示される。ロッドレンズとしては、端面をＣレンズに加工したロッドレンズ，ＧＲＩＮ（Ｇｒａｄｅｄ  Ｉｎｄｅｘ）レンズ，球レンズをロッド状に加工したＤレンズ等が例示される。ピグテールファイバとしては、通常の単一モードファイバ，分散シフト単一モードファイバ，曲げ半径を小さくできる単一モードファイバ，偏波面保持単一モードファイバ等が例示される。
【００７７】
波長フィルタや全反射ミラーとしては、光学ガラス基板上に誘電体多層膜が形成された構造のものを使用することが望ましい。光学ガラス基板のガラス材料としては、石英ガラスやパイレックス（登録商標）ガラスの他、各種光学ガラスを用いることができる。基板としては、通常の光学ガラスの他、ポリイミド等の高分子基板を用いても良く、更に全反射ミラーとして使用する場合には金属，光吸収性を持つガラス，結晶基板等を用いても問題無い。透光性基板としては、光ガラスの他、高分子材料や光学結晶を用いることができる。但し、複屈折の影響が好ましくない場合には光ガラスを用いることが望ましい。尚、透光性については使用波長領域において保証されれば問題無い。
【００７８】
本発明の光合分波器における光軸の調整は、可能な限り簡易に行うことが望ましい。即ち、使用に供される波長フィルタや全反射ミラー等の各光学素子を配置すべき箇所に予めマーキングを施しておき、それらのマーキングに対して各光学素子を配置して受動的な調整方法により光軸を調整した後、接着剤等で固定する際に能動的な調整方法により光軸を調整すれば良い。各光学素子の固定方法として、ファイバコリメータを固定する場合には金属半田，ガラス半田を用いたり、ＹＡＧレーザによる溶接を行ったり、或いは光学接着剤を利用することが例示される。波長フィルタや全反射ミラーを固定する場合には、光学接着剤を利用する他、金属半田やガラス半田を用いることが例示される。
【００７９】
以下は、幾つかの実施例を挙げ、本発明の光モジュールについて、その製造過程及び調芯作業を含めて具体的に説明する。
【実施例１】
【００８０】
図１は、本発明の実施例１に係る光モジュールの基本構成を示した概略図である。この光モジュールは、上り信号用の波長１．３μｍ、下り信号用の波長１．４９μｍ、及び下り映像信号用の波長１．５５μｍに対応する３波多重用の光送受信モジュールであり、第８の構成〜第１０の構成に基づく一例（第１の構成〜第４の構成，第６の構成，第７の構成を含むもの）に該当するものである。
【００８１】
この実施例１に係る光送受信モジュールは、その製造過程前の準備として、先ずステンレス製の筐体１に対してレーザダイオード２、フォトダイオード３，４、及びファイバコリメータ５を保持するための保持部を加工し、何れも筐体１内に配置される光学素子として、誘電体多層膜による誘電体フィルタであると共に、波長フィルタとして機能分けされる全反射用波長フィルタ６，７、及び波長分離用フィルタ８，９と、光の取り扱い上で機能分けされる集光レンズ１０、結合レンズ１１，１２、及びコリメータレンズ１３と、ファイバを内蔵するキャピラリ１４とを準備し、これらの各光学素子におおよその位置決めを行うためのマーキングを施した。又、筐体１のファイバコリメータ５の側の壁面（端面）におけるレーザダイオード２と対向する位置の所定箇所に対し、レーザダイオード２の調芯作業に必要なピンホールを形成した。
【００８２】
尚、実施例１に係る光送受信モジュールを組み立て製造するのに先立って、実施例１の光送受信モジュールにおける技術的な作用効果を確認するための比較検討例として、実施例１の光送受信モジュールにおけるキャピラリ１４やその他の光学素子を除いた状態での組み立てを行って比較対象とした。
【００８３】
このような比較検討例の光送受信モジュールを製造する場合、先ずレーザダイオード２からの波長１．３μｍの出射光をコリメータレンズ１３により平行光に変換し、光線上の筐体１の端面に設けられたピンホールからの出射光をファイバコリメータ５で受け、光強度が最大となるようにレーザダイオード２、コリメータレンズ１３、及びファイバコリメータ５の細かな調芯作業を行った。この調芯作業には、４０分の時間を要したが、ファイバコリメータ５まで含めた光損失は５ｄＢであった。尚、比較検討例のファイバコリメータ５の位置は、レーザダイオード２に対して予め実施例１の構成で要する全反射用波長フィルタ６，波長分離用フィルタ９により光線を折り返した場合と同一の距離にしている。
【００８４】
次に、波長１．３μｍの光に対して全反射ミラーとして作用する全反射用波長フィルタ６と波長１．４９μｍ，波長１．５５μｍの光を透過し、且つ波長１．３μｍの光に対しては全反射ミラーとして作用する波長分離用フィルタ９とをそれぞれマーキングされた位置にマイクロメータに連動する専用のハンドリング治具により配置した。更に、ファイバコリメータ５を保持部に装着した後、全反射用波長フィルタ６，波長分離用フィルタ９をマイクロメータを用いて微細に調整してレーザダイオード２からの光をファイバコリメータ５に導入（ピンホールから出射する光をファイバコリメータ５で所定の位置で受けるようにする）し、光強度が最大となるようにファイバコリメータ５も含めて調芯作業を行った。この調芯作業には、３時間もの時間を要したにも拘らず、２枚のフィルタ（全反射用波長フィルタ６，波長分離用フィルタ９）により光線を折り返したことによる結合損失は、上述した５ｄＢに加えて６ｄＢ以上となり、総計で１１ｄＢを超えるものとなってしまい、所望の８ｄＢ以下に押さえられないことが判った。
【００８５】
これに対し、実施例１の光送受信モジュールでは、レーザダイオード２からの光を全反射用波長フィルタ６，波長分離用フィルタ９で折り返してファイバコリメータ５に結合するための調芯作業を行った。
【００８６】
先ずレーザダイオード２からの光を集光レンズ１０により予め施されたマーキングに位置決めしたキャピラリ（ファイバを内蔵すると共に、両端面が研磨されている）１４のファイバコアに集光させる調芯を行い、キャピラリ１４に内蔵されるファイバからの出射光をコリメータレンズ１３により平行光に変換した。ここでは、レーザダイオード２，集光レンズ１０，コリメータレンズ１３，及びファイバコリメータ５を微細に調整することにより、上述した比較検討例の場合と同様に、ピンホールから出射する光をファイバコリメータ５で所定の位置で受けるようにして調芯作業を行った。この調芯作業は１５分未満であったにも拘らず、ファイバコリメータ５まで含めた損失は３ｄＢであった。尚、キャピラリ１４に内蔵されるファイバの光軸は、本来あるべき光軸にマイクロメータを用いて高精度で位置決めしており、レーザダイオード２の光軸からの角度ずれを精度良く補正することができる。
【００８７】
引き続き、上述した比較検討例の場合と同様に、波長１．３μｍの光に対して全反射ミラーとして作用する全反射用波長フィルタ６，波長分離用フィルタ９をそれぞれマーキングされた位置にマイクロメータに連動する専用のハンドリング治具により配置し、全反射用波長フィルタ６，波長分離用フィルタ９の双方をマイクロメータにより微細に調整してレーザダイオード２からの光をファイバコリメータ５に導入し、光強度が最大となるように調芯を行った。この調芯作業には、１５分の時間を要しただけであるにも拘らず、２枚のフィルタ（全反射用波長フィルタ６，波長分離用フィルタ９）により光線を折り返したことによる結合損失は、上述した３ｄＢに加えて２ｄＢ以下となり、総計で５ｄＢを下回るものとなり、所望の８ｄＢ以下に押さえることができた。
【００８８】
以上の結果は、レーザダイオード２からの出射光の本来あるべき光軸からのチルト角度の許容量がファイバを内蔵するキャピラリ１４の有無に大きく左右されることを意味している。即ち、実施例１の光送受信モジュールの構成要素であるキャピラリ１４がない場合には、調芯設備の限界によりレーザダイオード２の光が僅かに光軸に対してチルトすることが避けられないため、コリメータレンズ１３を介してピンホールから出射させてファイバコリメータ５で光を受けようとすると、最適調芯に比べて損失の増加を生ずるのである。
【００８９】
そのようなチルト角度のずれがある場合、全反射ミラーで反射させると角度ずれはその都度２倍になる。それは、入射角と反射角とが同一となるために、入射角度のずれと反射角度のずれとが等しくなって加算されるためである。ここでの構成では、２枚の全反射ミラーを用いていることにより角度ずれは総計で４倍となるのため、比較検討例においては角度ずれに大きく影響されて損失の増加が避けられなかったのである。角度ずれの影響が大きいのは、レーザダイオード２の出射部の断面積が非常に小さく（口径φ＝１μｍ程度）、且つ屈折率も大きいために出射光の広がり角度も大きくなることからも理解し易いことである。
【００９０】
ファイバを内蔵するキャピラリ１４は、予め好ましい光軸に対して高精度で位置決めしておくもので、レーザダイオード２の出射光を集光レンズ１０により近傍にあるキャピラリ１４に内蔵されるファイバに高効率で結合することは、レーザダイオード２の出射光の角度ずれを勘案しても比較的容易である。結合した光は、ファイバに閉じ込められてその方向がファイバの光軸に修正される。即ち、キャピラリ１４に内蔵されるファイバの役割は、レーザダイオード２の角度ずれを高精度で補正することにある。
【００９１】
このような光軸の補正を可能としたことにより、全反射ミラーを用いて光路を変更する構造であっても、角度ずれによる影響を非常に小さくでき、レーザダイオード２とファイバコリメータ５との結合効率を高めることができる上、光軸の補正を可能としたことにより、調芯に要する時間を大幅に短縮することもでき、結果としてレーザダイオード２とファイバコリメータ５との間で高精度に調芯を行うことができる。
【００９２】
次に、ファイバコリメータ５から波長１．４９μｍ，波長１．５５μｍの２波長の光を入射し、波長分離用フィルタ９を通過した２波長の光を波長１．５５μｍの光に対して全反射ミラーとして作用する別の波長分離用フィルタ（誘電体多層膜による誘電体フィルタ）８により分離した。波長分離用フィルタ８により反射された波長１．５５μｍの光は、全反射ミラーとして作用する全反射用波長フィルタ７により折り返されて波長１．５５μｍ用のフォトダイオード３に結合レンズ１１を介して入射する。フォトダイオード３を持ってくるのに先立って、別のファイバコリメータを用いて波長１．４９μｍの光との分離比を確認することも可能である。
【００９３】
結合効率を上げるために、全反射用波長フィルタ７，波長分離用フィルタ８、結合レンズ１１、及びフォトダイオード３をマイクロメータにより微細に調整したが、フォトダイオード３の受光断面積は口径φ＝５０μｍ程度と大きく、しかも入射角度依存性が小さいために、キャピラリを用いなくてもレーザダイオード２における程の困難はなかった。
【００９４】
更に、波長分離用フィルタ８を通過した波長１．４９μｍの光は、結合レンズ１２により波長１．４９μｍ用のフォトダイオード４に入射する。結合レンズ１２とフォトダイオード４との位置を調整して結合効率を上げることは、上述した波長１．５５μｍの場合と同様である。
【００９５】
このようにして、実施例１に係る光送受信モジュールを製造し終えた。この実施例１に係る光送受信モジュールの好ましい特徴は、レーザダイオード２からの光の結合効率が高いこと、調芯作業の時間を短くできること、特定の波長に対して全反射ミラーとして作用する波長フィルタを２枚以上用いていることにより筐体１の好ましい端面にレーザダイオード２とフォトダイオード３，４とを配置できること等の諸点が挙げられる。
【００９６】
尚、この実施例１に係る光送受信モジュールにおいて、フォトダイオード３，４と結合レンズ１１，１２との組み合わせに代えてファイバコリメータを用い、ピグテールファイバによりフォトダイオード３，４で受光される光を導くように変更しても問題はない。又、実施例１に係る光送受信モジュールでは、上り信号，下り信号，映像信号向けにそれぞれ波長１．３１μｍ，波長１．４９μｍ，波長１．５５μｍを用いるものとしたが、これらの波長は光モジュールの用途に応じて任意に選択することができる。但し、その場合には波長フィルタを選択された波長に合致させれば良い。更に、伝送速度によってはレーザダイオード２に別途に専用波長の光アイソレータを付加することも有効である。
【実施例２】
【００９７】
図２は、本発明の実施例２に係る光モジュールの基本構成を示した概略図である。この光モジュールは、上り信号用の波長１．３μｍ、下り信号用の波長１．４９μｍ、及び下り映像信号用の波長１．５５μｍに対応する３波多重用の光送受信モジュールであり、第８構成１〜第１０の構成に基づく他例（第１の構成〜第４の構成，第６の構成，第７の構成を含むもの）に該当するものである。
【００９８】
この実施例２に係る光送受信モジュールは、その製造過程前の準備として、先ず実施例１の場合と同様に、ステンレス製の筐体１５に対してレーザダイオード１６、フォトダイオード１７，１８、及びファイバコリメータ１９を保持するのための保持部を加工し、何れも筐体１５内に配置される光学素子として、誘電体多層膜による誘電体フィルタであると共に、波長フィルタとして機能分けされる全反射用波長フィルタ２２，２３、及び波長分離用フィルタ２０，２１と、光の取り扱い上で機能分けされる集光レンズ２４、結合レンズ２５，２６、及びコリメータレンズ２７と、ファイバを内蔵するキャピラリ２８とを準備し、これらの各光学素子におおよその位置決めを行うためのマーキングを施した。又、ここでも筐体１５のファイバコリメータ１９の側の壁面（端面）におけるレーザダイオード１６と対向する位置の所定箇所に対し、レーザダイオード１６の調芯作業に必要なピンホールを形成した。
【００９９】
能動的な調芯作業に先立って、波長１．５５μｍの光を反射し、且つ波長１．４９μｍ，波長１．３１μｍの光を透過する波長分離用フィルタ２１と波長１．４９μｍの光を反射し、且つ波長１．３１μｍの光を透過する波長分離用フィルタ２０とをマーキングに従ってマイクロメータに連動するハンドリング用の治具により位置決めして固定した。
【０１００】
次に、レーザダイオード１６からの光を２枚の波長分離用フィルタ２０，２１を通過させてファイバコリメータ１９に結合するための調芯作業を行った。ここでは、先ずレーザダイオード１６からの光を集光レンズ２４により予め施されたマーキングに位置決めしたキャピラリ（ファイバを内蔵すると共に、両端面が研磨されている）２８のファイバコアに集光させる調芯を行い、キャピラリ２８に内蔵されるファイバからの出射光をコリメータレンズ２７により平行光に変換した。レーザダイオード１６、集光レンズ２４、キャピラリ２８、コリメータレンズ２７、及びファイバコリメータ１９を微細に調整することにより、結合効率が最大となるように調芯作業を行った。調芯作業は、１０分未満であったにも拘らず、ファイバコリメータ１９まで含めた結合損失は３ｄＢ以下であった。尚、キャピラリ２８に内蔵されるファイバの光軸は、本来あるべき光軸にマイクロメータを用いて高精度で位置決めしており、レーザダイオード１６の光軸からの角度ずれを精度良く補正することができる。
【０１０１】
引き続いて、ファイバコリメータ１９から波長１．４９μｍ，波長１．５５μｍの２波長の光を入射し、波長分離用フィルタ２１により分離した。
【０１０２】
波長分離用フィルタ２１は、波長１．５５μｍの光に対して全反射ミラーとして作用するため、ここで反射された波長１．５５μｍの光は全反射ミラーとして作用する全反射用波長フィルタ２３により折り返されて波長１．５５μｍ用のフォトダイオード１８に結合レンズ２６を介して入射する。フォトダイオード１８を用いるのに先立って、別のファイバコリメータを用いて波長１．４９μｍの光との分離比を確認することも可能である。
【０１０３】
結合効率を上げるために、全反射用波長フィルタ２３、結合レンズ２６、及びフォトダイオード１８をマイクロメータにより微細に調整したが、フォトダイオード１８の受光断面積は口径φ＝５０μｍ程度と大きく、しかも入射角度依存性が小さいために、キャピラリを用いなくてもレーザダイオード１６程の困難はなかった。
【０１０４】
更に、波長分離用フィルタ２１を通過した波長１．４９μｍの光は、波長分離用フィルタ２０により反射され、更に全反射ミラーとして作用する全反射用波長フィルタ２２によって折り返された後、結合レンズ２５により波長１．４９μｍ用フォトダイオード１７に入射する。全反射用波長フィルタ２２、結合レンズ２５、及びフォトダイオード１７の位置を調整して結合効率を上げることは、上述した波長１．５５μｍの場合と同様である。
【０１０５】
このようにして、実施例２に係る光送受信モジュールを製造し終えた。この実施例２に係る光送受信モジュールの好ましい特徴は、実施例１の場合と同様に、レーザダイオード１６からの光の結合効率が高いこと、調芯作業の時間を短くできること、特定の波長に対して全反射ミラーとして作用する波長フィルタを２枚以上用いていることにより筐体１５の好ましい端面にレーザダイオード１６とフォトダイオード１７，１８とを配置できること等の諸点が挙げられる。更に、波長の選択については、実施例１で述べた場合と同様に任意にでき、伝送速度によってレーザダイオード１６に別途に専用波長の光アイソレータを付加することの有効性についても同様である。
【実施例３】
【０１０６】
図３は、本発明の実施例３に係る光モジュールの基本構成を示した概略図である。この光モジュールは、波長１．４９μｍ、波長１．５１μｍの光を出射する２台のレーザダイオード３２，３３からの光を多重化して１本のファイバで伝送するための２波多重用の光送信モジュールであり、上述した第１の構成〜第４の構成に基づく一例に該当するものである。
【０１０７】
この実施例３に係る光送信モジュールの場合、製造手順としては、実施例１の場合と同様に、ステンレス製の筐体３１に対してレーザダイオード３２，３３、ファイバコリメータ３４を保持するための保持部を加工し、何れも筐体３１内に配置される光学素子として、誘電体多層膜による誘電体フィルタであると共に、波長フィルタとして機能分けされる全反射用波長フィルタ３５、及び波長分離用フィルタ３６と、光の取り扱い上で機能分けされる集光レンズ３７，３９、及びコリメータレンズ３８，４０と、ファイバを内蔵するキャピラリ４１，４２とを準備し、これらの各光学素子におおよその位置決めを行うためのマーキングを施した。又、ここでも筐体３１のファイバコリメータ３４の側の壁面（端面）におけるレーザダイオード３２と対向する位置の所定箇所に対し、中途段階での調芯作業を行うために必要なピンホールを形成した。
【０１０８】
レーザダイオード３３を発光させてその光を用いるという能動的な調芯作業に先立って、波長１．４９μｍの光を反射し、且つ波長１．５１μｍの光を透過する波長分離用フィルタ３６をマーキングに従ってマイクロメータに連動するハンドリング用の治具により位置決めして仮固定した。更に、波長１．５１μｍの光を出射するレーザダイオード３３の置かれるべき位置にファイバコリメータを配置して受光側のファイバコリメータ３４と対向させ、片方のファイバコリメータに波長１．５１μｍの光を導入して光強度の損失が最小となるように調芯作業を行った。
【０１０９】
次に、レーザダイオード３２からの光を２枚の全反射用波長フィルタ３５，波長分離用フィルタ３６により反射させてファイバコリメータ３４に結合するための調芯作業を行った。ここでは、先ずレーザダイオード３２からの光を集光レンズ３７により予め施されたマーキングに位置決めしたキャピラリ（ファイバを内蔵すると共に、両端面が研磨されている）４１のファイバコアに集光させる調芯を行い、キャピラリ４１に内蔵されるファイバからの出射光をコリメータレンズ３８により平行光に変換した。その後、平行光を上述したピンホールを通してレーザダイオード３２からファイバコリメータ３４と相対的に等しい距離に配置した別のファイバコリメータにより受光した。レーザダイオード３２、集光レンズ３７、キャピラリ４１、及びコリメータレンズ３８を微細に調整することにより、結合効率が最大となるように調芯作業を行った。
【０１１０】
引き続いて、波長１．４９μｍの光に対して全反射ミラーとして作用する全反射用波長フィルタ３５をマイクロメータに連動するハンドリング用治具によりマーキングの位置に配置し、全反射用波長フィルタ３５，波長分離用フィルタ３６をマイクロメータにより微細に調整して、レーザダイオード３２からの波長１．４９μｍの光の受光量が最大となるようにした。
【０１１１】
これらの調芯作業は、１５分未満であったにも拘らず、ファイバコリメータ３４まで含めた結合損失は３ｄＢ以下であった。本来あるべき光軸にマイクロメータを用いて高精度で位置決めしており、レーザダイオード３２の光軸からの角度ずれを精度良く補正することができる。
【０１１２】
次に、波長１．５１μｍの光を出射するレーザダイオード３３を装着し、波長分離用フィルタ３６はそのままにしてレーザダイオード３３、集光レンズ３９、キャピラリ４２、及びコリメータレンズ４０を微細に調整することにより、１．５１μｍ波長の光のファイバコリメータ３４への結合効率が最大となるように調芯を行った。この調芯作業は、１０分未満であったにも拘らず、ファイバコリメータ３４まで含めた結合損失は３ｄＢ以下であった。キャピラリ４２に内蔵されるファイバの光軸は、やはり本来あるべき光軸にマイクロメータを用いて高精度で位置決めしており、レーザダイオード３３の光軸からの角度ずれを精度良く補正することができる。
【０１１３】
このようにして、実施例３に係る光送信モジュールを製造し終えた。この実施例３に係る光送信モジュールの好ましい特徴は、実施例１と同様に、レーザダイオード３２，３３からの光の結合効率が高いこと、調芯作業の時間を短くできること、特定の波長に対して全反射ミラーとして作用する波長フィルタを２枚以上用いていることにより筐体３１の好ましい端面にレーザダイオード３２，３３を配置できること等の諸点が挙げられる。
【０１１４】
尚、実施例３に係る光送信モジュールでは、使用する波長を１．４９μｍ、１．５１μｍとしたが、これも上述した各実施例の場合と同様に任意に選択できるが、その場合には波長フィルタを選択された波長に合致させれば良い。又、ここで用いたレーザダイオード３２，３３をフォトダイオードに置き替えれば、光受信モジュールとして変更できるし、更に伝送速度によってそれぞれのレーザダイオード３２，３３に別途に専用波長の光アイソレータを付加すれば有効であることも上述した各実施例で説明した場合と同様である。
【実施例４】
【０１１５】
図４は、本発明の実施例４に係る光モジュールの基本構成を示した概略図である。この光モジュールは、波長１．４９μｍ、波長１．５１μｍ、波長１．５３μｍ、及び波長１．５５μｍの光を出射する４台のレーザダイオード５２，５３，５４，５５からの光を多重化して１本のファイバで伝送するための４波多重用の光送信モジュールであり、上述した第１の構成〜第４の構成に基づく他例に該当するものである。
【０１１６】
この実施例４に係る光送信モジュールの場合、製造手順としては、実施例１の場合と同様に、ステンレス製の筐体５１に対して４個のレーザダイオード５２，５３，５４，５５とファイバコリメータ５６とを保持するための保持部を加工し、何れも筐体５１内に配置される光学素子として、誘電体多層膜による誘電体フィルタであると共に、波長フィルタとして機能分けされる全反射用波長フィルタ５７，５９，６１、及び波長分離用フィルタ５８，６０，６２と、光の取り扱い上で機能分けされる集光レンズ６３，６５，６７，６９、及びコリメータレンズ６４，６６，６８，７０と、ファイバを内蔵するキャピラリ７１，７２，７３，７４とを準備し、これらの各光学素子におおよその位置決めを行うためのマーキングを施した。又、ここでも筐体５１のファイバコリメータ５６の側の壁面（端面）におけるレーザダイオード５２，５３，５４と対向する位置の所定箇所に対し、中途段階での調芯作業を行うために必要な３箇所のピンホールを形成した。
【０１１７】
レーザダイオード５２，５３，５４，５５をそれぞれ発光させてその光を用いるという能動的な調芯作業に先立って、波長１．４９μｍの光を反射し、且つ波長１．５１μｍの光を透過する波長分離用フィルタ５８、波長１．４９μｍから波長１．５１μｍまでの範囲の光を反射し、且つ波長１．５３μｍの光を透過する波長分離用フィルタ６０、及び波長１．４９μｍから波長１．５３μｍまでの範囲の光を反射し、且つ波長１．５５μｍの光を透過する波長分離用フィルタ６２をそれぞれマーキングに従ってマイクロメータに連動するハンドリング用の治具により位置決めして仮固定した。
【０１１８】
次に、３個のレーザダイオード５２，５３，５４からの光をそれぞれピンホールを通して予備調芯を行うために配備した３台のファイバコリメータに結合する調芯作業を行った。ここでは、先ずレーザダイオード５２，５３，５４からの光を集光レンズ６３，６５，６７により予め施されたマーキングに位置決めしたキャピラリ（何れもファイバを内蔵すると共に、両端面が研磨されている）７１，７２，７３のファイバコアに集光させる調芯を行い、キャピラリ７１，７２，７３に内蔵されるファイバからの出射光をコリメータレンズ６４，６６，６８によりそれぞれ平行光に変換した。その後、それぞれの平行光を上述した３個のピンホールを通してレーザダイオード５２，５３，５４からファイバコリメータ５６と相対的に等しい距離に配置した別の３個のファイバコリメータにより受光した。レーザダイオード５２，５３，５４、集光レンズ６３，６５，６７、キャピラリ７１，７２，７３、及びコリメータレンズ６４，６６，６８を微細に調整することにより、結合効率が最大となるようにそれぞれ調芯作業を行った。
【０１１９】
引き続いて、波長１．４９μｍの光に対して全反射ミラーとして作用する全反射用波長フィルタ５７をマイクロメータに連動するハンドリング用治具によりマーキング位置に配置し、全反射用波長フィルタ５７をマイクロメータにより微細に調整してレーザダイオード５２からの波長１．４９μｍの光を波長分離用フィルタ５８で反射させ、レーザダイオード５３と対向するピンホールに配置されているファイバコリメータで受光し、その受光量が最大となるようにした。この時点でレーザダイオード５２，５３は光軸が一致することになる。
【０１２０】
同様に、波長１．４９μｍ又は波長１．５１μｍの光に対して全反射ミラーとして作用する全反射用波長フィルタ５９をマイクロメータに連動するハンドリング用治具によりマーキング位置に配置し、全反射用波長フィルタ５９をマイクロメータにより微細に調整してレーザダイオード５２，５３からの波長１．４９μｍ，波長１．５１μｍの光を波長分離用フィルタ６０で反射させ、レーザダイオード５４と対向するピンホールに配置されているファイバコリメータで受光し、その受光量が最大となるようにした。この時点でレーザダイオード５２，５３は光軸が一致することになる。
【０１２１】
更に、同様にして、波長１．４９μｍ又は波長１．５３μｍの光に対して全反射ミラーとして作用する全反射用波長フィルタ６１をマイクロメータに連動するハンドリング用治具によりマーキング位置に配置し、全反射用波長フィルタ６１をマイクロメータにより微細に調整してレーザダイオード５２，５３，５４からの波長１．４９μｍ，波長１．５１μｍ，波長１．５３μｍの光をファイバコリメータ５６で受光し、その受光量が最大となるようにした。
【０１２２】
最後に、波長１．５５μｍの光を出射するレーザダイオード５５を装着し、波長分離用フィルタ６２はそのままにしてレーザダイオード５５、集光レンズ６９、キャピラリ７４、及びコリメータレンズ７０を微細に調整することにより、波長１．５５μｍの光のファイバコリメータ５６への結合効率が最大となるように調芯作業を行った。この調芯作業により、４個のレーザダイオード５２，５３，５４，５５の光軸は全て一致することになる。
【０１２３】
これらの調芯作業は、５０分未満であったにも拘らず、ファイバコリメータ５６まで含めた結合損失は、４波長全て３ｄＢ以下であった。キャピラリ７１，７２，７３，７４に内蔵されるファイバの光軸は、やはり本来あるべき光軸にマイクロメータを用いて高精度で位置決めしており、レーザダイオード５２，５３，５４，５５の光軸からの角度ずれを精度良く補正することができる。
【０１２４】
このようにして、実施例４に係る光送信モジュールを製造し終えた。この実施例４に係る光送信モジュールの好ましい特徴は、実施例１の場合と同様に、レーザダイオード５２，５３，５４，５５からの光の結合効率が高いこと、調芯作業の時間を短くできること、特定の波長に対して全反射ミラーとして作用する波長フィルタを２枚以上用いていることにより筐体５１の好ましい端面にレーザダイオード５２，５３，５４，５５を配置できること等の諸点が挙げられる。
【０１２５】
尚、実施例４に係る光送信モジュールでは、使用する波長を１．４９μｍ、１．５１μｍ、１．５３μｍ、１．５５μｍとしたが、これも上述した各実施例で説明した場合と同様に任意に選択できるが、その場合には波長フィルタを選択された波長に合致させれば良い。又、ここで用いたレーザダイオード５２，５３，５４，５５をフォトダイオードに置き替えれば、光受信モジュールとして変更できるし、更に伝送速度によってそれぞれのレーザダイオード５２，５３，５４，５５に別途に専用波長の光アイソレータを付加すれば有効であることも上述した各実施例で説明した場合と同様である。
【実施例５】
【０１２６】
図５は、本発明の実施例５に係る光モジュールの基本構成を示した概略図である。この光モジュールは、波長１．５７μｍ、波長１．５９μｍ、波長１．６１μｍ、及び波長１．６３μｍの光を出射する４台のレーザダイオード８２，８３，８４，８５からの光を多重化して１本のファイバで伝送するための４波多重用の光送信モジュールであり、上述した第１の構成〜第４の構成（第５の構成も含む）に基づく別例に該当するものである。
【０１２７】
この実施例５に係る光送信モジュールの場合、製造手順としては、実施例４の場合と同様に、ステンレス製の筐体８１に対して４個のレーザダイオード８２，８３，８４，８５とファイバコリメータ８６とを保持するための保持部を加工し、何れも筐体８１内に配置される光学素子として、誘電体多層膜による誘電体フィルタであると共に、波長フィルタとして機能分けされる全反射用波長フィルタ８７，８９，９０、及び波長分離用フィルタ８８，９１，９２と、光の取り扱い上で機能分けされる集光レンズ９３，９５，９７，９９、及びコリメータレンズ９４，９６，９８，１００と、ファイバを内蔵するキャピラリ１０１，１０２，１０３，１０４と、光アイソレータ１０５とを準備し、これらの各光学素子におおよその位置決めを行うためのマーキングを施した。又、ここでも筐体８１のファイバコリメータ８６の側の壁面（端面）におけるレーザダイオード８２，８３，８４と対向する位置の所定箇所に対し、中途段階での調芯作業を行うために必要な３箇所のピンホールを形成した。
【０１２８】
レーザダイオード８２，８３，８４，８５をそれぞれ発光させてその光を用いるという能動的な調芯作業に先立って、波長１．５７μｍの光を反射し、且つ波長１．５９μｍの光を透過する波長分離用フィルタ８８、波長１．６１μｍの光を反射し、且つ波長１．６３μｍの光を透過する波長分離用フィルタ９１、及び波長１．５７μｍから波長１．５９μｍまでの範囲の光を反射し、且つ波長１．６１μｍから波長１．６３μｍまでの範囲の光を透過する波長分離用フィルタ９２をそれぞれマーキングに従ってマイクロメータに連動するハンドリング用の治具により位置決めして仮固定した。
【０１２９】
次に、３個のレーザダイオード８２，８３，８４からの光をそれぞれピンホールを通して予備調芯するために配備した３台のファイバコリメータにそれぞれ結合する調芯作業を行った。ここでは、先ずレーザダイオード８２，８３，８４からの光を集光レンズ９３，９５，９７により予め施されたマーキングに位置決めしたキャピラリ（何れもファイバを内蔵し、且つ両端面が研磨されている）１０１，１０２，１０３のファイバコアに集光させる調芯をそれぞれ行い、キャピラリ１０１，１０２，１０３に内蔵されるファイバからの出射光をコリメータレンズ９４，９６，９８によりそれぞれ平行光に変換した。その後、それぞれの平行光を上述した３個のピンホールを通して、レーザダイオード８２，８３，８４からファイバコリメータ８６と相対的に等しい距離に配置した別の３個のファイバコリメータにより受光した。レーザダイオード８２，８３，８４、集光レンズ９３，９５，９７、キャピラリ１０１，１０２，１０３、及びコリメータレンズ９４，９６，９９を微細に調整することにより、結合効率が最大となるようにそれぞれ調芯作業を行った。
【０１３０】
引き続いて、波長１．５７μｍの光に対して全反射ミラーとして作用する全反射用波長フィルタ８７をマイクロメータに連動するハンドリング用治具によりマーキング位置に配置し、全反射用波長フィルタ８７をマイクロメータにより微細に調整してレーザダイオード８２からの波長１．５７μｍの光を全反射用波長フィルタ８８で反射させ、レーザダイオード８３と対向するピンホールに配置されているファイバコリメータで受光し、その受光量が最大となるようにした。この時点でレーザダイオード８２，８３は光軸が一致することになる。
【０１３１】
又、波長１．５７μｍから波長１．５９μｍまでの範囲の光に対して全反射ミラーとして作用する全反射用波長フィルタ８９をマイクロメータに連動するハンドリング用治具によりマーキング位置に配置し、全反射用波長フィルタ８９をマイクロメータにより微細に調整してレーザダイオード８２，８３からの波長１．５７μｍ，波長１．５９μｍの光を波長分離用フィルタ９２で反射させ、受光側のファイバコリメータ８６で受光し、その受光量が最大となるようにした。この時点でレーザダイオード８２，８３とファイバコリメータ８６とは光軸が一致することになる。
【０１３２】
更に、同様にして、波長１．６１μｍの光に対して全反射ミラーとして作用する全反射用波長フィルタ９０をマイクロメータに連動するハンドリング用治具によりマーキング位置に配置し、全反射用波長フィルタ９０をマイクロメータにより微細に調整してレーザダイオード８４からの波長１．６１μｍの光を波長分離用フィルタ９１で反射させ、ファイバコリメータ８６で受光し、その受光量が最大となるようにした。この時点でレーザダイオード８２，８３，８４の光軸が一致することになる。
【０１３３】
加えて、波長１．６３μｍの波長の光を出射するレーザダイオード８５を装着し、波長分離用フィルタ９１，９２はそのままにしてレーザダイオード８５、集光レンズ９９、キャピラリ１０４、及びコリメータレンズ１００を微細に調整することにより、波長１．６３μｍの光のファイバコリメータ８６への結合効率が最大となるように調芯作業を行った。この調芯作業により、４個のレーザダイオード８２，８３，８４，８５の光軸は全て一致することになる。
【０１３４】
最後に、ファイバコリメータ８６の直前にレーザダイオード８２，８３，８４，８５の全波長範囲をカバーできる光アイソレータ１０５（波長分離用フィルタ９２を透過するレーザダイオード８４，８５からの光又は波長分離用フィルタ９２で全反射されるレーザダイオード８２，８３からの光を入射してファイバコリメータ８６へ方向付けて出射する機能を持つ）を配置し、光アイソレータ１０５とファイバコリメータ８６との位置を微細に制御する。このような光アイソレータ１０５を組み込むのは、４個のレーザダイオード８２，８３，８４，８５の光軸が一致しているので比較的容易であるが、光アイソレータ１０５自体は反射減衰量が十分大きいように端面の研磨角度、波長フィルタへの入射・反射角度、反射防止膜等を考慮しておけば十分である。
【０１３５】
これらの調芯作業は、５０分未満であったにも拘らず、ファイバコリメータ８６まで含めた結合損失は、４波長全て３ｄＢ以下であった。キャピラリ１０１，１０２，１０３，１０４に内蔵されるファイバの光軸は、やはり本来あるべき光軸にマイクロメータを用いて高精度で位置決めしており、レーザダイオード８２，８３，８４，８５の光軸からの角度ずれを精度良く補正することができる。
【０１３６】
このようにして、実施例５に係る光送信モジュールを製造し終えた。この実施例５に係る光送信モジュールの好ましい特徴は、実施例１の場合と同様に、レーザダイオード８２，８３，８４，８５からの光の結合効率が高いこと、調芯作業の時間を短くできること、特定の波長に対して全反射ミラーとして作用する波長フィルタを２枚以上用いていることにより筐体８１の好ましい端面にレーザダイオード８２，８３，８４，８５を配置できること等の諸点が挙げられる。
【０１３７】
尚、実施例５に係る光送信モジュールでは、使用する波長を１．５７μｍ、１．５９μｍ、１．６１μｍ、１．６３μｍとしたが、これも上述した各実施例で説明した場合と同様に任意に選択できるが、その場合には波長フィルタを選択された波長に合致させれば良い。又、ここで用いたレーザダイオード８２，８３，８４，８５をフォトダイオードに置き替えれば、光受信モジュールとして変更できるし、更に伝送速度によってそれぞれのレーザダイオード８２，８３，８４，８５に別途に専用波長の光アイソレータを付加すれば有効であることも上述した各実施例で説明した場合と同様である。
【０１３８】
因みに、以上に説明した各実施例において、実施例１では波長１．３１μｍ、波長１．４９μｍ、及び波長１．５５μｍの３波多重を行うための光送受信モジュール、実施例２では波長１．３μｍ、波長１．４９μｍ、及び波長１．５５μｍの３波多重を行うための光送受信モジュール、実施例３では波長１．４９μｍと波長１．５１μｍとを多重するための光送信モジュール、実施例４では波長１．４９μｍ、波長１．５１μｍ、波長１．５３μｍ、及び波長１．５５μｍの４波多重を行うための光送信モジュール、実施例５では波長１．５７μｍ、波長１．５９μｍ、波長１．６１μｍ、及び波長１．６３μｍの４波多重を行うための光送信モジュールについて説明したが、本発明の光モジュールは、単純に波長フィルタの数を増やしたり、或いは２波多重，４波多重等の光モジュールを組み合わせることにより、例えば８波多重，１６波多重等の４波多重以上の光送信モジュールや光受信モジュール、或いは光送受信モジュールを構築することも可能であり、又レーザダイオード及びフォトダイオードと共に誘電体多層膜による波長フィルタを適宜組み合わせることにより、波長間隔の非常に狭い高密度波長多重  （ＤＷＤＭ）の光モジュールにも適用可能であるので、各実施例で説明した形態のものに限定されない。
【０１３９】
以下は、本発明の光合分波器について、幾つかの実施例を挙げてその製造過程を含めて具体的に説明する。
【実施例６】
【０１４０】
図６は、本発明の実施例６に係る光合分波器の基本構成（全体構成）を示した概略図である。
【０１４１】
この実施例６に係る光合分波器は、互いに対向する第１の側面（紙面において右側の側面）及び第２の側面（紙面において左側の側面）を持つ筐体１２０を有する。
【０１４２】
筐体１２０にあっての第１の側面には、第１の入出射ポートとしてのファイバコリメータ１２１が配置されており、筐体１２０の第２の側面には、第２の入出射ポート乃至第５の入出射ポートとしてのファイバコリメータ１２２〜１２５が配置されている。これらの入出射ポートは、光信号入出射手段とも呼ばれて良いもので、図示の場合には光ファイバとレンズとから成るファイバコリメータで構成されている。ここでの光ファイバとレンズとは、光信号がコリメート光となる位置に配置されている。
【０１４３】
ファイバコリメータ１２１は、互いに異なる第１の波長乃至第４の波長λ１〜λ４から成る波長群を持つ光信号を筐体１２０に対して入出射するためのものである。ファイバコリメータ１２２〜１２５は、それぞれ、第１の波長乃至第４の波長λ１〜λ４を持つ光信号を入出射するためのものである。
【０１４４】
筐体１２０は、以下に説明する第１の光伝達手段乃至第４の光伝達手段（尚、ここでの「光伝達」とは、以下も同様であるように媒質中における光の透過や伝播、或いは媒質表面での反射を含んだ所定の光路に従った動きを示すものとする）を有する。又、筐体１２０内には、後述する５枚の誘電体多層膜による波長選択フィルタと３枚の全反射ミラーとが配置されている。尚、誘電体多層膜による波長選択フィルタは、単に波長フィルタと呼ばれても良い。
【０１４５】
第１の光伝達手段は、ファイバコリメータ１２１（第１の入出射ポート）から入射した第１の波長λ１を持つ光信号をファイバコリメータ１２２（第２の入出射ポート）へ向けて伝達すると共に、ファイバコリメータ１２２（第２の入出射ポート）から入射した第１の波長λ１を持つ光信号をファイバコリメータ１２１（第１の入出射ポート）へ向けて伝達する。
【０１４６】
第２の光伝達手段は、ファイバコリメータ１２１（第１の入出射ポート）から入射した第２の波長λ２を持つ光信号をファイバコリメータ１２３（第３の入出射ポート）へ向けて伝達すると共に、ファイバコリメータ１２３（第３の入出射ポート）から入射した第２の波長λ２を持つ光信号をファイバコリメータ１２１（第１の入出射ポート）へ向けて伝達する。
【０１４７】
第３の光伝達手段は、ファイバコリメータ１２１（第１の入出射ポート）から入射した第３の波長λ３を持つ光信号をファイバコリメータ１２４（第４の入出射ポート）へ向けて伝達すると共に、ファイバコリメータ１２４（第４の入出射ポート）から入射した第３の波長λ３を持つ光信号をファイバコリメータ１２１（第１の入出射ポート）へ向けて伝達する。
【０１４８】
第４の光伝達手段は、ファイバコリメータ１２１（第１の入出射ポート）から入射した第４の波長λ４を持つ光信号をファイバコリメータ１２５（第５の入出射ポート）へ向けて伝達すると共に、ファイバコリメータ１２５（第５の入出射ポート）から入射した第４の波長λ４を持つ光信号をファイバコリメータ１２１（第１の入出射ポート）へ向けて伝達する。
【０１４９】
図６に示される例では、第１の光伝達手段は、第１の波長フィルタ１２６及び第２の波長フィルタ１２７から構成されている。第１の波長フィルタ１２６は、筐体１２０における第１の側面と第２の側面との間に配置されていると共に、第１の波長λ１及び第２の波長λ２を持つ光信号を透過し、且つ第３の波長λ３及び第４の波長λ４を持つ光信号を反射する。第２の波長フィルタ１２７は、ファイバコリメータ１２２（第２の入出射ポート）の近傍で第１の波長フィルタ６と筐体の第２の側面との間に配置されていると共に、第１の波長λ１を持つ光信号を透過し、且つ第２の波長λ２を持つ光信号を反射する。
【０１５０】
第２の光伝達手段は、上述した第１の波長フィルタ１２６及び第２の波長フィルタ１２７と、第３の波長フィルタ１２８と、第１の反射手段としての全反射ミラー（単にミラーと呼ばれても良い）１３１とから成っている。第３の波長フィルタ１２８は、ファイバコリメータ１２３（第３の入出射ポート）の近傍に配置されており、第２の波長λ２を持つ光信号のみを透過する。第１の反射手段１３１は、第２の波長フィルタ１２７で反射された第２の波長λ２を持つ光信号を第３の波長フィルタ１２８へ向けて反射し、且つファイバコリメータ１２３（第３の入出射ポート）から筐体１２０内に入射されて第３の波長フィルタ１２８を透過した第２の波長λ２を持つ光信号を第２の波長フィルタ１２７へ向けて反射する。図６に示す例では、第１の反射手段が全反射ミラーで構成されている。
【０１５１】
第３の光伝達手段は、上述した第１の波長フィルタ１２６と、第４の波長フィルタ１２９と、第２の反射手段としての第２の全反射ミラー１３２とから成っている。第４の波長フィルタ１２９は、ファイバコリメータ１２４（第４の入出射ポート）の近傍に配置されていると共に、第３の波長λ３を持つ光信号を透過し、且つ第４の波長λ４を持つ光信号を反射する。第２のミラー１３２は、筐体１２０の第１の側面側に配置されていると共に、第１の波長フィルタ１２６で反射された第３の波長λ３及び第４の波長λ４を持つ光信号を第４の波長フィルタ１２９へ向けて反射し、且つ第４の波長フィルタ１２９を透過した第３の波長λ３を持つ光信号と第４の波長フィルタ１２９で反射された第４の波長を持つ光信号とを第１の波長フィルタ１２６へ向けて反射する。
【０１５２】
第４の光伝達手段は、上述した第１の波長フィルタ１２６及び第４の波長フィルタ１２９と、第５の波長フィルタ１３０と、第３の反射手段としての第３の全反射ミラー１３３とから成っている。第５の波長フィルタ１３０は、ファイバコリメータ１２５（第５の入出射ポート）の近傍に配置されていると共に、第４の波長λ４を持つ光信号のみを透過する。第３の全反射ミラー１３３は、第４の波長フィルタ１２９で反射された第４の波長λ４を持つ光信号を第５の波長フィルタ１３０へ向けて反射し、且つファイバコリメータ１２５（第５の入出射ポート）から筐体１２０に入射されて第５の波長フィルタ１３０を透過した第４の波長λ４を持つ光信号を第４の波長フィルタ１２９へ向けて反射する。
【０１５３】
ファイバコリメータ１２１，１２２は、それに入出射する光線の第１の光軸がほぼ一致するように、ほぼ直線上に配置されている。波長フィルタ１２６，１２７は、この第１の光軸上にそれぞれ所定の角度で配置されている。
【０１５４】
ミラー１３１〜１３３は、ファイバコリメータ１２３〜１２５に入出射する光線の第２の光軸乃至第４の光軸がファイバコリメータ１２１からファイバコリメータ１２２への光線の第１の光軸にほぼ平行になるように、それぞれ第２の光軸乃至第４の光軸に対してそれぞれ所定の角度で配置されている。
【０１５５】
第１の波長λ１を持つ光信号は、ファイバコリメータ１２１，１２２の間で波長フィルタ１２６，１２７を介して光学的に結合する。第２の波長λ２を持つ光信号は、ファイバコリメータ１２１，１２３の間で、波長フィルタ１２６〜１２８及びミラー１３１を介して光学的に結合する。第３の波長λ３を持つ光信号は、ファイバコリメータ１２１，１２４の間で波長フィルタ１２６，１２９とミラー１３２とを介して光学的に結合する。第４の波長λ４を持つ光信号は、ファイバコリメータ１２１，１２５の間で波長フィルタ１２６，１２９，１３０とミラー１３２，１３３とを介して光学的に結合する。
【０１５６】
図６に示される光合分波器は、波長多重信号数が４波の例であるので、この場合に必要とする誘電体多層膜波長選択フィルタは、波長フィルタ１２６〜１３０の５枚であり、必要とする全反射ミラーは、ミラー１３１〜１３３の３枚である。
【０１５７】
次に、光合分波器の動作について説明する。最初に、分波する場合の動作について説明し、後で合波する場合の動作について説明する。
【０１５８】
分波する場合、ファイバコリメータ１２１から波長群（λ１〜λ４）の光信号が入射光信号として筐体１２０に入射する。この入射光信号は波長フィルタ１２６に入射する。波長フィルタ１２６に入射する波長群（λ１〜λ４）の光信号のうちの第１の波長λ１及び第２の波長λ２を持つ光信号は波長フィルタ１２６を透過し、且つ第３の波長λ３及び第４の波長λ４を持つ光信号は波長フィルタ１２６で反射される。即ち、波長群（λ１〜λ４）の光信号は、波長フィルタ１２６によって２つのグループに分割（分離）される。
【０１５９】
波長フィルタ１２６を透過した第１の波長λ１及び第２の波長λ２を持つ光信号は波長フィルタ１２７に入射する。この波長フィルタ１２７は、入射した光信号のうちの第１の波長λ１を持つ光信号を透過し、且つ第２の波長λ２を持つ光信号を反射するように設計・製造されている。そして、波長フィルタ１２７を透過した第１の波長λ１の光信号がファイバコリメータ１２２に結合するように、ファイバコリメータ１２１，１２２と波長フィルタ１２６，１２７との調芯・固定が行われる。
【０１６０】
一方、波長フィルタ１２７で反射された第２の波長λ２を持つ光信号は、ミラー１３１で折り返されるように反射し、更に波長フィルタ１２８を透過する。この波長フィルタ１２８を透過した第２の波長λ２を持つ光信号がファイバコリメータ１２３に結合するように、ファイバコリメータ１２３，ミラー１３１，及び波長フィルタ１２８の調芯・固定が行われる。ここで、第２の波長λ２を持つ光信号の結合先は、ファイバコリメータ１２４ではなく、ファイバコリメータ１２３となっている点が特色となっている。
【０１６１】
引き続いて、波長フィルタ１２６で反射された第３の波長λ３及び第４の波長λ４を持つ光信号の動作について説明する。
【０１６２】
第３の波長λ３及び第４の波長λ４を持つ光信号は、ミラー１３２で折り返されて波長フィルタ１２９に入射する。この波長フィルタ１２９は、入射した光信号のうちの第３の波長λ３を持つ光信号を透過し、且つ第４の波長λ４を持つ光信号を反射するように設計・製造されている。そして、波長フィルタ１２９を透過した第３の波長λ３を持つ光信号がファイバコリメータ１２４に結合するように、ミラー１３２，波長フィルタ１２９，及びファイバコリメータ１２４の調芯・固定が行われる。
【０１６３】
一方、波長フィルタ１２９で反射された第４の波長λ４を持つ光信号は、ミラー１３３で折り返されて波長フィルタ１３０を透過する。この波長フィルタ１３０を透過した第４の波長λ４を持つ光信号がファイバコリメータ１２５に結合するように、ミラー１３３，波長フィルタ１３０，及びファイバコリメータ１２５の調芯・固定が行われる。
【０１６４】
次に、合波する場合の動作について説明する。既に調芯されていれば問題ないが、調芯されていない場合には分波する場合と逆のやり方で調芯すれば良い。
【０１６５】
具体的に言えば、ファイバコリメータ１２３から筐体１２０に入射された第２の波長λ２を持つ光信号は、波長フィルタ１２８を透過してミラー１３１において反射し、その後は波長フィルタ１２７において折り返されるように反射する。
【０１６６】
一方、ファイバコリメータ１２２から筐体１２０に入射された第１の波長λ１を持つ光信号は、波長フィルタ１２７を透過する。このとき、波長フィルタ１２７を透過する第１の波長λ１を持つ光信号と、この波長フィルタ１２７で反射される第２の波長λ２を持つ光信号とは、互いにそれらの光軸が一致した状態で波長フィルタ１２６に入射する。この波長フィルタ１２６に入射する第１の波長λ１及び第２の波長λ２の光信号は、波長フィルタ１２６を透過してファイバコリメータ１２１に光学的に結合する。
【０１６７】
ファイバコリメータ１２２，１２３はほぼ平行に並んでいるが、以下に理由により完全には平行にはならない可能性がある。即ち、ファイバコリメータ１２１〜１２３の入出射角度，波長フィルタ１２６〜１２８及びミラー１３１の作製精度や各部品の筐体１２０に対する実装精度等により、多少の調整を行う必要があるからである。それにも拘わらず、ファイバコリメータ１２２，１２３をほぼ平行に配置することができる。
【０１６８】
又、ファイバコリメータ１２５から筐体１２０に入射する第４の波長λ４を持つ光信号は、波長フィルタ１３０を透過し、ミラー１３１で折り返されて、波長フィルタ１２９で折り返される。ファイバコリメータ１２４から筐体１２０に入射する第３の波長λ３を持つ光信号は波長フィルタ１２９を透過する。この波長フィルタ１２９を透過する第３の波長λ３を持つ光信号と、波長フィルタ１２９で反射される第４の波長λ４を持つ光信号とは、互いにそれらの光軸が一致した状態でミラー１３２へ向けて出射する。換言すれば、波長フィルタ１２９を透過する第３の波長λ３を持つ光信号の光軸と、波長フィルタ１２９で反射される第４の波長λ４を持つ光信号の光軸とが一致するように、各光学部品の調芯・固定が行われる。
【０１６９】
このように互いに光軸が一致した第３の波長λ３及び第４の波長λ４を持つ光信号は、ミラー１３２で折り返されると共に、波長フィルタ１２６でも折り返されて波長フィルタ１２７を透過する。この波長フィルタ１２７を透過する第３の波長λ３及び第４の波長λ４を持つ光信号がファイバコリメータ１２１に光学的に結合するように、ミラー１３２の調芯が行われる。
【０１７０】
ファイバコリメータ１２４，１２５についても、ファイバコリメータ１２２，１２３とほぼ平行に配置させられることは勿論である。
【０１７１】
本発明者等は、使用する第１の波長乃至第４の波長（λ１〜λ４）を持つ光信号の中心波長をそれぞれ１．４９μｍ，１．５１μｍ，１．５３μｍ，及び１．５５μｍに選択した結果、挿入損失が０．７ｄＢ以下、アイソレーションが３０ｄＢ以上の値が得られ、良好な結果が得られることを確認できた。勿論、選択する波長は、上述した値に限られるものではなく、１．３μｍ帯から１．６μｍ帯までの単一モードでの伝播条件を満たす範囲であれば、任意に選択することが可能である。
【０１７２】
次に、実施例６に係る光合分波器の具体的な製造方法について説明する。まず、ステンレス製の筐体１２０に対して、ファイバコリメータ１２１〜１２５を保持するための保持部を加工する。次に、筐体１２０に内蔵される誘電体多層膜による波長フィルタ１２６〜１３０とミラー１３１〜１３３との大よその位置決めをするためのマーキングを筐体１２０に施す。
【０１７３】
能動的な調芯作業に先立って、波長フィルタ１２６及びミラー１３１を上述したマーキングに従ってマイクロメータに連動するハンドリング用治具により筐体１２０に位置決めして仮固定する。波長フィルタ１２６は、波長範囲が１．４９μｍ〜１．５１μｍを持つ光信号を透過し、且つ波長範囲が１．５３μｍ〜１．５５μｍを持つ光信号を反射する。又、ミラー１３１は波長１．５１μｍを持つ光信号を反射する。
【０１７４】
次に、ファイバコリメータ１２１から出射された波長１．４９μｍを持つ光信号を波長フィルタ１２６，１２７を通過させてファイバコリメータ１２２に光学的に結合するための調芯作業を行う。即ち、所定の波長を持つ光信号を筐体１２０に入射させて、ファイバコリメータ１２２及び波長フィルタ１２６〜１２９を微細に調整することにより、結合効率が最大となるように調芯を行う。
【０１７５】
ここでの調芯作業は５分未満であった。それにも拘わらず、ファイバコリメータ１２１，１２２まで含めた結合損失は１ｄＢをかなり下回ったことを確認できた。その後、ファイバコリメータ１２１，１２２を金属半田より、波長フィルタ１２６，１２７を紫外線硬化型光学接着剤により強固に筐体１２０へ固定する。この固定作業による損失の増加は殆ど見られなったことを確認できた。
【０１７６】
次に、ファイバコリメータ１２１から波長１．５１μｍを持つ光信号を筐体１２０に入射し、第２の波長フィルタ１２７により反射させる。この波長フィルタ１２７により反射された波長１．５１μｍを持つ光信号は、誘電体多層膜によるミラー１３１により折り返され、波長フィルタ１２８を透過してファイバコリメータ１２３に入射する。結合効率を上げるために、ミラー１３１，波長フィルタ１２８，及びファイバコリメータ１２３をマイクロメータにより微細に調整する。ここでの筐体１２０への固定方法は、上述した場合と同様に、ファイバコリメータ１２３は金属半田を、ミラー１３１及び波長フィルタ１２８は光学接着剤を使用して行う。この際、ファイバコリメータ１２２の調芯ずれが生じないように、筐体１２０及びファイバコリメータ１２２は保持治具により強固に保持する。
【０１７７】
同様の方法により、ファイバコリメータ１２４，１２５、波長フィルタ１２９，１３０、及びミラー１３２，１３３を調芯／固定する。以上の作業により、本発明に係る光合分波器を製造することができる。
【０１７８】
実施例６に係る光合分波器の好ましい第１の特徴は、筐体１２０の好ましい端面に入出射ポートを配置することができることである。その理由は、特定の複数の波長を持つ光信号に対して、全反射ミラーとして作用する誘電体多層膜フィルタを用いているからである。第２の特徴は、部品点数を削減できると共に、部品の小型化が可能となったことである。部品点数を削減できる理由は、空間的に光を結合させる構造を採用しており、ファイバコリメータの数量を少なくできるからである。部品の小型化が可能となった理由は、筐体内にファイバの余長を収納するための空間を設ける必要がないからである。
【０１７９】
又、実施例６に係る光合分波器では、光ビームを２つのグループに分割してそれら２つのグループを独立に調芯／制御が可能である。従って、例えば後述するように、入出射ポートにレーザダイオード或いはフォトトランジスタを直接設置する場合等においては、それぞれの調芯のトレランスを加味した調芯／組立作業を容易に行うことも可能となる。更に、それぞれのグループに応じた調芯精度、組立手順で製造できるので、組立作業を容易化できる。例えば入出射ポートに直接レーザダイオード及びフォトダイオードを交互に設置する場合を想定する。この場合、複数のレーザダイオードを設置／調芯する作業は、複数のフォトダイオードを設置／調芯する作業と独立して実施できる。一般的にフォトダイオードを設置／調芯する作業は、レーザダイオードのそれよりも容易であるため、光ビームが２つのグループに分割されない場合と比べると設置／調芯時間を短縮できる。
【０１８０】
尚、合波の機能のみが要求される場合や、高いアイソレーションを要求されない場合には、波長フィルタ１２８，１３０の何れか一方又は双方を省略することができる。
【０１８１】
実施例６の形態では、４波長対応の光合分波器の場合を例示して説明したが、本発明の光合分波器は、これに限定されるものではなく、波長フィルタとミラーとの組み合わせにより、原理的には３波長，５波長，６波長，８波長，１６波長，更には３２波長等、その他の数の波長（その数分の多重化が可能であることを示す）に対応する構成にも応用可能である。
【０１８２】
次に、Ｐ（Ｐは３以上の整数）波長対応の光合分波器の一般的な場合についての構成について説明する。
【０１８３】
Ｐ波長対応の光合分波器は、互いに異なる第１の波長乃至第Ｐの波長（λ１〜λＰ）から成る波長群を持つ光信号を合波／分波するためのものである。光合分波器は、互いに対向する第１の側面及び第２の側面を持つ筐体と、この筐体の第１の側面に配置された第１の入出射ポートと、筐体の第２の側面に配置された第２の入出射ポート乃至第（Ｐ＋１）の入出射ポートとを備える。第１の入出射ポートは、上記波長群を持つ光信号を筐体に対して入出射するためのものである。第２の入出射ポート乃至第（Ｐ＋１）の入出射ポートは、それぞれ第１の波長乃至第Ｐの波長（λ１〜λＰ）を持つ光信号を入出射するためのものである。筐体は第１の光伝達手段乃至第Ｐの光伝達手段を備える。
【０１８４】
第ｐ（ｐはＰ以下の正の整数とする）の光伝達手段は、第１の入出射ポートから入射した第ｐの波長（λｐ）を持つ光信号を第（ｐ＋１）の入出射ポートへ向けて伝達し、更に第（ｐ＋１）の入出射ポートから入射した第ｐの波長（λｐ）を持つ光信号を第１の入出射ポートへ向けて伝達する。
【０１８５】
ところで、上記実施例６に係る形態では、光の入出射ポートをファイバコリメータとした場合を例示して説明したが、合波のみを行うのであれば、ファイバコリメータ１２２〜１２５に代えてレンズ及びレーザダイオード（ＬＤ）の組み合わせからなるＬＤモジュールを用いることも可能である。この場合、光合分波器は、光合波器として用いることができる。更に、分波のみを行うのであれば、ファイバコリメータ１２２〜１２５に代えてレンズ及びフォトダイオード（ＰＤ）の組み合わせからなるＰＤモジュールを用いることも可能である。この場合、光合分波器は、光分波器として用いることができる。加えて、実施例６に係る形態において、３枚のミラー１３１〜１３３を一体にして１枚のミラーとして構成することも可能である。
【実施例７】
【０１８６】
図７は、本発明の実施例７に係る光合分波器の基本構成（全体構成）を示した概略図である。この実施例７に係る光合分波器は、基本的な構成部分が先の実施例６に係る光合分波器と同様となっている。
【０１８７】
詳述すると、実施例７に係る光合分波器は、互いに対向する第１の側面（紙面において右側の側面）及び第２の側面（紙面において左側の側面）を持つ筐体１４８を有する。筐体１４８の第１の側面には、第１の入出射ポートとしてのファイバコリメータ１３８が配置されている。筐体１４８の第２の側面には、第２の入出射ポート乃至第５の入出射ポートとしてのファイバコリメータ１３９〜１４２が配置されている。
【０１８８】
ファイバコリメータ１３８（第１の入出射ポート）は、互いに異なる第１の波長乃至第４の波長λ１〜λ４から成る波長群を持つ光信号を筐体１４８に対して入出射するためのものである。ファイバコリメータ１３９〜１４２（第２の入出射ポート乃至５の入出射ポート）は、それぞれ、第１の波長乃至第４の波長λ１〜λ４を持つ光信号を入出射するためのものである。筐体１４８は、以下に説明する第１の光伝達手段乃至第４の光伝達手段を有する。
【０１８９】
第１の光伝達手段は、ファイバコリメータ１３８（第１の入出射ポート）から入射した第１の波長λ１を持つ光信号をファイバコリメータ１３９（第２の入出射ポート）へ向けて伝達すると共に、ファイバコリメータ１３９（第２の入出射ポート）から入射した第１の波長λ１を持つ光信号をファイバコリメータ１３８（第１の入出射ポート）へ向けて伝達する。
【０１９０】
第２の光伝達手段は、ファイバコリメータ１３８（第１の入出射ポート）から入射した第２の波長λ２を持つ光信号をファイバコリメータ１４０（第３の入出射ポート）へ向けて伝達すると共に、ファイバコリメータ１４０（第３の入出射ポート）から入射した第２の波長λ２を持つ光信号をファイバコリメータ１３８（第１の入出射ポート）へ向けて伝達する。
【０１９１】
第３の光伝達手段は、ファイバコリメータ１３８（第１の入出射ポート）から入射した第３の波長λ３を持つ光信号をファイバコリメータ１４１（第４の入出射ポート）へ向けて伝達すると共に、ファイバコリメータ１４１（第４の入出射ポート）から入射した第３の波長λ３を持つ光信号をファイバコリメータ１３８（第１の入出射ポート）へ向けて伝達する。
【０１９２】
第４の光伝達手段は、ファイバコリメータ１３８（第１の入出射ポート）から入射した第４の波長λ４を持つ光信号をファイバコリメータ１４２（第５の入出射ポート）へ向けて伝達すると共に、ファイバコリメータ１４２（第５の入出射ポート）から入射した第４の波長λ４を持つ光信号をファイバコリメータ１３８（第１の入出射ポート）へ向けて伝達する。
【０１９３】
本発明の実施例７に係る光合分波器は、以下に説明するように、実施例６に係る光合分波器とは、第１の光伝達手段乃至第４の光伝達手段の構成が異なる。
【０１９４】
詳述すると、第１の光伝達手段は、ファイバコリメータ１３９の近傍に配置された波長フィルタ１４３から構成されると共に、この波長フィルタ１４３が第１の波長λ１を持つ光信号のみ透過し、且つ第２の波長乃至第４の波長λ２〜λ４を持つ光信号を反射する。
【０１９５】
第２の光伝達手段は、上述した波長フィルタ１４３と、ファイバコリメータ１４０の近傍に配置される波長フィルタ１４４と、筐体１４８の第１の側面側に配置された第１の反射手段としての全反射ミラー１４７とから構成される。波長フィルタ１４４は、第２の波長λ２を持つ光信号のみを透過し、且つ第３の波長λ３及び第４の波長λ４を持つ光信号を反射する。ミラー１４７は、波長フィルタ１４３で反射された第２の波長乃至第４の波長λ２〜λ４を持つ光信号を波長フィルタ１４４へ向けて反射すると共に、ファイバコリメータ１４０から入射されて波長フィルタ１４４を透過した第２の波長λ２の光信号を波長フィルタ１４３へ向けて反射する。
【０１９６】
第３の光伝達手段は、上述した波長フィルタ１４３，１４４と、ファイバコリメータ１４１の近傍に配置された波長フィルタ１４５と、筐体１４８内の第１の側面側に配置された第２の反射手段としての全反射ミラー１４７とから構成される。波長フィルタ１４５は、第３の波長λ３を持つ光信号のみを透過し、且つ第４の波長λ４を持つ光信号を反射する。ミラー１４７は、波長フィルタ１４４で反射された第３の波長λ３及び第４の波長λ４を持つ光信号を波長フィルタ１４５へ向けて反射すると共に、ファイバコリメータ１４１から入射され、波長フィルタ１４５を透過した第３の波長λ３の光信号を波長フィルタ１４４へ向けて反射する。
【０１９７】
第４の光伝達手段は、上述した波長フィルタ１４３，１４４，１４５と、ファイバコリメータ１４２の近傍に配置された波長フィルタ１４６と、筐体１４８内の第１の側面側に配置された第３の反射手段としての全反射ミラー１４７とから構成される。波長フィルタ１４６は、第４の波長λ４を持つ光信号のみを透過する。ミラー１４７は、波長フィルタ１４５で反射された第４の波長λ４を持つ光信号を波長フィルタ１４６へ向けて反射すると共に、ファイバコリメータ１４２から入射されて波長フィルタ１４６を透過した第４の波長λ４の光信号を波長フィルタ１４５へ向けて反射する。
【０１９８】
図７に示す例では、第１の反射手段乃至第３の反射手段としてのミラー１４７は一枚のミラーで構成されている。但し、ミラー１４７を２分割或いは３分割としても何ら問題ないことは言うまでもない。
【０１９９】
ファイバコリメータ１３８，１３９は、それぞれに入出射する光線の第１の光軸がほぼ一致するようにほぼ直線上に配置されており、その第１の光軸上に波長フィルタ１４３が所定の角度で配置されている。
【０２００】
ファイバコリメータ１４０〜１４２に入出射する光線の第２の光軸乃至第４の光軸がファイバコリメータ１３８からファイバコリメータ１３９への光線の第１の光軸にほぼ平行になるように、ミラー１４７は第２の光軸乃至第４の光軸に対して所定の角度でかつ所定の位置に配置されている。
【０２０１】
波長フィルタ１４４〜１４６は、それぞれ第２の光軸乃至第４の光軸に対してそれぞれ所定の角度で配置されている。第１の波長λ１を持つ光信号は、ファイバコリメータ１３８，１３９の間で波長フィルタ１４３を介して光学的に結合する。第２の波長λ２を持つ光信号は、ファイバコリメータ１３８，１４０の間で波長フィルタ１４３，１４４とミラー１４７とを介して光学的に結合する。第３の波長λ３を持つ光信号は、ファイバコリメータ１３８，１４１の間で波長フィルタ１４３，１４５とミラー１４７とを介して光学的に結合する。第４の波長λ４を持つ光信号は、ファイバコリメータ１３８，１４２の間で波長フィルタ１４３〜１４６とミラー１４７とを介して光学的に結合する。
【０２０２】
図７に示した実施例７に係る光合分波器の構成においては、第４の波長λ４を持つ光信号に対して繰り返し反射の回数が多くなるが、その代わりに図６に示した波長フィルタ１２６を省略することが可能である。
【０２０３】
尚、本発明の光合分波器は、上述した実施例６，７の形態のものに限定されず、その技術的要旨を逸脱しない範囲内で種々の変更が可能であることは言うまでもない。例えば、本発明の適用できる範囲は、６波以上の例えば８波や１６波以上の複数波多重を用途とする光合分波器にも及ぶだけでなく、波長間隔の非常に狭い高密度波長多重（ＤＷＤＭ）の光合分波器にも適用可能である。但し、６波以上の多重については、単純に波長フィルタの数を増やすこと、或いは２波，４波の多重構成を単位として複数組み合わせることにより対応させることができる。高密度波長多重向けの光合分波器については、誘電体多層膜を持つ波長フィルタを適宜組み合わせれば、一層対応が容易になる。
【実施例８】
【０２０４】
図８は、本発明の実施例８に係る光合分波器の基本構成（全体構成）を示した概略図である。この実施例８に係る光合分波器は、互いに対向する第１の側面（紙面において左側の側面）及び第２の側面（紙面において右側の側面）を持つ筐体を有する。
【０２０５】
筐体における第１の側面には、第１の入出射ポートとしてのファイバコリメータ１５１及び第２の入出射ポートとしてのファイバコリメータ１５２が配置されており、第２の側面には、第３の入出射ポート乃至第６の入出射ポートとしてのファイバコリメータ１５３〜１５６が配置されている。各入出射ポートは、光信号入出射手段とも呼ばれても良いもので、光ファイバとレンズとから成るファイバコリメータにより構成されている。特に図８に示すファイバコリメータ１５１，１５２には２芯コリメータを用いている。尚、光信号入出射手段を構成する光ファイバとレンズとは、光信号がコリメート光となる位置に配置されている。
【０２０６】
ファイバコリメータ１５１（第１の入出射ポート）は、互いに異なる第１の波長乃至第４の波長λ１〜λ４から成る第１の波長群を持つ光信号と、それ以外の波長である第５の波長乃至第（ｍ＋３）の波長λ５，・・・，λｍ〜λｍ＋３から成る第２の波長群を持つ光信号とを筐体に対して入出射するためのものである。ファイバコリメータ１５２（第２の入出射ポート）は、上記第２の波長群の光信号を筐体に対して入出射するためのものである。ファイバコリメータ１５３〜１５６（第３の入出射ポート乃至第６の入出射ポート）は、それぞれ第１の波長乃至第４の波長λ１〜λ４を持つ光信号を入出射するためのものである。
【０２０７】
筐体は、以下に説明するような透過／反射手段１５７と第１の光伝達手段乃至第４の光伝達手段とを有する。
【０２０８】
透過／反射手段１５７は、ファイバコリメータ１５１，１５２の近傍に配置されると共に、ファイバコリメータ１５１から入射した光信号のうちの第１の波長群を持つ光信号を透過し、且つ第２の波長群を持つ光信号をファイバコリメータ１５２へ向けて反射し、更にファイバコリメータ１５２から入射した第２の波長群を持つ光信号を反射し、且つその反射した第２の波長群を持つ光信号を筐体の第２の側面側から入射される第１の波長群を持つ光信号と合波してファイバコリメータ１５１へ向けて出射する。図８に示す例の場合、透過／反射手段１５７は、誘電体多層膜による波長選択フィルタ（以下、単に「波長フィルタ」と呼ぶ）で構成されている。
【０２０９】
第１の光伝達手段は、ファイバコリメータ１５１から波長フィルタ１５７を介して入射した第１の波長λ１を持つ光信号をファイバコリメータ１５３へ向けて伝達すると共に、ファイバコリメータ１５３から入射した第１の波長λ１を持つ光信号を波長フィルタ１５７を介してファイバコリメータ１５１へ向けて伝達する。
【０２１０】
第２の光伝達手段は、ファイバコリメータ１５１から波長フィルタ１５７を介して入射した第２の波長λ２を持つ光信号をファイバコリメータ１５４へ向けて伝達すると共に、ファイバコリメータ１５４から入射した第２の波長λ２を持つ光信号を波長フィルタ１５７を介してファイバコリメータ１５１へ向けて伝達する。
【０２１１】
第３の光伝達手段は、ファイバコリメータ１５１から波長フィルタ１５７を介して入射した第３の波長λ３を持つ光信号をファイバコリメータ１５５へ向けて伝達すると共に、ファイバコリメータ１５５から入射した第３の波長λ３を持つ光信号を波長フィルタ１５７を介してファイバコリメータ１５１へ向けて伝達する。
【０２１２】
第４の光伝達手段は、ファイバコリメータ１５１から波長フィルタ１５７を介して入射した第４の波長λ４を持つ光信号をファイバコリメータ１５６へ向けて伝達すると共に、ファイバコリメータ１５６から入射した第４の波長λ４を持つ光信号を波長フィルタ１５７を介してファイバコリメータ１５１へ向けて伝達する。
【０２１３】
図８に示す例では、第１の光伝達手段は、第１の波長フィルタ１５８及び第２の波長フィルタ１５９から成っている。第１の波長フィルタ１５８は、波長フィルタ１５７と筐体の第２の側面との間に配置されると共に、第１の波長λ１及び第２の波長λ２を持つ光信号を透過し、且つ第３の波長λ３及び第４の波長λ４を持つ光信号を反射する。第２の波長フィルタ１５９は、ファイバコリメータ１５３の近傍で第１の波長フィルタ１５８と筐体の第２の側面との間に配置されると共に、第１の波長λ１を持つ光信号を透過し、且つ第２の波長λ２を持つ光信号を反射する。
【０２１４】
第２の光伝達手段は、上述した波長フィルタ１５８，１５９と、第３の波長フィルタ１６０と、第１の反射手段としての全反射ミラー１６３とから成っている。第３の波長フィルタ１６０は、ファイバコリメータ１５４の近傍に配置されると共に、第２の波長λ２を持つ光信号のみを透過する。全反射ミラー１６３は、第２の波長フィルタ１５９で反射された第２の波長λ２を持つ光信号を第３の波長フィルタ１６０へ向けて反射すると共に、ファイバコリメータ１５４から筐体内に入射されて第３の波長フィルタ１６０を透過した第２の波長λ２を持つ光信号を第２の波長フィルタ１５９へ向けて反射する。図８に示す例では、第１の反射手段は、全反射ミラー１６３から構成されており、以下では全反射ミラーを単にミラーとも呼ぶ。
【０２１５】
第３の光伝達手段は、上述した第１の波長フィルタ１５８と、第４の波長フィルタ１６１と、第２の反射手段としての第２の全反射ミラー１６４とから成っている。
【０２１６】
第４の波長フィルタ１６１は、ファイバコリメータ１５５の近傍に配置されると共に、第３の波長λ３を持つ光信号を透過し、且つ第４の波長λ４を持つ光信号を反射する。第２のミラー１６４は、筐体の第１の側面側に配置されると共に、第１の波長フィルタ１５８で反射された第３の波長λ３及び第４の波長λ４を持つ光信号を第４の波長フィルタ１６１へ向けて反射し、更に第４の波長フィルタ１６１を透過した第３の波長λ３を持つ光信号と第４の波長フィルタ１６１で反射された第４の波長λ４を持つ光信号とを第１の波長フィルタ１５８へ向けて反射する。
【０２１７】
第４の伝達手段は、上述した第１の波長フィルタ１５８及び第４の波長フィルタ１６１と、第５の波長フィルタ１６２と、第３の反射手段としての第３の全反射ミラー１６５とから成っている。第５の波長フィルタ１６２は、ファイバコリメータ１５６の近傍に配置されると共に、第４の波長を持つ光信号のみを透過する。第３のミラー１６５は、第４の波長フィルタ１６１で反射された第４の波長λ４を持つ光信号を第５の波長フィルタ１６２へ向けて反射し、更にファイバコリメータ１５６から筐体に入射されて第５の波長フィルタ１６２を透過した第４の波長λ４を持つ光信号を第４の波長フィルタ１６１へ向けて反射する。
【０２１８】
但し、ここでファイバコリメータ１５１，１５２とファイバコリメータ１５３とは、それぞれに入出射する光線の第１の光軸がほぼ一致するようにほぼ直線上に配置されており、その第１の光軸上に波長フィルタ１５７と波長フィルタ１５８，１５９とがそれぞれ所定の角度で配置されている。
【０２１９】
ファイバコリメータ１５４，１５５，１５６に入出射する光線の第２の光軸乃至第４の光軸がファイバコリメータ１５１，１５２からファイバコリメータ１５３への光線の第１の光軸にほぼ平行になるように、ミラー１６３，１６４，１６５はそれぞれ第２の光軸乃至第４の光軸に対してそれぞれ所定の角度で配置されている。
【０２２０】
第１の波長λ１を持つ光信号は、ファイバコリメータ１５１，１５３の間で波長フィルタ１５７と波長フィルタ１５８，１５９とを介して光学的に結合する。第２の波長λ２を持つ光信号は、ファイバコリメータ１５１，１５４の間で波長フィルタ１５７と波長フィルタ１５８，１５９，１６０とミラー１６３とを介して光学的に結合する。第３の波長λ３を持つ光信号は、ファイバコリメータ１５１，１５５の間で波長フィルタ１５７と波長フィルタ１５８，１６１とミラー１６４とを介して光学的に結合する。第４の波長λ４を持つ光信号は、ファイバコリメータ１５１，１５６の間で波長フィルタ１５７と波長フィルタ１５８，１６１，１６２とミラー１６４，１６５とを介して光学的に結合する。第１の波長乃至第４の波長λ１〜λ４以外の波長を持つ光信号は、ファイバコリメータ１５１，１５２の間で波長フィルタ１５７を介して光学的に結合する。
【０２２１】
図８に示す光合分波器は、波長多重信号数が４波である場合を示している。この場合、必要とする誘電体多層膜による波長フィルタは、他の波長域を反射する１枚の波長フィルタ１５７を別にすると波長フィルタ１５８〜１６２による５枚であり、又必要とする全反射ミラーはミラー１６３〜１６５による３枚である。
【０２２２】
次に、この実施例８に係る光合分波器の動作について説明する。最初に、分波する場合の動作について説明し、後で合波する場合の動作について説明する。
【０２２３】
分波する場合、ファイバコリメータ１５１から第１の波長群の光信号と第２の波長群の光信号とを入射光信号として筐体に入射する。波長フィルタ１５７は、この入射光信号のうちの第１の波長群λ１〜λ４の光信号を選択的に透過して波長フィルタ１５８に入射する。そこで、波長フィルタ１５７は、この入射光信号のうちの第２の波長群λ５〜（λｍ＋３）を反射してファイバコリメータ１５２へ向けて出射する。
【０２２４】
尚、図８に示す例では、ファイバコリメータ１５１，１５２は、２芯コリメータで構成されているが、これらは別々の１芯コリメータで構成されても良い。但し、ファイバコリメータ１５１，１５２が別々の１芯コリメータで構成されている場合に比較べ、２芯コリメータで構成されている方がレンズを１個，  並びにフェルールを１個削減することができるので、部品点数の削減の観点からは２芯コリメータとする方が有利である。
【０２２５】
波長フィルタ１５８に入射する第１の波長群λ１〜λ４の光信号のうちの第１の波長λ１及び第２の波長λ２を持つ光信号は波長フィルタ１５８を透過し、第３の波長λ３及び第４の波長λ４を持つ光信号は波長フィルタ１５８で反射される。即ち、第１の波長群λ１〜λ４の光信号は、波長フィルタ１５８によって２つのグループに分割（分離）される。
【０２２６】
波長フィルタ１５８を透過した第１の波長λ１及び第２の波長λ２を持つ光信号は波長フィルタ１５９に入射する。波長フィルタ１５９は、この入射した光信号のうちの第１の波長λ１を持つ光信号を透過し、且つ第２の波長λ２を持つ光信号を反射するように設計・製造されている。そして、波長フィルタ１５９を透過した第１の波長λ１の光信号がファイバコリメータ１５３に結合するように、ファイバコリメータ１５１〜１５３と波長フィルタ１５７と波長フィルタ１５８，１５９との調芯／固定が行われる。
【０２２７】
又、波長フィルタ１５９で反射された第２の波長λ２を持つ光信号は、ミラー１６３で折り返されるように反射し、更に波長フィルタ１６０を透過する。この波長フィルタ１６０を透過した第２の波長λ２を持つ光信号がファイバコリメータ１５４に結合するように、ファイバコリメータ１５４とミラー１６３と波長フィルタ１６０との調芯／固定が行われる。ここで、第２の波長λ２を持つ光信号の結合先は、ファイバコリメータ１５５ではなく、ファイバコリメータ１５４となっている点が特色となっている。
【０２２８】
引き続いて、波長フィルタ１５８で反射された第３の波長λ３及び第４の波長λ４を持つ光信号の動作について説明する。
【０２２９】
第３の波長λ３及び第４の波長λ４を持つ光信号は、ミラー１６４で折り返されて波長フィルタ１６１に入射する。この波長フィルタ１６１は、入射した光信号のうちの第３の波長λ３を持つ光信号を透過し、且つ第４の波長λ４を持つ光信号を反射するように設計・製造されている。そして、波長フィルタ１６１を透過した第３の波長λ３を持つ光信号がファイバコリメータ１５５に結合するように、ミラー１６４と波長フィルタ１６１とファイバコリメータ１５５との調芯・固定が行われる。更に、波長フィルタ１６１で反射された第４の波長λ４を持つ光信号は、ミラー１６５で折り返されて波長フィルタ１６２を透過する。この波長フィルタ１６２を透過した第４の波長λ４を持つ光信号がファイバコリメータ１５６に結合するように、ミラー１６５と波長フィルタ１６２とファイバコリメータ１５６との調芯・固定が行われる。
【０２３０】
次に、合波する場合の動作について説明する。既に調芯されていれば問題ないが、調芯されていない場合には分波するのと逆のやり方で調芯すれば良い。
【０２３１】
具体的に言えば、ファイバコリメータ１５４から筐体に入射された第２の波長λ２を持つ光信号は、波長フィルタ１６０を透過し、且つミラー１６３において反射し、その後に波長フィルタ１５９において折り返されるように反射する。
【０２３２】
又、ファイバコリメータ１５３から筐体に入射された第１の波長λ１を持つ光信号は、波長フィルタ１５９を透過するが、このときに波長フィルタ１５９を透過する第１の波長λ１を持つ光信号と波長フィルタ１５９で反射される第２の波長λ２を持つ光信号とは、互いにそれらの光軸が一致した状態で波長フィルタ１５８に入射する。この波長フィルタ１５８に入射する第１の波長λ１及び第２の波長λ２の光信号は、波長フィルタ１５８を透過し、更に波長フィルタ１５７を透過してファイバコリメータ１５１に結合する。
【０２３３】
ファイバコリメータ１５３，１５４はほぼ平行に並んでいるが、以下に説明する理由により完全には平行にならない可能性がある。即ち、こうした要因にはファイバコリメータ１５１〜１５４の入出射角度、波長フィルタ１５７，波長フィルタ１５８〜１６０，及びミラー１６３の作製精度や各部品の筐体に対する実装精度等により、多少の調整を行う必要があることが挙げられる。それにも拘わらず、ファイバコリメータ１５３，１５４をほぼ平行に配置することができる。
【０２３４】
一方、ファイバコリメータ１５６から筐体に入射する第４の波長λ４を持つ光信号は、波長フィルタ１６２を透過してミラー１６５で折り返され、更に波長フィルタ１６１で折り返される。ファイバコリメータ１５５から筐体に入射する第３の波長λ３を持つ光信号は波長フィルタ１６１を透過する。この波長フィルタ１６１を透過する第３の波長λ３を持つ光信号と波長フィルタ１６１で反射される第４の波長λ４を持つ光信号とは、互いにそれらの光軸が一致した状態でミラー１６４へ向けて出射する。換言すれば、波長フィルタ１６１を透過する第３の波長λ３を持つ光信号の光軸と波長フィルタ１６１で反射される第４の波長λ４を持つ光信号の光軸とが一致するように、各光学素子の調芯・固定が行われる。
【０２３５】
このように互いに光軸が一致した第３の波長λ３及び第４の波長λ４を持つ光信号は、ミラー１６４で折り返されて、更に波長フィルタ１５８で折り返されて波長フィルタ１５７を透過する。この波長フィルタ１５７を透過する第３の波長λ３及び第４の波長λ４を持つ光信号がファイバコリメータ１５１に光学的に結合するように、ミラー１６４の調芯が行われる。
【０２３６】
ファイバコリメータ１５５，１５６についても、ファイバコリメータ１５３，１５４とほぼ平行に配置させられることは勿論である。
【０２３７】
本発明者等は、使用する第１の波長乃至第４の波長λ１〜λ４を持つ光信号の中心波長をそれぞれ１．４９μｍ，１．５１μｍ，１．５３μｍ，及び１．５５μｍに選択したところ、挿入損失が０．７ｄＢ以下であり、アイソレーションが３０ｄＢ以上の値が得られ、良好な結果が得られることを確認した。但し、選択する波長は、上述した値に限られるものではなく、１．３μｍ帯から１．６μｍ帯までの単一モードでの伝播条件を満たす範囲であれば、任意に選択することができる。
【０２３８】
以下は、実施例８に係る光合分波器の具体的な製造方法について説明する。先ず、ステンレス製の筐体に対してファイバコリメータ１５１〜１５６を保持するための保持部を加工する。次に、筐体に内蔵される誘電体多層膜による波長フィルタ１５７〜１６２とミラー１６３〜１６５とのおおよその位置決めをするためのマーキングを筐体に施す。
【０２３９】
波長フィルタ１５７は、予めファイバコリメータ１５１，１５２（又は２芯コリメータ）に対して第１の波長乃至第４の波長から成る第１の波長群を持つ光信号以外の光信号（即ち、第２の波長群を持つ光信号）をファイバコリメータ１５２に光学的に結合させるように調芯される。この調芯の後、波長フィルタ１５７は、ファイバコリメータ１５１，１５２と共に筐体に固定される。
【０２４０】
能動的な調芯作業に先立って、波長フィルタ１５８及びミラー１６３を上述したマーキングに従ってマイクロメータに連動するハンドリング用治具により筐体に位置決めして仮固定する。尚、波長フィルタ１５８は、波長１．４９μｍ〜１．５１μｍを持つ光信号を透過し、且つ波長１．５３μｍ〜１．５５μｍを持つ光信号を反射する。又、ミラー１６３は波長１．５１μｍを持つ光信号を反射する。
【０２４１】
次に、ファイバコリメータ１５１から出射された波長１．４９μｍを持つ光信号を、波長フィルタ１５７と波長フィルタ１５８，１５９を通過させてファイバコリメータ１５３に光学的に結合するための調芯作業を行う。即ち、所定の波長を持つ光信号を筐体に入射させてファイバコリメータ１５３と波長フィルタ１５８，１５９とを微細に調整することにより、結合効率が最大となるように調芯を行う。
【０２４２】
ここでの調芯作業は５分未満であった。それにも拘わらず、ファイバコリメータまで含めた結合損失は１ｄＢをかなり下回ったことを確認できた。その後、ファイバコリメータ１５１〜１５３を金属半田より、又波長フィルタ１５７〜１５９を紫外線硬化型光学接着剤により強固に筐体へ固定する。この固定作業による損失の増加は殆ど見られなったことを確認できた。
【０２４３】
更に、ファイバコリメータ１５１から波長１．５１μｍを持つ光信号を筐体に入射し、波長フィルタ１５９により反射させる。この波長フィルタ１５９により反射された波長１．５１μｍを持つ光信号は、ミラー１６３により折り返され、波長フィルタ１６０を透過してファイバコリメータ１５４に入射する。結合効率を上げるために、ミラー１６３，波長フィルタ１６０，及びファイバコリメータ１５４をマイクロメータにより微細に調整する。ここでの筐体への固定方法は、上述した場合と同様に、ファイバコリメータ１５４は金属半田を、ミラー１６３及び波長フィルタ１６０は光学接着剤を使用して行う。この際、ファイバコリメータ１５３の調芯ずれが生じないように、筐体およびファイバコリメータ１５３を保持治具によりしっかりと保持する。
【０２４４】
同様な手法により、ファイバコリメータ１５５，１５６と波長フィルタ１６１，１６２とミラー１６４，１６５とを調芯・固定する。以上の作業により、実施例８に係る光合分波器を製造することができる。
【０２４５】
この実施例８に係る光合分波器の好ましい第１の特徴は、筐体の好ましい端面に入出射ポートを配置することができることである。その理由は、特定の複数の波長に対して全反射ミラーとして作用する誘電体多層膜による波長フィルタを用いているからである。第２の特徴は、部品点数を削減できると共に、部品の小型化が可能となったことである。部品点数を削減できる理由は、空間的に光を結合させる構造を採用しており、ファイバコリメータの数量を少なくできるからである。部品の小型化が可能となった理由は、筐体内にファイバの余長を収納するための空間を設ける必要がないからである。第３の特徴は、１波長ずつの合分波を行わない他の波長を持つ光信号を別の光路に導くことができることである。その理由は、ファイバコリメータ１５１（第１の入出射ポート）にファイバコリメータ１５２（第２の入出射ポート）を併設し、これらに近接して波長フィルタ１４７を設けているからである。
【０２４６】
尚、実施例８に係る光合分波器において、合波の機能のみを要求される場合や高いアイソレーションを要求されない場合には波長フィルタ１６０，１６２の何れか片方又は両方を省略することができる。
【０２４７】
又、実施例８に係る形態では、光の入出射ポートをファイバコリメータとした場合を例示して説明したが、合波のみを行うのであれば、ファイバコリメータ１５３〜１５６に代えてレンズとレーザダイオード（ＬＤ）との組み合わせから成るＬＤモジュールを用いることも可能であり、又分波のみを行うのであれば、ファイバコリメータ１５５〜１５６に代えてレンズとフォトダイオード（ＰＤ）との組み合わせから成るＰＤモジュールを用いることも可能である。
【０２４８】
更に、実施例８に係る形態では、１個につき４波長対応の光合分波器を構成した場合を例示して説明したが、本発明の光合分波器は、これに限定されるものではなく、波長フィルタとミラーとの組み合わせにより、原理的には３波長，５波長，６波長，８波長，１６波長，更には３２波長等の他の数の波長（その数分の多重化が可能であることを示す）へと対応させる構成にも応用可能である。
【０２４９】
以下は、Ｐ（Ｐは３以上の整数）波長対応の光合分波器の一般的な場合についての構成について説明する。
【０２５０】
Ｐ波長対応の光合分波器は、互いに異なる第１の波長乃至第Ｐの波長λ１〜λＰから成る第１の波長群を持つ光信号を他の光信号に合波／分波するか、或いは第１の波長群を持つ光信号を他の光信号から合波／分波するためのものである。この光合分波器は、互いに対向する第１の側面及び第２の側面を持つ筐体と、この筐体におけるの第１の側面に配置された第１の入出射ポート及び第２の入出射ポートと、第２の側面に配置された第３の入出射ポート乃至第（Ｐ＋２）の入出射ポートとを備える。第１の入出射ポートは、第１の波長群を持つ光信号とそれ以外の波長から成る第２の波長群を持つ光信号とを筐体に対して入出射するためのものである。第２の入出射ポートは、第２の波長群の光信号を筐体に対して入出射するためのものである。第３の入出射ポート乃至（Ｐ＋２）の入出射ポートは、それぞれ第１の波長乃至第Ｐの波長λ１〜λＰを持つ光信号を入出射するためのものである。
【０２５１】
筐体は、第１の入出射ポート及び第２の入出射ポートの近傍に配置された透過／反射手段と、第１の光伝達手段乃至第Ｐの光伝達手段とを備える。
【０２５２】
透過／反射手段は、第１の入出射ポートから入射した光信号のうちの第１の波長群を持つ光信号を透過し、且つ第２の波長群を持つ光信号を第２の入出射ポートへ向けて反射する。透過／反射手段は、第２の入出射ポートから入射した第２の波長群を持つ光信号を反射し、更にその反射した第２の波長群を持つ光信号を第２の側面側から入射される第１の波長群を持つ光信号と合波して第１の入出射ポートへ向けて出射する。
【０２５３】
第ｐ（ｐはＰ以下の正の整数とする）の光伝達手段は、第１の入出射ポートから透過／反射手段を介して入射した第ｐの波長λｐを持つ光信号を第（ｐ＋２）の入出射ポートへ向けて伝達し、更に第（ｐ＋２）の入出射ポートから入射した第ｐの波長λｐを持つ光信号を透過／反射手段を介して第１の入出射ポートへ向けて伝達する。
【実施例９】
【０２５４】
図９は、本発明の実施例９に係る光合分波器の基本構成（全体構成）を示す概略図である。この実施例９に係る光合分波器は、光信号入出射手段として、ピグテールファイバ及びレンズから成るファイバコリメータを配置する例である。ピグテールファイバとレンズとは、筐体において光信号がコリメート光となるような位置に配置される。図９に示す例では、１波長ずつ合分波する波長多重信号数が４波の場合を示しており、この場合、次段以降の光合分波器に結合する第２の入出射ポートとしてのファイバコリメータ１５２に入出射させるための波長フィルタ１５７を別にすると、必要となる誘電体多層膜による波長フィルタは５枚となり、同様に必要となる全反射ミラーは１枚となる。
【０２５５】
図９を参照すれば、実施例９に係る光合分波器は構成上、図８に示した先の実施例８に係る光合分波器と対比した場合、ミラー１６３〜１６５を１枚のミラー１６６に置き換えたものであるので、図８に示したものと同様な機能を有する部分には同一の参照符号を付して説明を省略する。
【０２５６】
ここでの実施例９に係る光合分波器によれば、実施例８の場合よりもミラーの必要枚数を２枚少なくすることができる。但し、部品点数を削減できる分、調芯方法を工夫する必要があるが、これには例えば各波長毎に行っていたミラーの調芯作業を３波長に対して同時に行うように工夫すれば良い。或いは１波長と２波長とに対してミラーの調芯作業を行うようにしても、性能的には何ら問題は生じない。勿論、この場合にはミラーを２個にするような構成にすることも可能になる。
【０２５７】
本発明者等は、ファイバコリメータ１５３〜１５６に入出射する第１の波長乃至第４の波長λ１〜λ４を持つ光信号の中心波長を１．２７μｍ，１．２９μｍ，１．３１μｍ，及び１．３３μｍに選択したところ、挿入損失が０．７ｄＢ以下、アイソレーションが３０ｄＢ以上の値が得られ、良好な結果が得られることを確認した。勿論、選択する波長は、上述した値に限定されるものではなく、１．３μｍ帯から１．６μｍまでの単一モードでの伝播条件を満たす範囲であれば、任意に選択することができる。
【実施例１０】
【０２５８】
図１０は、本発明の実施例１０に係る光合分波器の基本構成（全体構成）を示す概略図である。この実施例１０に係る光合分波器は、図８に示した先の実施例８に係る光合分波器と比べて、基本的な構成は同様である。
【０２５９】
具体的に言えば、図１０に示される光合分波器は、互いに対向する第１の側面（紙面に対して左側にある側面）及び第２の側面（紙面に対して右側にある側面）を持つ筐体を有する。
【０２６０】
筐体における第１の側面には、第１の入出射ポート及び第２の入出射ポートとしてのファイバコリメータ１７１及びファイバコリメータ１７２が配置され、第２の側面には、第３の入出射ポート乃至第６の入出射ポートとしてのファイバコリメータ１７３〜１７６が配置されている。
【０２６１】
ファイバコリメータ１７１（第１の入出射ポート）は、互いに異なる第１の波長乃至第４の波長λ１〜λ４から成る第１の波長群を持つ光信号と、それ以外の波長λ５，・・・，λｍ〜（λｍ＋３）から成る第２の波長群を持つ光信号とを筐体に対して入出射するためのものである。ファイバコリメータ１７２（第２の入出射ポート）は、第２の波長群の光信号を筐体に対して入出射するためのものである。ファイバコリメータ１７３〜１７６（第３の入出射ポート乃至第６の入出射ポート）は、それぞれ、第１の波長乃至第４の波長λ１〜λ４を持つ光信号を入出射するためのものである。
【０２６２】
筐体は、透過／反射手段１７７と、後述する第１の光伝達手段乃至第４の光伝達手段とを有する。
【０２６３】
透過／反射手段１７７は、ファイバコリメータ１７１，１７２の近傍に配置されていると共に、ファイバコリメータ１７１から入射した光信号のうちの第１の波長群を持つ光信号を透過し、且つ第２の波長群を持つ光信号をファイバコリメータ１７２へ向けて反射し、更にファイバコリメータ１７２から入射した第２の波長群を持つ光信号を反射し、その反射した第２の波長群を持つ光信号を筐体の第２の側面側から入射される第１の波長群を持つ光信号と合波してファイバコリメータ１７１へ向けて反射する。図１０に示す例では、透過／反射手段１７７は、誘電体多層膜による波長選択フィルタ（波長フィルタ）で構成されている。
【０２６４】
第１の光伝達手段は、ファイバコリメータ１７１（第１の入出射ポート）から透過／反射手段１７７を介して入射した第１の波長λ１を持つ光信号をファイバコリメータ１７３（第３の入出射ポート）へ向けて伝達し、更にファイバコリメータ１７３（第３の入出射ポート）から入射した第１の波長λ１を持つ光信号を透過／反射手段１７７を介してファイバコリメータ１７１（第１の入出射ポート）へ向けて伝達する。
【０２６５】
第２の光伝達手段は、ファイバコリメータ１７１（第１の入出射ポート）から透過／反射手段１７７を介して入射した第２の波長λ２を持つ光信号をファイバコリメータ１７４（第４の入出射ポート）へ向けて伝達し、更にファイバコリメータ１７４（第４の入出射ポート）から入射した第２の波長λ２を持つ光信号を透過／反射手段１７７を介してファイバコリメータ１７１（第１の入出射ポート）へ向けて伝達する。
【０２６６】
第３の光伝達手段は、ファイバコリメータ１７１（第１の入出射ポート）から透過／反射手段１７７を介して入射した第３の波長λ３を持つ光信号をファイバコリメータ１７５（第５の入出射ポート）へ向けて伝達し、更にファイバコリメータ１７５（第５の入出射ポート）から入射した第３の波長λ３を持つ光信号を透過／反射手段１７７を介してファイバコリメータ１７１（第１の入出射ポート）へ向けて伝達する。
【０２６７】
第４の光伝達手段は、ファイバコリメータ１７１（第１の入出射ポート）から透過／反射手段１７７を介して入射した第４の波長λ４を持つ光信号をファイバコリメータ１７６（第６の入出射ポート）へ向けて伝達し、更にファイバコリメータ１７６（第６の入出射ポート）から入射した第４の波長λ４を持つ光信号を透過／反射手段１７７を介してファイバコリメータ１７１（第１の入出射ポート）へ向けて伝達する。
【０２６８】
この実施例１０に係る光合分波器は、後述するように、実施例８に係る光合分波器とは、第１の光伝達手段乃至第４の光伝達手段の構成が異なる。
【０２６９】
具体的に言えば、第１の光伝達手段は、ファイバコリメータ１７３（第３の入出射ポート）の近傍に配置された第１の波長フィルタ１７８から成っており、第１の波長フィルタ１７８は、第１の波長λ１を持つ光信号のみ透過し、且つ第２の波長乃至第４の波長λ２〜λ４を持つ光信号を反射する。
【０２７０】
第２の光伝達手段は、上述した第１の波長フィルタ１７８と、ファイバコリメータ１７４（第４の入出射ポート）の近傍に配置される第２の波長フィルタ１７９と、筐体の第１の側面側に配置された第１の反射手段としての全反射ミラー１８２とから成っている。
【０２７１】
第２の波長フィルタ１７９は、第２の波長λ２を持つ光信号のみを透過し、且つ第３の波長λ３及び第４の波長λ４を持つ光信号を反射する。第１の全反射ミラー１８２は、第１の波長フィルタ１７８で反射された第２の波長乃至第４の波長λ２〜λ４を持つ光信号を第２の波長フィルタ１７９へ向けて反射し、更にファイバコリメータ１７４（第４の入出射ポート）から入射されて第２の波長フィルタ１７９を透過した第２の波長λ２の光信号を第１の波長フィルタ１７８へ向けて反射する。
【０２７２】
第３の光伝達手段は、上述した第１の波長フィルタ１７８及び第２の波長フィルタ１７９と、ファイバコリメータ１７５（第５の入出射ポート）の近傍に配置された第３の波長フィルタ１８０と、筐体内の第１の側面側に配置された第２の反射手段としての全反射ミラー１８２とから構成される。第３の波長フィルタ１８０は、第３の波長λ３を持つ光信号のみを透過し、且つ第４の波長λ４を持つ光信号を反射する。全反射ミラー１８２は、第２の波長フィルタ１７９で反射された第３の波長λ３及び第４の波長λ４を持つ光信号を第３の波長フィルタ１８０へ向けて反射し、更にファイバコリメータ１７５（第５の入出射ポート）から入射されて第３の波長フィルタ１８０を透過した第３の波長λ３の光信号を第２の波長フィルタ１７９へ向けて反射する。
【０２７３】
第４の光伝達手段は、上述した第１の波長フィルタ１７８，第２の波長フィルタ１７９，第３の波長フィルタ１８０と、ファイバコリメータ１７６（第６の入出射ポート）の近傍に配置された第４の波長フィルタ１８１と、筐体内の第１の側面側に配置された第３の反射手段としての全反射ミラー１８２とから成っている。
【０２７４】
第４の波長フィルタ１８１は、第４の波長λ４を持つ光信号のみを透過する。全反射ミラー１８２は、第３の波長フィルタ１８０で反射された第４の波長λ４を持つ光信号を第４の波長フィルタ１８１へ向けて反射し、更にファイバコリメータ１７６（第６の入出射ポート）から入射されて第４の波長フィルタ１８１を透過した第４の波長λ４の光信号を第３の波長フィルタ１８０へ向けて反射する。
【０２７５】
ファイバコリメータ１７１〜１７３は、それぞれに入出射する光線の第１の光軸がほぼ一致するようにほぼ直線上に配置されており、その第１の光軸上に波長フィルタ１７７，１７８がそれぞれ所定の角度で配置されている。
【０２７６】
ファイバコリメータ１７４〜１７６に入出射する光線の第２の光軸乃至第４の光軸がファイバコリメータ１７１，１７２からファイバコリメータ１７３への光線の第１の光軸にほぼ平行になるようにミラー１８２は第２の光軸乃至第４の光軸に対して所定の角度でかつ所定の位置に配置されている。波長フィルタ１７９〜１８１は、それぞれ第２の光軸乃至第４の光軸に対してそれぞれ所定の角度で配置されている。
【０２７７】
第１の波長λ１を持つ光信号は、ファイバコリメータ１７１，１７３の間で波長フィルタ１７７と波長フィルタ１７８とを介して光学的に結合する。第２の波長λ２を持つ光信号は、ファイバコリメータ１７１，１７４の間で波長フィルタ１７７と波長フィルタ１７８，１７９とミラー１８２とを介して光学的に結合する。第３の波長λ３を持つ光信号は、ファイバコリメータ１７１，１７５の間で波長フィルタ１７７と波長フィルタ１７８，１８０とミラー１８２とを介して光学的に結合する。第４の波長λ４を持つ光信号は、ファイバコリメータ１７１，１７６の間で波長フィルタ１７７と波長フィルタ１７８〜１８０とミラー１８２を介して光学的に結合する。第１の波長乃至第４の波長λ１〜λ４以外の波長を持つ光信号は、ファイバコリメータ１７１，１７２の間で波長フィルタ１７７を介して光学的に結合する。
【０２７８】
図１０に示す例では、第１の反射手段乃至第３の反射手段は一枚のミラー１８２で構成されている。但し、ミラー１８２を２分割又は３分割として構成しても何ら問題ない。
【０２７９】
この実施例１０に係る光合分波器の構成においては、第４の波長λ４を持つ光信号に対して、繰り返し反射の回数が多くなるが、その代わりに図８の構成で必要であった波長フィルタ１４８を省略することが可能である。
【実施例１１】
【０２８０】
図１１は、本発明の実施例１１に係る光合分波器の基本構成（全体構成）を示す概略図である。この実施例１１に係る光合分波器は、図８に示した先の実施例８に係る光合分波器と比べて、基本的な構成は同様であり、フィルタ及びミラーの数が実施例８に係る光合分波器と同等となっているが、以下の点が相違している。
【０２８１】
具体的に言えば、この実施例１１に係る光合分波器の場合、筐体の第２の側面に配置される第４の入出射ポート，第５の入出射ポートとしてのファイバコリメータ１５４，１５５の位置が異なる。即ち、実施例１１に係る形態では、第３の入出射ポート乃至第６の入出射ポートとしてのファイバコリメータ１５３〜１５６が筐体の第２の側面に紙面に対して上から下へとこの順番で配置されている。
【０２８２】
又、筐体内における波長フィルタ１６０，１６１と、ミラー１６３〜１６５の位置が異なっている。即ち、波長フィルタ１５９〜１６２は、それぞれファイバコリメータ１５３〜１５６に近接した状態で筐体の第２の側面側において紙面に対して上から下へこの順番で配置されている。そして、ミラー１６３，１６５は、筐体のほぼ中央に配置され、ミラー１６４は筐体の第１の側面側に配置されている。
【０２８３】
上述した実施例９〜実施例１１に係る光合分波器の構成の好ましい特徴は、実施例９に係る光合分波器の場合と同等であることは容易に理解できる。又、筐体の第１の側面に配置される２つのファイバコリメータ１５１，１５２、或いはファイバコリメータ１７１，１７２を一つの２芯コリメータとしても良い。更に、筐体の第２の側面に配置される４つのファイバコリメータ１５３〜１５６、或いはファイバコリメータ１７３〜１７６に代えて、ＬＤモジュールやＰＤモジュールを用いることも可能である。
【実施例１２】
【０２８４】
図１２は、本発明の実施例１２に係る光合分波ユニットの基本構成（全体構成）を示す概略図である。この光合分波ユニットは、先の実施例８〜実施例１１の何れか一つに係る光合分波器をＮ段用い、これらを縦続に接続して構成されるものである。従って、この光合分波ユニットは、多段光合分波器とも呼ばれる。
【０２８５】
図１２に示す光合分波ユニットの場合、光信号入出射手段としてピグテールファイバ及びレンズから構成されたファイバコリメータを配置した例を示している。各光合分波器の第１の側面に配置される入出射ポートは、１芯コリメータを２本組み合わせたものでも良いし、２芯コリメータを用いても良い。
【０２８６】
この光合分波ユニットは、２以上の自然数Ｎに対して４×Ｎ波長に対応できるように、Ｎ個の光合分波器を縦続接続したものである。各光合分波器の内部構造は、図８〜図１１で説明した何れの構造の光合分波器を用いても良い。但し、ここで（ｍ＋３）波長と４Ｎ波長は必ずしも一致しないが、一致する場合には、ｍ＝４Ｎ−３であることは自明である。一般には４Ｎ≧ｍ＋３なる関係が成立する。以下では、説明を簡略化するため、（ｍ＋３）＝４Ｎであるとして説明する。
【０２８７】
具体的に言えば、この光合分波ユニットは、第１の光合分波器乃至第Ｎの光合分波器から構成されている。第１の光合分波器は、第１の波長乃至第４の波長λ１〜λ４から成る第１の波長群を分波／合波するためのものである。第２の光合分波器は、第５の波長乃至第８の波長λ５〜λ８から成る第２の波長群を分波／合波するためのものである。第Ｎの光合分波器は、第（４Ｎ−３）の波長乃至第４Ｎの波長λｍ〜（λｍ＋３）から成る第Ｎの波長群を分波／合波するためのものである。
【０２８８】
第１の光合分波器乃至第Ｎの光合分波器は、それぞれ第１の筐体乃至第Ｎの筐体１９６，２０３，・・・，２１０を有する。
【０２８９】
第１の光合分波器において、第１の筐体１９６は、その第１の側面（紙面に対して左側の側面）に第１の入出射ポート，第２の入出射ポートとしてのファイバコリメータ１９７，１９８を備え、その第２の側面（紙面に対して右側の側面）に第３入出射ポート乃至第６の入出射ポートとしてのファイバコリメータ１９９〜２０２を備えている。
【０２９０】
第１の光合分波器において、ファイバコリメータ１９７は、第１の筐体１９６に対して、互いに異なる第１の波長乃至第４Ｎの波長λ１〜λ４，λ５〜λ８，・・・，λｍ〜（λｍ＋３）から成る第１の波長群乃至第Ｎの波長群を持つ光信号を入出射するためのものである。ファイバコリメータ１９８は、第１の筐体１９６に対して、第５の波長乃至第４Ｎの波長λ５〜λ８，・・・，λｍ〜（λｍ＋３）から成る第２の波長群乃至第Ｎの波長群を持つ光信号を入出射するためのものである。ファイバコリメータ１９９は、第１の筐体１９６に対して、第１の波長λ１を持つ光信号を入出射するためのものである。ファイバコリメータ２００は、第１の筐体１９６に対して第２の波長λ２を持つ光信号を入出射するためのものである。ファイバコリメータ２０１は、第１の筐体１９６に対して第３の波長λ３を持つ光信号を入出射するためのものである。ファイバコリメータ２０２は、第１の筐体１９６に対して、第４の波長λ４を持つ光信号を入出射するためのものである。
【０２９１】
第２の光合分波器において、第２の筐体１９６は、その第１の側面（紙面に対して左側の側面）にファイバコリメータ２０４，２０５を備え、その第２の側面（紙面に対して右側の側面）にファイバコリメータ２０６〜２０９を備えている。ファイバコリメータ２０４は、ファイバコリメータ１９８と光学的に接続される。
【０２９２】
第２の光合分波器において、ファイバコリメータ２０４は、第２の筐体２０３に対して第５の波長乃至第４Ｎの波長λ５〜λ８，・・・，λｍ〜（λｍ＋３）から成る第２の波長群乃至第Ｎの波長群を持つ光信号を入出射するためのものである。ファイバコリメータ２０５は、第２の筐体２０３に対して、第９の波長乃至第４Ｎの波長λ９，・・・，λｍ〜（λｍ＋３）から成る第３の波長群乃至第Ｎの波長群を持つ光信号を入出射するためのものである。ファイバコリメータ２０６は、第２の筐体２０３に対して、第５の波長λ５を持つ光信号を入出射するためのものである。ファイバコリメータ２０７は、第２の筐体２０３に対して、第６の波長λ６を持つ光信号を入出射するためのものである。ファイバコリメータ２０８は、第２の筐体２０３に対して第７の波長λ７を持つ光信号を入出射するためのものである。ファイバコリメータ２０９は、第２の筐体２０３に対して第８の波長λ８を持つ光信号を入出射するためのものである。
【０２９３】
第Ｎの光合分波器において、第Ｎの筐体２１０は、その第１の側面（紙面に対して左側の側面）に第（６Ｎ−５）および第（６Ｎ−４）のファイバコリメータ２１１，２１２を備え、その第２の側面（紙面に対して右側の側面）に第（６Ｎ−３）のファイバコリメータ乃至第６Ｎのファイバコリメータ２１３〜２１６を備えている。第（６Ｎ−５）のファイバコリメータ２１１は、第（Ｎ−１）の光合分波器の第｛６（Ｎ−１）−４｝のファイバコリメータ（図示せず）と光学的に接続される。
【０２９４】
第Ｎの光合分波器において、第（６Ｎ−５）のファイバコリメータ２１１は、第Ｎの筐体２１０に対して、第（４Ｎ−３）の波長乃至第４Ｎの波長λｍ〜（λｍ＋３）から成る第Ｎの波長群を持つ光信号を入出射するためのものである。第（６Ｎ−４）のファイバコリメータ２１２は、本例では使用されない。第（６Ｎ−３）のファイバコリメータ２１３は、第Ｎの筐体２１０に対して第（４Ｎ−３）の波長λｍを持つ光信号を入出射するためのものである。第（６Ｎ−２）のファイバコリメータ２１４は、第Ｎの筐体２１０に対して第（４Ｎ−２）の波長λｍ＋１を持つ光信号を入出射するためのものである。第（６Ｎ−１）のファイバコリメータ２１５は、第Ｎの筐体２１０に対して第（４Ｎ−１）の波長λｍ＋２を持つ光信号を入出射するためのものである。第６Ｎのファイバコリメータ２１６は、第Ｎの筐体２１０に対して第４Ｎの波長λｍ＋３を持つ光信号を入出射するためのものである。
【０２９５】
本発明者等は、図１２に示す光合分波ユニットにおいて、Ｎ＝４として、使用する第１の波長乃至第１６の波長λ１〜λ１６を持つ光信号の中心波長を１．２７μｍ，１．２９μｍ，１．３１μｍ，１．３３μｍ乃至１．５１μｍ，１．５３μｍ，１．５５μｍ，及び１．５７μｍに選択したところ、挿入損失が０．７ｄＢ以下で、アイソレーションが３０ｄＢ以上の値が得られ、良好な結果が得られることを確認した。勿論、選択する波長は、上述した値に限定されるものではなく、１．３μｍ帯から１．６μｍ帯までの単一モードでの伝播条件を満たす範囲であれば任意に選択可能である。
【０２９６】
又、上述した実施例１２に係る光合分波ユニットは、１６波長対応の構成であるが、本発明の光合分波ユニットは、これに限定されるものではなく、組み合わせにより原理的には３２波長，６４波長，更には１２８波長等のその他の数の波長（その数分の多重化が可能であることを示す）に対応する構成にも応用可能である。
【０２９７】
次に、２以上の自然数Ｎに対してＰ×Ｎ（Ｐは３以上の整数）波長に対応できるように、第１の光合分波器乃至第Ｎの光合分波器を縦続接続して構成された光合分波ユニットについて説明する。
【０２９８】
この光合分波ユニットの場合、第ｎ（１≦ｎ≦Ｎを満たす整数）の光合分波器は、第｛Ｐ（ｎ−１）＋１｝の波長乃至第Ｐｎの波長から成る第ｎの波長群を持つ光信号を他の光信号に分波／合波するか、或いは第ｎの波長群を持つ光信号を他の光信号から分波／合波するためのものであり、第１の光合分波器乃至第Ｎの光合分波器は、それぞれ第１の筐体乃至第Ｎの筐体を有する。尚、第１の筐体乃至第Ｎの筐体は、それぞれ互いに対向する第１の側面及び第２の側面を持つ。
【０２９９】
第ｎの光合分波器は、Ｐ＋２に等しいＱに対して第ｎの筐体の第１の側面に配置された第｛Ｑ（ｎ−１）＋１｝の入出射ポート及び第｛Ｑ（ｎ−１）＋２｝の入出射ポートと、第ｎの筐体の第２の側面に配置された第｛Ｑ（ｎ−１）＋３｝の入出射ポート乃至第Ｑｎの入出射ポートとを備える。
【０３００】
第｛Ｑ（ｎ−１）＋１｝の入出射ポートは、第ｎの波長群を持つ光信号と、第（ｎ＋１）の波長群〜第Ｎの波長群を持つ光信号とを第ｎの筐体に対して入出射するためのものである。第｛Ｑ（ｎ−１）＋２｝の入出射ポートは、第（ｎ＋１）波長群〜第Ｎの波長群の光信号を第ｎの筐体に対して入出射するためのものである（但し、ｎがＮに等しい場合には光信号の入出射が無い状態となる）。第｛Ｑ（ｎ−１）＋３｝の入出射ポート乃至第Ｑｎの入出射ポートは、それぞれ第｛Ｐ（ｎ−１）＋１｝の波長乃至第Ｐｎの波長を持つ光信号を入出射するためのものである。
【０３０１】
第ｎの筐体の第｛Ｑ（ｎ−１）＋２｝の入出射ポートは、第（ｎ＋１）の筐体の第（Ｑｎ＋１）の入出射ポートと光学的に結合されている（但し、ｎがＮに等しい場合には接続先が無いことになる）。又、第ｎの筐体は、第｛Ｑ（ｎ−１）＋１｝の入出射ポート及び第｛Ｑ（ｎ−１）＋２｝の入出射ポートの近傍に配置された第ｎの透過／反射手段と、第｛Ｐ（ｎ−１）＋１｝の光伝達手段乃至第Ｐｎの光伝達手段とを備える。
【０３０２】
第ｎの透過／反射手段は、第｛Ｑ（ｎ−１）＋１｝の入出射ポートから入射した光信号のうちの第ｎの波長群を持つ光信号を透過し、且つ第（ｎ＋１）の波長群乃至第Ｎの波長群を持つ光信号を第｛Ｑ（ｎ−１）＋２｝の入出射ポートへ向けて反射し、更に第｛Ｑ（ｎ−）＋２｝の入出射ポートから入射した第（ｎ＋１）の波長群乃至第Ｎの波長群を持つ光信号を反射し、且つその反射した第（ｎ＋１）の波長群乃至第Ｎの波長群を持つ光信号を第２の側面側から入射される第ｎの波長群を持つ光信号と合波して第｛Ｑ（ｎ−１）＋１｝の入出射ポートへ向けて出射する。
【０３０３】
第｛Ｐ（ｎ−１）＋１｝の光伝達手段乃至第Ｐｎの光伝達手段は、それぞれ第｛Ｑ（ｎ−１）＋１｝の入出射ポートから第ｎの透過／反射手段を介して入射した第｛Ｐ（ｎ−１）＋１｝の波長乃至第Ｐｎの波長を持つ光信号を第｛Ｑ（ｎ−１）＋３｝の入出射ポート乃至第Ｑｎの入出射ポートへ向けて伝達し、更に第｛Ｑ（ｎ−１）＋３｝の入出射ポート乃至第Ｑｎの入出射ポートから入射した第｛Ｐ（ｎ−１）＋１｝の波長乃至第Ｐｎの波長を持つ光信号を第ｎの透過／反射手段を介して第｛Ｑ（ｎ−１）＋１｝の入出射ポートへ向けて伝達する。
【０３０４】
本発明の実施例１２に係る光合分波ユニットの具体的な製造方法については、実施例８或いは実施例９で述べた光合分波器の場合と同様であり、その好ましい特徴についてもこれらの場合と同様であるので、説明は省略する。
【実施例１３】
【０３０５】
図１３は、本発明の実施例１３に係る光合分波ユニットの基本構成（全体構成）を示す概略図である。この光合分波ユニットは、先の実施例８〜実施例１１の何れか一つに係る光合分波器を直列／並列に接続し、超高密度波長多重（ＤＷＤＭ）に対応可能な構成としたものである。
【０３０６】
この光合分波ユニットの場合、１段目の光合分波器の波長選択域を大きく取っておき、２段目以降には細かな選択域を有する波長フィルタを用いれば良いものである。
【０３０７】
具体的に言えば、１段目の光合分波器は、筐体２２３と、その筐体２２３の第１の側面に配置された第１の入出射ポート，第２の入出射ポートとしてのファイバコリメータ２２６，２２７と、筐体２２３の第２の側面に配置された第３の入出射ポート乃至第６の入出射ポートとしてのファイバコリメータ２２８〜２３１とを有する。
【０３０８】
２段目の光合分波器は、筐体２２４と、その筐体２２４の第１の側面に配置された第１の入出射ポートとしてのファイバコリメータ２３２と、筐体２２４の第２の側面に配置された第２の入出射ポート乃至第５の入出射ポートとしてのファイバコリメータ２３３〜２３６とを有する。１段目の光合分波器のファイバコリメータ２２８と２段目の光合分波器のファイバコリメータ２３２とは、光学的に結合されている。
【０３０９】
３段目の光合分波器は、筐体２２５と、その筐体２２５の第１の側面に配置された第１の入出射ポートとしてのファイバコリメータ２３７と、筐体２２５の第２の側面に配置された第２の入出射ポート乃至第５の入出射ポートとしてのファイバコリメータ２３８〜２４１とを有する。２段目の光合分波器のファイバコリメータ２３８と３段目の光合分波器のファイバコリメータ２３７とは、光学的に結合されている。
【０３１０】
尚、本発明の光合分波器乃至光合分波ユニットは、以上の実施例８〜実施例１３で説明した構成や形態のものに限定されず、本発明の技術的要旨を逸脱しない範囲内で種々の変更が可能である。例えば本発明の適用できる範囲は、６波長，８波長，或いは１６波長等の多数の波長（その数分の多重化が可能であることを示す）の光合分波器を構築する場合にも及ぶものである。特に波長間隔の非常に狭い高密度波長多重（ＤＷＤＭ）の光合分波ユニットにも十分に適用できる。即ち、６波長以上の多重化のための構成については、単純に波長フィルタの数を増やすこと、或いは２波長，４波長の構成を単位として複数組み合わせることで対応できるし、高密度波長多重向けの光合分波ユニットについては、基本的構成である光合分波器を直列／並列に接続することにより対応可能である。
【０３１１】
以下は、本発明の光合分波器について、更に幾つかの実施例を挙げてその製造過程を含めて具体的に説明する。
【実施例１４】
【０３１２】
図１４は、本発明の実施例１４に係る光合分波器の基本構成（全体構成）を示した概略図である。
【０３１３】
この実施例１４に係る光合分波器は、光波長多重通信機能として、３本の光線を透過可能に形成された筐体２５６にあっての対向する壁面の一方側の外方近傍に１つの入出射ポートを持つ１つのファイバコリメータ２５１を備えると共に、他方側の外方近傍にそれぞれ１つの入出射ポートを持つ２つのファイバコリメータ２５２，２５３を備えることにより、２つの異なる波長λ１，λ２の光を２つのファイバコリメータ２５２，２５３から別々に入射して１つのファイバコリメータ２５１へ合波するか、或いは１つのファイバコリメータ２５１から入射して２つのファイバコリメータ２５２，２５３へ分波することにより双方向での入出射が可能なように構成されている。
【０３１４】
具体的に言えば、この実施例１に係る光合分波器の場合、２つの異なる波長λ１，λ２にあっての一方の波長λ１の光を透過し、且つ他方の波長λ２の光を反射する波長フィルタ２５４と、他方の波長λ２の光を全反射するミラー２５５とが筐体２５６内に配備されている。
【０３１５】
更に、１つのファイバコリメータ２５１と２つのファイバコリメータ２５２，２５３にあっての一方のファイバコリメータ２５２とは、それぞれ入出射する光線の光軸がほぼ一致するように略直線上に配置され、波長フィルタ２５４は、光軸上に所定の角度で配置され、ミラー２５５は、２つのファイバコリメータ２５２，２５３にあっての他方のファイバコリメータ２５３で入出射する光線の光軸が１つのファイバコリメータ２５１から２つのファイバコリメータ２５２，２５３にあっての一方のファイバコリメータ２５２へ結合される光線の光軸に対してほぼ平行となるように、２つのファイバコリメータ２５２，２５３にあっての他方のファイバコリメータ２５３に入出射する光線の光軸に対して所定の角度で所定の位置に配置されている。
【０３１６】
これにより、一方の波長λ１の光は、１つのファイバコリメータ２５１と２つのファイバコリメータ２５２，２５３にあっての一方のファイバコリメータ２５２との間で波長フィルタ２５４を介して光学的に結合され、他方の波長λ２の光は、１つのファイバコリメータ２５１と２つのファイバコリメータ２５２，２５３にあっての他方のファイバコリメータ２５３との間で波長フィルタ２５４及びミラー２５５を介して光学的に結合されるようになっている。
【０３１７】
ここでのファイバコリメータ２５１，２５２，２５３は、光ファイバ及びレンズから成るもので、光信号入出射手段として働く。光ファイバ及びレンズの位置は光信号がコリメート光となる位置に配置されている。波長多重信号数が２波の場合には必要となる誘電体多層膜による波長フィルタ２５４は１つとなっており、同様にミラー２５５も１つとなっている。
【０３１８】
図１５は、この光合分波器に用いられる波長フィルタ２５４の波長選択特性を波長λに対する透過率（％）の関係により示したものである。図１５では、波長フィルタ２５４が所定の範囲を有する波長λ１を透過し、所定の範囲を有する波長λ２を反射するような波長選択特性を持つことを示している。
【０３１９】
この光合分波器における分波動作の場合、先ずファイバコリメータ２５１から入射した波長λ１及び波長λ２の光に対し、波長フィルタ２５４により波長λ１の光を透過してファイバコリメータ２５２に結合するように、ファイバコリメータ２５１，２５２と波長フィルタ２５４との調芯・固定が行われる。次に、波長フィルタ２５４で反射した波長λ２の光に対し、ミラー２５５で折り返されるように反射してファイバコリメータ２５３に結合するように、ファイバコリメータ２５３とミラー２５５との調芯・固定が行われる。
【０３２０】
このため、ファイバコリメータ２５１から入射した波長λ１及び波長λ２の光は、結果として波長λ１の光がファイバコリメータ２５２に結合し、且つ波長λ２の光がファイバコリメータ２５３に結合することになり、このようにして分波動作が行われる。
【０３２１】
これに対し、合波動作の場合、先ずファイバコリメータ２５２から入射した波長λ１の光が波長フィルタ２５４を透過してファイバコリメータ２５１に結合するように、ファイバコリメータ２５１，２５２と波長フィルタ２５４との調芯・固定が行われる。次に、ファイバコリメータ２５３から入射した波長λ２の光がミラー２５５で反射し、更に波長フィルタ２５４で折り返されるように反射した後、ファイバコリメータ２５２から入射した波長λ１の光と光軸が一致してファイバコリメータ２５１に結合するように、ファイバコリメータ２５３とミラー２５５との調芯・固定が行われる。
【０３２２】
このため、ファイバコリメータ２５２から入射した波長λ１の光とファイバコリメータ２５３から入射した波長λ２の光とは、結果として何れもファイバコリメータ２５１に結合することになり、このようにして合波動作が行われる。
【０３２３】
尚、ファイバコリメータ２５２，２５３については、筐体２５６の対向する壁面の他方側近傍にほぼ平行に並んで配置された様相を例示しているが、各光学素子としてのファイバコリメータ２５１，２５２，２５３の光の入出射角度、波長フィルタ２５４やミラー２５５の製作精度、並びに各光学素子の筐体２５６に対する実装精度等により多少の調整を行う必要があるために完全に平行とならない可能性があるが、概ね平行に配置することができる。
【０３２４】
この実施例１４に係る光合分波器の場合、ファイバコリメータ２５１から入射又はこれに結合される光について、波長λ１を１．５４３〜１．５５７μｍの範囲、波長λ２を１．５６３〜１．５７７μｍの範囲として選択したところ、挿入損失は０．７ｄＢ以下、アイソレーションは３０ｄＢ以上の値が得られ、良好な結果となった。尚、ここで選択可能な波長の範囲は、上述した範囲に限定されるものではなく、１．３μｍ帯から１．６μｍ帯までの単一モードでの伝播条件を満たす範囲であれば任意に選択することが可能である。又、実際の動作において、殆ど２つの波長λ１，λ２を用いる場合を通常状態とみなして説明しているが、例えば２つの波長λ１，λ２のうちの片方のみの光を入出射するようにしても動作上では何等支障ない。
【０３２５】
以下は、この実施例１４に係る光合分波器についての具体的な製造過程を説明する。先ず、ステンレス製の筐体２５６に対し、保持されるファイバコリメータ２５１，２５２，２５３のための保持部を加工すると共に、所定箇所において内蔵される誘電体多層膜による波長フィルタ２５４及びミラー２５５のおおよその位置決めをするためのマーキングを施した。
【０３２６】
能動的な調芯作業に先立って、波長λ１の範囲１．５４３〜１．５５７μｍの光を透過し、波長λ２の範囲１．５６３〜１．５７７μｍの光を反射する波長フィルタ２５４と波長λ２の範囲１．５６３〜１．５７７μｍの光を反射するミラー２５５とをマーキングに従ってマイクロメータに連動するハンドリング用の治具により位置決めして仮固定した。
【０３２７】
次に、ファイバコリメータ２５１からの波長λ１の範囲１．５４３〜１．５５７μｍの光を波長フィルタ２５４を通過させてファイバコリメータ２５２に結合するための調芯作業を行った。ここでは上述した波長λ１の範囲１．５４３〜１．５５７μｍにおける所定の波長の光を入射させてファイバコリメータ２５１，２５２及び波長フィルタ２５４を微細に調整し、結合効率が最大となるように調芯作業を行った。
【０３２８】
ここでの調芯作業は、５分未満であったにも拘らず、ファイバコリメータ２５１，２５２まで含めた結合損失は１ｄＢをかなり下回った。その後、ファイバコリメータ２５１，２５２を金属半田により、又波長フィルタ２５４を紫外線硬化型の光学接着剤によりしっかりと固定した。尚、この固定作業による損失の増加は殆ど認められなかった。
【０３２９】
更に、ファイバコリメータ２５１から波長λ２の範囲１．５６３〜１．５７７μｍの光を入射し、波長フィルタ２５４により反射させた。波長フィルタ２５４により反射された波長λ２の範囲１．５６３〜１．５７７μｍの光が誘電体多層膜によるミラー２５５により全反射されて折り返されてファイバコリメータ２５３に結合入射され、このときに結合効率が上がるようにミラー２５５及びファイバコリメータ２５３をマイクロメータにより微細に調整した。その後、上述した場合と同様に、ファイバコリメータ２５３を金属半田により、ミラー２５５を光学接着剤により固定した。このとき、ファイバコリメータ２５２の調芯ずれが生じないように筐体２５６及びファイバコリメータ２５２を保持治具によりしっかりと保持した。
【０３３０】
このようにして、実施例１４に係る光合分波器を作製（製造）し終えた。この光合分波器の場合、筐体２５６内に配備される光学素子として、特定の波長の光（波長λ２の範囲１．５６３〜１．５７７μｍの光）に対して全反射する誘電体多層膜による波長フィルタ２５４及びミラー２５５を用いているため、筐体２５６の好ましい端面に入出射力ポートを持つファイバコリメータ２５１，２５２，２５３を配置することができると共に、筐体２５６内で空間的に光を結合させる構造であり、ファイバコリメータ２５１，２５２，２５３の数量を少なくできることにより部品点数を削減できて低コスト化を図り得ると共に、筐体２５６内にファイバの余長を収納するための空間を設ける必要がなくて部品を小型化することが可能となり、結果として要求される波長多重数に応じて入出射ポートの配置を簡単にしてモジュールを小型化し得る高性能な製品が得られる。
【０３３１】
尚、実施例１４に係る光合分波器の基本構成は、２波長対応のものであるが、波長フィルタ及び全反射ミラーを適宜組み合わせれば、この構成に限定されることなく、原理的に８波長（８波多重）、１６波長（１６波多重）、更には３２波長（３２波多重）へと対応させる構成にも応用可能である。
【実施例１５】
【０３３２】
図１６は、本発明の実施例１５に係る光合分波器の基本構成（全体構成）を示した概略図である。
【０３３３】
この実施例１５に係る光合分波器は、光波長多重通信機能として、５本の光線を透過可能に形成された筐体２８１にあっての対向する壁面の一方側の外方近傍に１つの入出射ポートを持つ１つのファイバコリメータ２６８を備えると共に、他方側の外方近傍にそれぞれ１つの入出射ポートを持つ４つのファイバコリメータ２６９，２７０，２７１，２７２を備え、且つ４つの異なる波長λ１，λ２，λ３，λ４の光を４つのファイバコリメータ２６９，２７０，２７１，２７２から別々に入射して１つのファイバコリメータ２６８へ合波するか、或いは１つのファイバコリメータ２６８から入射して４つのファイバコリメータ２６９，２７０，２７１，２７２へ分波することにより双方向での入出射が可能なものとなっている。
【０３３４】
具体的に言えば、この実施例１５に係る光合分波器の場合、４つの異なる波長λ１，λ２，λ３，λ４にあっての第１の波長λ１及び第２の波長λ２の光を透過し、且つ第３の波長λ３及び第４の波長λ４の光を反射する第１の波長フィルタ２７３と、第１の波長λ１の光を透過し、且つ第２の波長λ２の光を反射する第２の波長フィルタ２７４と、第２の波長λ２の光のみを透過する第３の波長フィルタ２７５と、第３の波長λ３の光を透過し、且つ第４の波長λ４の光を反射する第４の波長フィルタ２７６と、第４の波長λ４の光のみを透過する第５の波長フィルタ２７７と、第２の波長λ２の光を全反射する第１のミラー２７８と、第３の波長λ３及び第４の波長λ４の光を全反射する第２のミラー２７９と、第４の波長λ４の光を全反射する第３のミラー２８０とが筐体２８１内に配備されている。
【０３３５】
更に、１つのファイバコリメータ２６８と４つのファイバコリメータ２６９，２７０，２７１，２７２にあっての第１のファイバコリメータ２６９とは、それぞれ入出射する光線の光軸をほぼ一致するように略直線上に配置され、第１の波長フィルタ２７３及び第２の波長フィルタ２７４は、それぞれ光軸上に所定の角度で配置され、第１のミラー２７８，第２のミラー２７９，及び第３のミラー２８０は、４つのファイバコリメータ２６９，２７０，２７１，２７２にあっての第２のファイバコリメータ２７０，第３のファイバコリメータ２７１，及び第４のファイバコリメータ２７２に入出射する光線の光軸が１つのファイバコリメータ２６８から第１のファイバコリメータ２６９へ結合される光線の光軸に対してほぼ平行となるように、第２のファイバコリメータ２７０，第３のファイバコリメータ２７１，及び第４のファイバコリメータ２７２に入出射する光線の光軸に対してそれぞれ所定の角度で所定の位置に配置され、第３の波長フィルタ２７５，第４の波長フィルタ２７６，及び第５の波長フィルタ２７７は、それぞれの光軸に対してそれぞれ所定の角度で配置されている。
【０３３６】
これにより、第１の波長λ１の光は、１つのファイバコリメータ２６８と第１のファイバコリメータ２６９との間で第１の波長フィルタ２７３及び第２の波長フィルタ２７４を介して光学的に結合され、第２の波長λ２の光は、１つのファイバコリメータ２６８と第２のファイバコリメータ２７０との間で第１の波長フィルタ２７３，第２の波長フィルタ２７４，並びに第３の波長フィルタ２７５と第１のミラー２７８とを介して光学的に結合され、第３の波長λ３の光は、１つのファイバコリメータ２６８と第３のファイバコリメータ２７１との間で第１の波長フィルタ２７３及び第４の波長フィルタ２７６と第２のミラー２７９とを介して光学的に結合され、第４の波長λ４の光は、１つのファイバコリメータ２６８と第４のファイバコリメータ２７２との間で第１の波長フィルタ２７３，第４の波長フィルタ２７６，並びに第５の波長フィルタ２７７と第３のミラー２７９及び第４のミラー２８０とを介して光学的に結合されるようになっている。
【０３３７】
ここでのファイバコリメータ２６８，２６９，２７０，２７１，２７２は、ピグテールファイバ及びレンズから成るもので、光信号入出射手段として働く。ピグテールファイバ及びレンズの位置は光信号がコリメート光となる位置に配置されている。波長多重信号数が４波の場合には必要となる誘電体多層膜による波長フィルタ２７３，２７４，２７５，２７６，２７７は５つとなっており、同様に全反射ミラー２７８，２７９，２８０は３つとなっている。波長フィルタ２７３，２７４，２７５，２７６，２７７は、実施例１４で図１５を参照して説明した場合と同様であり、それぞれ所定の範囲の波長（即ち、それぞれλ１，λ２，λ３，λ４を示す）を透過する特性を有し、それ以外の波長の範囲を反射する波長選択特性を有するものである。
【０３３８】
この光合分波器における分波動作の場合、先ずファイバコリメータ２６８から入射した波長λ１〜λ４の光に対し、波長フィルタ２７３により波長λ１，λ２の光を選択的に透過し、且つ波長λ３，λ４の光を反射させて２波長ずつに分割し、且つ波長フィルタ２７３を透過した波長λ１，λ２の光について、波長フィルタ２７４により波長λ１の光のみが波長フィルタ２７４を透過してファイバコリメータ２６９に結合するように、波長フィルタ２７３，２７４とファイバコリメータ２６８，２６９との調芯・固定が行われる。次に、波長フィルタ２７４で反射した波長λ２の光がミラー２７８で折り返されるように反射して波長フィルタ２７５を透過した後にファイバコリメータ２７０に結合するように、波長フィルタ２７５及びミラー２７８とファイバコリメータ２７０との調芯・固定が行われる。更に、波長フィルタ２７３で反射した波長λ３，λ４の光に対し、ミラー２７９で折り返されるように反射して波長λ３の光のみが波長フィルタ２７６を透過してファイバコリメータ２７１に結合するように、ミラー２７９及び波長フィルタ２７６とファイバコリメータ２７１との調芯・固定が行われる。最後に、波長フィルタ２７６で反射した波長λ４の光に対し、ミラー２８０で折り返されるように反射して波長λ４の光が波長フィルタ２７７を透過してファイバコリメータ２７２に結合するように、ミラー２８０及び波長フィルタ２７７とファイバコリメータ２７２との調芯・固定が行われる。
【０３３９】
このため、ファイバコリメータ２６８から入射した波長λ１〜λ４の光は、結果として波長λ１の光がファイバコリメータ２６９に結合し、波長λ２の光がファイバコリメータ２７０に結合し、波長λ３の光がファイバコリメータ２７１に結合し、波長λ４の光がファイバコリメータ２７２に結合することになり、このようにして分波動作が行われる。
【０３４０】
これに対し、合波動作の場合、先ずファイバコリメータ２６９から入射した波長λ１の光が波長フィルタ２７４と波長フィルタ２７３とを透過してファイバコリメータ２６８に結合するように、波長フィルタ２７３，２７４とファイバコリメータ２６８，２６９との調芯・固定が行われる。次に、ファイバコリメータ２７０から入射した波長λ２の光が波長フィルタ２７５を透過してミラー２７８で折り返されるように全反射されて波長フィルタ２７４に入射され、更に波長フィルタ２７４で反射された後に波長λ１の光と光軸が一致して波長フィルタ２７３を透過してファイバコリメータ２６８に結合するように、波長フィルタ２７５及びミラー２７８とファイバコリメータ２７０との調芯・固定が行われる。更に、ファイバコリメータ２７１から入射した波長λ３の光が波長フィルタ２７６を透過してミラー２７９で折り返されるように全反射されて波長フィルタ２７３に入射され、更に波長フィルタ２７３で反射された後に波長λ１の光と光軸が一致してファイバコリメータ２６８に結合するように、波長フィルタ２７６及びミラー２７９とファイバコリメータ２７１との調芯・固定が行われる。最後に、ファイバコリメータ２７２から入射した波長λ４の光が波長フィルタ２７７を透過してミラー２８０で折り返されるように全反射されて波長フィルタ２７６に入射され、更に波長フィルタ２７６で反射された後に波長λ３の光と光軸が一致して再度ミラー２７９で折り返されるように全反射されて波長フィルタ２７３に入射され、この波長フィルタ２７３で反射された後に波長λ１の光と光軸が一致してファイバコリメータ２６８に結合するように、波長フィルタ２７７及びミラー２８０とファイバコリメータ２７２との調芯・固定が行われる。
【０３４１】
このため、ファイバコリメータ２６９から入射した波長λ１の光と、ファイバコリメータ２７０から入射した波長λ２の光と、ファイバコリメータ２７１から入射した波長λ３の光と、ファイバコリメータ２７２から入射した波長λ４の光とは、結果として何れもファイバコリメータ２６８に結合することになり、このようにして合波動作が行われる。
【０３４２】
因みに、この光合分波器において、単純に合波機能のみが要求されたり、或いは分波機能に高いアイソレーションが要求されない場合には、波長フィルタ２７５，２７７の何れか又は双方を省いた構成とすることもできる。
【０３４３】
尚、ここでのファイバコリメータ２６９，２７０，２７１，２７２については、筐体２８１の対向する壁面の他方側近傍にほぼ平行に並んで配置された様相を例示しているが、各光学素子としてのファイバコリメータ２６８，２６９，２７０，２７１，２７２の光の入出射角度、各波長フィルタ２７３，２７４，２７５，２７６，２７７、ミラー２７８，２７９，２８０の製作精度、並びに各光学素子の筐体２８１に対する実装精度等により多少の調整を行う必要があるために完全には平行にはならない可能性があるが、概ね平行に配置することができる。
【０３４４】
この実施例１６に係る光合分波器の場合、ファイバコリメータ２６８から入射又はこれに結合される光について、４つの波長λ１，λ２，λ３，λ４の光の中心波長を１．４９μｍ，１．５１μｍ，１．５３μｍ，１．５５μｍとして選択したところ、挿入損失は０．７ｄＢ以下、アイソレーションは３０ｄＢ以上の値が得られ、良好な結果となった。尚、ここで選択する中心波長は、上述した値に限定されるものではなく、１．３μｍ帯から１．６μｍ帯までの単一モードでの伝播条件を満たす範囲の値であれば任意に選択可能である。
【０３４５】
ところで、この実施例１５に係る光合分波器についての具体的な製造過程は、実施例１４で述べたものと同様であり、光合分波器の好ましい特徴（作用効果）についても同様であるので、説明を省略する。又、実施例１５に係る光合分波器の基本構成についても、４波長対応のものであるが、波長フィルタ及び全反射ミラーを組み合わせれば、この構成に限定されることなく、原理的に８波長（８波多重）、１６波長（１６波多重）、更には３２波長（３２波多重）へと対応させる構成にも応用可能である。
【実施例１６】
【０３４６】
図１７は、本発明の実施例１６に係る光合分波器の基本構成（全体構成）を示した概略図である。
【０３４７】
この実施例１６に係る光合分波器は、光波長多重通信機能として、７本の光線を透過可能に形成された筐体２９７にあっての対向する壁面の一方側の外方近傍にそれぞれ１つの入出射ポートを持つ３つのファイバコリメータ２８３，２８４，２８５を備えると共に、他方側の外方近傍にそれぞれ１つの入出射ポートを持つ４つのファイバコリメータ２８２，２８６，２８７，２８８を備え、且つ６つの異なる波長λ１，λ２，λ３，λ４，λ５，λ６の光を３つのファイバコリメータ２８３，２８４，２８５と４つのファイバコリメータ２８２，２８６，２８７，２８８にあっての第２のファイバコリメータ２８６，第３のファイバコリメータ２８７，及び第４のファイバコリメータ２８８とから別々に入射して４つのファイバコリメータ２８２，２８６，２８７，２８８にあっての第１のファイバコリメータ２８２へ合波するか、或いは第１のファイバコリメータ２８２から入射して３つのファイバコリメータ２８３，２８４，２８５と４つのファイバコリメータ２８２，２８６，２８７，２８８にあっての第２のファイバコリメータ２８６，第３のファイバコリメータ２８７，及び第４のファイバコリメータ２８８とへ分波することにより双方向での入出射が可能なものとなっている。
【０３４８】
具体的に言えば、この実施例１６に係る光合分波器の場合、６つの異なる波長λ１，λ２，λ３，λ４，λ５，λ６にあっての第１の波長λ１，第２の波長λ２，及び第３の波長λ３の光を透過し、且つ第４の波長λ４，第５の波長λ５，及び第６の波長λ６の光を反射する第１の波長フィルタ２８９と、第１の波長λ１の光を透過し、且つ第２の波長λ２及び第３の波長λ３の光を反射する第２の波長フィルタ２９０と、第２の波長λ２の光を透過し、且つ第３の波長λ３の光を反射する第３の波長フィルタ２９１と、第３の波長λ３の光のみを透過する第４の波長フィルタ２９２と、第４の波長λ４の光を透過し、且つ第５の波長λ５及び第６の波長λ６の光を反射する第５の波長フィルタ２９３と、第５の波長λ５の光を透過し、且つ第６の波長λ６の光を反射する第６の波長フィルタ２９４と、第６の波長λ６の光のみを透過する第７の波長フィルタ２９５と、第２の波長λ２及び第３の波長λ３の光を反射する第１のミラー面と第５の波長λ５及び第６の波長λ６の光を反射する第２のミラー面とをそれぞれ片側に備えたミラー２９６とが筐体２９７内に配備されている。
【０３４９】
更に、第１のファイバコリメータ２８２と３つのファイバコリメータ２８３，２８４，２８５にあっての第１のファイバコリメータ２８３とは、それぞれ入出射する光線の光軸がほぼ一致するように略直線上に配置され、第１の波長フィルタ２８９及び第２の波長フィルタ２９０は、光軸上にそれぞれ所定の角度で配置され、第３の波長フィルタ２９１，第４の波長フィルタ２９２，及びミラー２９６は、３つのファイバコリメータ２８３，２８４，２８５にあっての第２のファイバコリメータ２８４及び第３のファイバコリメータ２８５に入出射する光線の光軸が４つのファイバコリメータ２８２，２８６，２８７，２８８にあっての第１のファイバコリメータ２８２から３つのファイバコリメータ２８３，２８４，２８５にあっての第１のファイバコリメータ２８３へ結合される光線の光軸に対してほぼ平行となるように、３つのファイバコリメータ２８３，２８４，２８５にあっての第２のファイバコリメータ２８４及び第３のファイバコリメータ２８５に入出射する光線の光軸に対して所定の角度で所定の位置に配置され、４つのファイバコリメータ２８２，２８６，２８７，２８８にあっての第２のファイバコリメータ２８６と第５の波長フィルタ２９３とは、第１の波長フィルタ２８９で反射する光の方向に光軸が一致するように配置され、４つのファイバコリメータ２８２，２８６，２８７，２８にあっての第３のファイバコリメータ２８７及び第４のファイバコリメータ２８８と第６の波長フィルタ２９４及び第７の波長フィルタ２９５とは、４つのファイバコリメータ２８２，２８６，２８７，２８８にあっての第３のファイバコリメータ２８７及び第４のファイバコリメータ２８８に入出射する光線の光軸が４つのファイバコリメータ２８２，２８６，２８７，２８８にあっての第２のファイバコリメータ２８６の光軸に対してほぼ平行となるように所定の角度で所定の位置に配置されている。
【０３５０】
これにより、第１の波長λ１の光は、４つのファイバコリメータ２８２，２８６，２８７，２８８にあっての第１のファイバコリメータ２８２と３つのファイバコリメータ２８３，２８４，２８５にあっての第１のファイバコリメータ２８３との間で第１の波長フィルタ２８９及び第２の波長フィルタ２９０を介して光学的に結合され、第２の波長λ２の光は、４つのファイバコリメータ２８２，２８６，２８７，２８８にあっての第１のファイバコリメータ２８２と３つのファイバコリメータ２８３，２８４，２８５にあっての第２のファイバコリメータ２８４との間で第１の波長フィルタ２８９，第２の波長フィルタ２９０，並びに第３の波長フィルタ２９１とミラー２９６とを介して光学的に結合され、第３の波長λ３の光は、４つのファイバコリメータ２８２，２８６，２８７，２８８にあっての第１のファイバコリメータ２８２と３つのファイバコリメータ２８３，２８４，２８５にあっての第３のファイバコリメータ２８５との間で第１の波長フィルタ２８９，第２の波長フィルタ２９０，第３の波長フィルタ２９１，並びに第４の波長フィルタ２９２とミラー２９６とを介して光学的に結合され、第４の波長λ４の光は、４つのファイバコリメータ２８２，２８６，２８７，２８８にあっての第１のファイバコリメータ２８２及び第２のファイバコリメータ２８６の間で第１の波長フィルタ２８９及び第５の波長フィルタ２９３とミラー２９６とを介して光学的に結合され、第５の波長λ５の光は、４つのファイバコリメータ２８２，２８６，２８７，２８８にあっての第１のファイバコリメータ２８２及び第３のファイバコリメータ２８７の間で第１の波長フィルタ２８９，第５の波長フィルタ２９３，並びに第６の波長フィルタ２９４とミラー２９６とを介して光学的に結合され、第６の波長λ６の光は、４つのファイバコリメータ２８２，２８６，２８７，２８８にあっての第１のファイバコリメータ２８２及び第４のファイバコリメータ２８８の間で第１の波長フィルタ２８９，第５の波長フィルタ２９３，第６の波長フィルタ２９４，並びに第７の波長フィルタ２９５とミラー２９６とを介して光学的に結合されるようになっている。
【０３５１】
ここでのファイバコリメータ２８２，２８３，２８４，２８５，２８６，２８７，２８８は、ピグテールファイバ及びレンズから成るもので、光信号入出射手段として働く。ピグテールファイバ及びレンズの位置は光信号がコリメート光となる位置に配置されている。波長多重信号数が６波の場合には必要となる誘電体多層膜による波長フィルタ２８９，２９０，２９１，２９２，２９３，２９４，２９５は７つとなっており、同様にミラー２９６は１つとなっている。波長フィルタ２８９，２９０，２９１，２９２，２９３，２９４，２９５は、実施例１４で図１５を参照して説明した場合と同様であり、それぞれ１つの所定の範囲の波長（即ち、それぞれλ１，λ２，λ３，λ４，λ５，λ６を示す）を透過する特性を有し、それ以外の波長の範囲を反射する波長選択特性を有するものである。
【０３５２】
この光合分波器における分波動作の場合、先ずファイバコリメータ２８２から入射した波長λ１〜λ６の光に対し、波長フィルタ２８９により波長λ１〜λ３の光を選択的に透過し、且つ波長λ４〜λ６の光を反射させて３波長ずつに分割し、且つ波長フィルタ２８９を透過した波長λ１〜λ３の光について、波長フィルタ２９０により波長λ１の光のみが波長フィルタ２９０を透過してファイバコリメータ２８３に結合するように、波長フィルタ２８９，２９０とファイバコリメータ２８２，２８３との調芯・固定が行われる。次に、波長フィルタ２９０で反射した波長λ２，λ３の光について、ミラー２９６の第１のミラー面で折り返されるように反射して波長λ２の光のみが波長フィルタ２９１を透過した後にファイバコリメータ２８４に結合するように、波長フィルタ２９１及びミラー２９６とファイバコリメータ２８４との調芯・固定が行われる。更に、波長フィルタ２９１で反射した波長λ３の光がミラー２９６の第１のミラー面で折り返されるように反射して波長λ２の光が波長フィルタ２９２を透過した後にファイバコリメータ２８５に結合するように、波長フィルタ２９２とファイバコリメータ２８５との調芯・固定が行われる。
【０３５３】
一方、波長フィルタ２８９で反射した波長λ４〜λ６の光に対し、波長フィルタ２９３により波長λ４の光のみを透過した後にファイバコリメータ２８６に結合するように、波長フィルタ２９３及びファイバコリメータ２８６の調芯・固定が行われる。又、波長フィルタ２９３で反射した波長λ５，λ６の光について、ミラー２９６の第２のミラー面で折り返されるように反射して波長λ５の光のみが波長フィルタ２９４を透過した後にファイバコリメータ２８７に結合するように、波長フィルタ２９４及びファイバコリメータ２８７の調芯・固定が行われる。更に、波長フィルタ２９４で反射した波長λ６の光がミラー２９６の第２のミラー面で折り返されるように反射して波長λ６の光が波長フィルタ２９５を透過した後にファイバコリメータ２８８に結合するように、波長フィルタ２９５とファイバコリメータ２８８との調芯・固定が行われる。
【０３５４】
このため、ファイバコリメータ２８２から入射した波長λ１〜λ６の光は、結果として波長λ１の光がファイバコリメータ２８３に結合し、波長λ２の光がファイバコリメータ２８４に結合し、波長λ３の光がファイバコリメータ２８５に結合し、波長λ４の光がファイバコリメータ２８６に結合し、波長λ５の光がファイバコリメータ２８７に結合し、波長λ６の光がファイバコリメータ２８８に結合することになり、このようにして分波動作が行われる。
【０３５５】
これに対し、合波動作の場合、先ずファイバコリメータ２８３から入射した波長λ１の光が波長フィルタ２９０と波長フィルタ２８９とを透過してファイバコリメータ２８２に結合するように、波長フィルタ２８９，２９０とファイバコリメータ２８２，２８３との調芯・固定が行われる。次に、ファイバコリメータ２８４から入射した波長λ２の光が波長フィルタ２９１を透過してミラー２９６の第１のミラー面で折り返されるように全反射されて波長フィルタ２９０に入射され、更に波長フィルタ２９０で反射された後に波長λ１の光と光軸が一致して波長フィルタ２８９を透過してファイバコリメータ２８２に結合するように、波長フィルタ２９１及びミラー２９６とファイバコリメータ２８４との調芯・固定が行われる。更に、ファイバコリメータ２８５から入射した波長λ３の光が波長フィルタ２９２を透過してミラー２９６の第１のミラー面で折り返されるように全反射されて波長フィルタ２９１に入射され、この波長フィルタ２９１で反射された後に波長λ２の光と光軸が一致して再度ミラー２９６の第１のミラー面で折り返されるように全反射されて波長フィルタ２９０に入射され、再度波長フィルタ２９０で反射された後に波長λ１の光と光軸が一致してファイバコリメータ２８２に結合するように、波長フィルタ２９２とファイバコリメータ２８５との調芯・固定が行われる。
【０３５６】
他方、ファイバコリメータ２８６から入射した波長λ４の光が波長フィルタ２９３を透過して波長フィルタ２８９に入射され、この波長フィルタ２８９で反射された後にファイバコリメータ２８２に結合するように、波長フィルタ２９３及びファイバコリメータ２８６の調芯・固定が行われる。又、ファイバコリメータ２８７から入射した波長λ５の光が波長フィルタ２９４を透過してミラー２９６の第２のミラー面で折り返されるように全反射されて波長フィルタ２９３に入射され、この波長フィルタ２９３で反射された後に波長フィルタ２８９に入射され、再度この波長フィルタ２８９で反射されて波長λ４の光と光軸が一致してファイバコリメータ２８２に結合するように、波長フィルタ２９４及びミラー２９６とファイバコリメータ２８７との調芯・固定が行われる。更に、ファイバコリメータ２８８から入射した波長λ６の光が波長フィルタ２９５を透過してミラー２９６の第２のミラー面で折り返されるように全反射されて波長フィルタ２９４に入射され、この波長フィルタ２９４で反射された後に波長λ５の光と光軸が一致して再度ミラー２９６の第２のミラー面で折り返されるように全反射されて波長フィルタ２９３に入射され、この波長フィルタ２９３で反射されて波長λ４の光と光軸が一致してファイバコリメータ２８２に結合するように、波長フィルタ２９５及びファイバコリメータ２８８との調芯・固定が行われる。
【０３５７】
このため、ファイバコリメータ２８３から入射した波長λ１の光と、ファイバコリメータ２８４から入射した波長λ２の光と、ファイバコリメータ２８５から入射した波長λ３の光と、ファイバコリメータ２８６から入射した波長λ４の光と、ファイバコリメータ２８７から入射した波長λ５の光と、ファイバコリメータ２８８から入射した波長λ６の光とは、結果として何れもファイバコリメータ２８２に結合することになり、このようにして合波動作が行われる。
【０３５８】
因みに、この光合分波器において、単純に合波機能のみが要求されたり、或いは分波機能に高いアイソレーションが要求されない場合には、波長フィルタ２９２，２９５の何れか又は双方を省いた構成とすることもできる。
【０３５９】
この実施例１６に係る光合分波器の場合、ファイバコリメータ２８２から入射又はこれに結合される光について、６つの波長λ１，λ２，λ３，λ４，λ５，λ６の光の中心波長を１．４９μｍ，１．５１μｍ，１．５３μｍ，１．５５μｍ，１．５７μｍ，１．５９μｍとして選択したところ、挿入損失は０．７ｄＢ以下、アイソレーションは３０ｄＢ以上の値が得られ、良好な結果となった。尚、ここで選択する中心波長は、上述した値に限定されるものではなく、１．３μｍ帯から１．６μｍ帯までの単一モードでの伝播条件を満たす範囲の値であれば任意に選択可能である。
【０３６０】
ところで、この実施例１６に係る光合分波器についての具体的な製造過程についても、実施例１４で述べたものと同様であり、光合分波器の好ましい特徴（作用効果）についても同様であるので、説明を省略する。又、実施例１６に係る光合分波器の基本構成の場合、６波長対応のものであるが、波長フィルタ及び全反射ミラーを組み合わせれば、この構成に限定されることなく、原理的に８波長（８波多重）、１６波長（１６波多重）、更には３２波長（３２波多重）へと対応させる構成にも応用可能である。
【実施例１７】
【０３６１】
図１８は、本発明の実施例１７に係る光合分波器の基本構成(全体構成)を示した概略図である。
【０３６２】
この実施例１７に係る光合分波器は、光波長多重通信機能として、５本の光線を透過可能に形成された筐体３１２にあっての対向する壁面の一方側の外方近傍に１つの入出射ポートを持つ１つのファイバコリメータ３０１を備えると共に、他方側の外方近傍にそれぞれ１つの入出射ポートを持つ４つのファイバコリメータ３０２，３０３，３０４，３０５を備え、且つ４つの異なる波長λ１，λ２，λ３，λ４の光を４つのファイバコリメータ３０２，３０３，３０４，３０５から別々に入射して１つのファイバコリメータ３０１へ合波するか、或いは１つのファイバコリメータ３０１から入射して４つのファイバコリメータ３０２，３０３，３０４，３０５へ分波することにより双方向での入出射が可能なように構成され、各光学素子を固定するために一枚の透光性基板３１１を用いている。
【０３６３】
具体的に言えば、この実施例１７に係る光合分波器の場合、４つの異なる波長λ１，λ２，λ３，λ４にあっての第１の波長λ１の光を透過し、且つ他の第２の波長λ２，第３の波長λ３，及び第４の波長λ４の光を反射する透光性基板３１１に固定された第１の波長フィルタ３０６と、第２の波長λ２の光を透過し、且つ第３の波長λ３及び第４の波長λ４の光を反射する透光性基板３１１に固定された第２の波長フィルタ３０７と、第３の波長λ３の光を透過し、且つ第４の波長λ４の光を反射する透光性基板３１１に固定された第３の波長フィルタ３０８と、第４の波長λ４の光のみを透過する透光性基板３１１に固定された第４の波長フィルタ３０９と、第２の波長λ２，第３の波長λ３，及び第４の波長λ４の光を全反射する透光性基板３１１に固定されたミラー３１０とが筐体３１２内に配備されている。
【０３６４】
更に、１つのファイバコリメータ３０１と４つのファイバコリメータ３０２，３０３，３０４，３０５にあっての第１のファイバコリメータ３０２とはそれぞれ入出射する光線の光軸がほぼ一致するように略直線上に配置され、透光性基板３１１に固定された第１の波長フィルタ３０６は、光軸上に所定の角度で配置され、透光性基板３１１に固定されたミラー３１０は、４つのファイバコリメータ３０２，３０３，３０４，３０５にあっての第２のファイバコリメータ３０３，第３のファイバコリメータ３０４，及び第４のファイバコリメータ３０５に入出射する光線の光軸が１つのファイバコリメータ３０１から第１のファイバコリメータ３０２へ結合される光線の光軸に対してほぼ平行となるように、第２のファイバコリメータ３０３，第３のファイバコリメータ３０４，及び第４のファイバコリメータ３０５に入出射する光線の光軸に対して所定の角度で所定の位置に配置され、透光性基板３１１に固定された第２の波長フィルタ３０７，第３の波長フィルタ３０８，及び第４の波長フィルタ３０９は、それぞれの光軸に対してそれぞれ所定の角度で配置されている。
【０３６５】
これにより、第１の波長λ１の光は、１つのファイバコリメータ３０１と第１のファイバコリメータ３０２との間で透光性基板３１１に固定された第１の波長フィルタ３０６を介して光学的に結合され、第２の波長λ２の光は、１つのファイバコリメータ３０１と第２のファイバコリメータ３０３との間で透光性基板３１１に固定された第１の波長フィルタ３０６及び透光性基板３１１に固定された第２の波長フィルタ３０７と透光性基板３１１に固定されたミラー３１０とを介して光学的に結合され、第３の波長λ３の光は、１つのファイバコリメータ３０１と第３のファイバコリメータ３０４との間で透光性基板３１１に固定された第１の波長フィルタ３０６，透光性基板３１１に固定された第２の波長フィルタ３０７，及び透光性基板３１１に固定された第３の波長フィルタ３０８と透光性基板３１１に固定されたミラー３１０とを介して光学的に結合され、第４の波長λ４の光は、１つのファイバコリメータ３０１と第４のファイバコリメータ３０５との間で透光性基板３１１に固定された第１の波長フィルタ３０６，透光性基板３１１に固定された第２の波長フィルタ３０７，透光性基板３１１に固定された第３の波長フィルタ３０８，及び透光性基板３１１に固定された第４の波長フィルタ３０９と透光性基板３１１に固定されたミラー３１０とを介して光学的に結合されるようになっている。
【０３６６】
ここでのファイバコリメータ３０１，３０２，３０３，３０４，３０５は、ピグテールファイバ及びレンズから成るもので、光信号入出射手段として働く。ピグテールファイバ及びレンズの位置は光信号がコリメート光となる位置に配置されている。波長多重信号数が４波の場合、必要となる光学素子については、透光性基板３１１における一方の側面に固定された誘電体多層膜による波長フィルタ３０６，３０７，３０８，３０９は４つとなっており、同様に透光性基板３１１における一方の側面に対向する他方の側面に固定されたミラー３１０が１つとなっている。尚、波長フィルタ３０６，３０７，３０８，３０９は、それぞれ１つの所定の範囲の波長（即ち、それぞれλ１，λ２，λ３，λ４を示す）を透過する特性を有し、それ以外の波長の範囲を反射する波長選択特性を有するものである。
【０３６７】
この光合分波器における分波動作の場合、先ずファイバコリメータ３０１から入射した波長λ１〜λ４の光に対し、波長フィルタ３０６により波長λ１の光を選択的に透過してファイバコリメータ３０２に結合するように、ファイバコリメータ３０１，３０２及び透光性基板３１１に固定された波長フィルタ３１２の調芯・固定が行われる。次に、波長フィルタ３０６で反射した波長λ２〜λ４の光に対し、透光性基板３１１に固定されたミラー３１０で折り返されるように反射して波長λ２の光のみが透光性基板３１１に固定された波長フィルタ３０７を選択的に透過してファイバコリメータ３０３に結合するように、透光性基板３１１に固定された波長フィルタ３０７及びファイバコリメータ３０３の調芯・固定が行われる。更に、波長フィルタ３０７で反射した波長λ３，λ４の光に対し、ミラー３１０で折り返されるように反射して波長λ３の光のみが透光性基板３１１に固定された波長フィルタ３０８を選択的に透過してファイバコリメータ３０４に結合するように、透光性基板３１１に固定された波長フィルタ３０８及びファイバコリメータ３０４の調芯・固定が行われる。最後に、透光性基板３１１に固定された波長フィルタ３０８で反射した波長λ４の光に対し、透光性基板３１１に固定されたミラー３１０で折り返されるように反射して波長λ４の光が透光性基板３１１に固定された波長フィルタ３０９を選択的に透過してファイバコリメータ３０５に結合するように、透光性基板３１１に固定された波長フィルタ３０９及びファイバコリメータ３０５の調芯・固定が行われる。
【０３６８】
このため、ファイバコリメータ１から入射した波長λ１〜λ４の光は、結果として波長λ１の光がファイバコリメータ３０２に結合し、波長λ２の光がファイバコリメータ３０３に結合し、波長λ３の光がファイバコリメータ３０４に結合し、波長λ４の光がファイバコリメータ３０５に結合することになり、このようにして分波動作が行われる。
【０３６９】
これに対し、合波動作の場合、先ずファイバコリメータ３０２から入射した波長λ１の光が透光性基板３１１に固定された波長フィルタ３０６を透過してファイバコリメータ３０１に結合するように、透光性基板３１１に固定された波長フィルタ３０６及びファイバコリメータ３０１，３０２の調芯・固定が行われる。次に、ファイバコリメータ３０３から入射した波長λ２の光が透光性基板３１１に固定された波長フィルタ３０７を透過して透光性基板３１１に固定されたミラー３１０で全反射されて透光性基板３１１に固定された波長フィルタ３０６に入射された後、この波長フィルタ３０６で全反射されて波長λ１の光と光軸が一致してファイバコリメータ３０１に結合するように、透光性基板３１１に固定された波長フィルタ３０７及び透光性基板３１１に固定されたミラー３１０とファイバコリメータ３０３との調芯・固定が行われる。更に、ファイバコリメータ３０４から入射した波長λ３の光が透光性基板３１１に固定された波長フィルタ３０８を透過して透光性基板３１１に固定されたミラー３１０で全反射されて波長フィルタ３０７に入射された後、この波長フィルタ３０７で全反射されて波長λ２の光と光軸が一致して再度ミラー３１０で全反射されて波長フィルタ３０６に入射され、更に波長フィルタ３０６で全反射されて波長λ１の光と光軸が一致してファイバコリメータ３０１に結合されるように、透光性基板３１１に固定された波長フィルタ３０８とファイバコリメータ３０４との調芯・固定が行われる。最後に、ファイバコリメータ３０５から入射した波長λ４の光が透光性基板３１１に固定された波長フィルタ３０９を透過してミラー３１０で全反射されて波長フィルタ３１４に入射された後、この波長フィルタ３０８で全反射されて波長λ３の光と光軸が一致して再度ミラー３１０で全反射されて波長フィルタ３０７に入射され、更に波長フィルタ３０７で全反射されて波長λ２の光と光軸が一致して再度ミラー３１０で全反射されて波長フィルタ３０６に入射された後、同様に波長フィルタ３０６で全反射されて波長λ１の光と光軸が一致してファイバコリメータ３０７に結合されるように、透光性基板３１１に固定された波長フィルタ３０９とファイバコリメータ３０５との調芯・固定が行われる。
【０３７０】
このため、ファイバコリメータ３０２から入射された波長λ１の光と、ファイバコリメータ３０３から入射された波長λ２の光と、ファイバコリメータ３０４から入射された波長λ３の光と、ファイバコリメータ３０５から入射された波長λ４の光とは、結果として何れもファイバコリメータ３０１に結合することになり、このようにして合波動作が行われる。
【０３７１】
因みに、この光合分波器において、単純に合波機能のみが要求されたり、或いは分波機能に高いアイソレーションが要求されない場合には、波長フィルタ３０９を省いた構成とすることもできる。
【０３７２】
尚、ここでのファイバコリメータ３０２，３０３，３０４，３０５については、筐体３１２の対向する壁面の他方側近傍にほぼ平行に並んで配置された様相を例示しているが、各光学素子としてのファイバコリメータ３０２，３０３，３０４，３０５の光の入出射角度、透光性基板３１１に固定された各波長フィルタ３０６，３０７，３０８，３０９や透光性基板３１１に固定されたミラー３１０の製作精度、並びに各光学素子の筐体３１２に対する実装精度等により多少の調整を行う必要があるために完全に平行とならない可能性があるが、概ね平行に配置することができる。
【０３７３】
この実施例１７に係る光合分波器の場合、ファイバコリメータ３０１から入射又はこれに結合される光について、４つの波長λ１，λ２，λ３，λ４の光の中心波長を１．２７μｍ，１．２９μｍ，１．３１μｍ，１．３３μｍとして選択したところ、挿入損失は０．８ｄＢ以下、アイソレーションは３０ｄＢ以上の値が得られ、良好な結果となった。尚、ここで選択する中心波長は、上述した値に限定されるものではなく、１．３μｍ帯から１．６μｍ帯までの単一モードでの伝播条件を満たす範囲の値であれば任意に選択可能である。又、実施例１８の場合についても、先の各実施例で説明した場合と同様に、４つの波長λ１，λ２，λ３，λ４のうちの３つの波長，２つの波長，或いは１つの波長のみの光を入出射するようにしても動作上では何等支障ない。
【０３７４】
以下は、この実施例１７に係る光合分波器についての具体的な製造過程を説明する。先ず、ハステロイ製の筐体３１２に対し、保持されるファイバコリメータ３０１，３０２，３０３，３０４，３０５のための保持部を加工すると共に、所定箇所において内蔵される透光性基板３１１に固定された誘電体多層膜による波長フィルタ３０６，３０７，３０８，３０９及びミラー３１０のおおよその位置決めをするためのマーキングを施した。
【０３７５】
能動的な調芯作業に先立って、透光性基板３１１に固定された波長フィルタ３０６，３０７，３０８，３０９及びミラー３１０をマーキングに従ってマイクロメータに連動するハンドリング用の治具により位置決めして仮固定した。
【０３７６】
次に、ファイバコリメータ３０１から４つの波長λ１，λ２，λ３，λ４の光を中心波長１．２７μｍ，１．２９μｍ，１．３１μｍ，１．３３μｍとして入射し、透光性基板３１１に固定された波長フィルタ３０６，３０７，３０８，３０９及びミラー３１０を透過・反射させてそれぞれファイバコリメータ３０２，３０３，３０４，３０５に結合するための調芯作業を行った。ここでは、各ファイバコリメータ３０１，３０２，３０３，３０４，３０５、透光性基板３１１に固定された各波長フィルタ３０６，３０７，３０８，３０９、及びミラー３１０をマイクロメータに連動した専用の治具を用いて微細に調整し、結合効率が最大となるように調芯作業を行った。
【０３７７】
ここでの調芯作業は、それぞれの波長λ１〜λ４について５分未満であったにも拘らず、ファイバコリメータ３０１，３０２，３０３，３０４，３０５まで含めた結合損失は、１ｄＢを下回った。調芯作業後、各ファイバコリメータ３０１，３０２，３０３，３０４，３０５を金属半田により、又透光性基板３１１に固定された各波長フィルタ３０６，３０７，３０８，３０９、及びミラー３１０を紫外線硬化型の光学接着剤によりしっかりと固定した。尚、この固定作業による損失の増加は殆ど認められなかった。
【０３７８】
このようにして、実施例１７に係る光合分波器を作製（製造）し終えた。この光合分波器においては特定の波長に対して全反射する誘電体多層膜による波長フィルタ３０６，３０７，３０８，３０９及びミラー３１０を用いているため、筐体３１２の好ましい端面に入出射力ポートを持つファイバコリメータ３０１，３０２，３０３，３０４，３０５を配置することできると共に、筐体３１２内で空間的に光を結合させる構造であり、ファイバコリメータ３０１，３０２，３０３，３０４，３０５の数量を少なくできることにより部品点数を削減できて低コスト化を図り得ると共に、筐体３１２内にファイバの余長を収納するための空間を設ける必要がなくて部品を小型化することが可能となり、結果として要求される波長多重数に応じて入出射ポートの配置を簡単にしてモジュールを小型化し得る高性能な製品が得られる。尚、実施例１７に係る光合分波器の基本構成は、４波長対応のものであるが、本発明はこれに限定されるものでなく、波長フィルタ及びミラーを適宜組み合わせれば、原理的に２波長，３波長，５波長，６波長，７波長，８波長，１６波長，更には３２波長等の２波長以上の任意な波長数（その数の波の多重が可能であることを示す）へと対応させる構成にも応用可能である。
【実施例１８】
【０３７９】
図１９は、本発明の実施例１８に係る光合分波器の基本構成（全体構成）を示した概略図である。
【０３８０】
この実施例１８に係る光合分波器は、光波長多重通信機能として、５本の光線を透過可能に形成された筐体３２６にあっての対向する壁面の一方側の外方近傍に１つの入出射ポートを持つ１つのファイバコリメータ３１２を備えると共に、他方側の外方近傍にそれぞれ１つの入出射ポートを持つ４つのファイバコリメータ３１３，３１４，３１５，３１６を備え、且つ４つの異なる波長λ１，λ２，λ３，λ４の光を４つのファイバコリメータ３１３，３１４，３１５，３１６から別々に入射して１つのファイバコリメータ３１２へ合波するか、或いは１つのファイバコリメータ３１２から入射して４つのファイバコリメータ３１３，３１４，３１５，３１６へ分波することにより双方向での入出射が可能なものとして構成され、各光学素子を固定するために一枚の透光性基板３２５が用いられている。
【０３８１】
具体的に言えば、この実施例１８に係る光合分波器の場合、４つの異なる波長λ１，λ２，λ３，λ４にあっての第１の波長λ１及び第２の波長λ２の光を透過し、且つ第３の波長λ３及び第４の波長λ４の光を反射する透光性基板３２５に固定された第１の波長フィルタ３１７と、第１の波長λ１の光を透過し、且つ第２の波長λ２の光を反射する透光性基板３２５に固定された第２の波長フィルタ３１８と、第２の波長λ２の光のみを透過する透光性基板３２５に固定された第３の波長フィルタ３１９と、第３の波長λ３の光を透過し、且つ第４の波長λ４の光を反射する透光性基板３２５に固定された第４の波長フィルタ３２０と、第４の波長λ４の光のみを透過する透光性基板３２５に固定された第５の波長フィルタ３２１と、第２の波長λ２の光を全反射する透光性基板３２５に固定された第１のミラー３１７と、第３の波長λ３及び第４の波長λ４の光を全反射する第２のミラー３２３と、第４の波長λ４の光を全反射する透光性基板３２５に固定された第３のミラー３２４とが筐体３２６内に配備されている。
【０３８２】
更に、１つのファイバコリメータ３１２と４つのファイバコリメータ３１３，３１４，３１５，３１６にあっての第１のファイバコリメータ３１３とは、それぞれ入出射する光線の光軸をほぼ一致するように略直線上に配置され、透光性基板３２５に固定された第１の波長フィルタ３１７及び第２の波長フィルタ３１８は、それぞれ光軸上に所定の角度で配置され、透光性基板３２５に固定された第１のミラー３２２，第２のミラー３２３，及び透光性基板３２５に固定された第３のミラー３２４は、４つのファイバコリメータ３１３，３１４，３１５，３１６にあっての第２のファイバコリメータ３１４，第３のファイバコリメータ３１５，及び第４のファイバコリメータ３１６に入出射する光線の光軸が１つのファイバコリメータ３１２から第１のファイバコリメータ３１３へ結合される光線の光軸に対してほぼ平行となるように、第２のファイバコリメータ３１４，第３のファイバコリメータ３１５，及び第４のファイバコリメータ３１６に入出射する光線の光軸に対してそれぞれ所定の角度で所定の位置に配置され、透光性基板３２５に固定された第３の波長フィルタ３１９，透光性基板３２５に固定された第４の波長フィルタ３２０，及び透光性基板３２５に固定された第５の波長フィルタ３２１は、それぞれの光軸に対してそれぞれ所定の角度で配置されている。
【０３８３】
これにより、第１の波長λ１の光は、１つのファイバコリメータ３１２と第１のファイバコリメータ３１３との間で透光性基板３２５に固定された第１の波長フィルタ３１７及び透光性基板３２５に固定された第２の波長フィルタ３１８を介して光学的に結合され、第２の波長λ２の光は、１つのファイバコリメータ３１２と第２のファイバコリメータ３１４との間で透光性基板３２５に固定された第１の波長フィルタ３１７，透光性基板３２５に固定された第２の波長フィルタ３１８，及び透光性基板３２５に固定された第３の波長フィルタ３１９と透光性基板３２５に固定された第１のミラー３２２とを介して光学的に結合され、第３の波長λ３の光は、１つのファイバコリメータ３１２と第３のファイバコリメータ３１５との間で透光性基板２５に固定された第１の波長フィルタ３１７及び透光性基板３２５に固定された第４の波長フィルタ３２０と第２のミラー３２３とを介して光学的に結合され、第４の波長λ４の光は、１つのファイバコリメータ３１２と第４のファイバコリメータ３１６との間で透光性基板３２５に固定された第１の波長フィルタ３１７，透光性基板３２５に固定された第４の波長フィルタ３２０，及び透光性基板３２５に固定された第５の波長フィルタ３２１と第２のミラー３２３及び第３のミラー３２４とを介して光学的に結合されるようになっている。
【０３８４】
ここでのファイバコリメータ３１２，３１３，３１４，３１５，３１６は、ピグテールファイバ及びレンズから成るもので、光信号入出射手段として働く。ピグテールファイバ及びレンズの位置は光信号がコリメート光となる位置に配置されている。波長多重信号数が４波の場合、必要となる光学素子については、透光性基板３２５における一方の側面に固定された波長フィルタ３１８，３１９，３２０，３２１と一方の側面に対向する他方の側面に固定された波長フィルタ３１７との誘電体多層膜によるものが５つとなっており、同様に透光性基板３２５における他方の側面に固定されたミラー３２２，３２４が２つ、透光性基板３２５に固定されずに隔てられて配置されたミラー３２３が一つとなっている。尚、波長フィルタ３１７，３１８，３１９，３２０，３２１は、実施例１８で説明した場合と同様に、それぞれ所定の範囲の波長（即ち、それぞれλ１，λ２，λ３，λ４を示す）を透過する特性を有し、それ以外の波長の範囲を反射する波長選択特性を有するものである。
【０３８５】
この光合分波器における分波動作の場合、先ずファイバコリメータ３１２から入射した波長λ１〜λ４の光に対し、透光性基板３２５に固定された波長フィルタ３１７により波長λ１，λ２の光を選択的に透過し、且つ波長λ３，λ４の光を反射させて２波長ずつに分割し、且つ波長フィルタ３１７を透過した波長λ１，λ２の光について、透光性基板３２５に固定された波長フィルタ３１８により波長λ１の光のみが波長フィルタ３１８を透過してファイバコリメータ３１３に結合するように、波長フィルタ３１７，３１８とファイバコリメータ３１２，３１３との調芯・固定が行われる。次に、透光性基板３２５に固定された波長フィルタ３１８で反射した波長λ２の光が透光性基板３２５に固定されたミラー３２２で折り返されるように反射して透光性基板３２５に固定された波長フィルタ３１９を透過した後にファイバコリメータ３１４に結合するように、波長フィルタ３１９及びミラー３２２とファイバコリメータ３１４との調芯・固定が行われる。更に、透光性基板３２５に固定された波長フィルタ３１７で反射した波長λ３，λ４の光に対し、ミラー３２３で折り返されるように反射して波長λ３の光のみが透光性基板３２５に固定された波長フィルタ３２０を透過してファイバコリメータ３１５に結合するように、ミラー３２３及び波長フィルタ３２０とファイバコリメータ３１５との調芯・固定が行われる。最後に、波長フィルタ３２０で反射した波長λ４の光に対し、透光性基板３２５に固定されたミラー３２４で折り返されるように反射して波長λ４の光が透光性基板３２５に固定された波長フィルタ３２１を透過してファイバコリメータ３１６に結合するように、透光性基板３２５に固定されたミラー３２４及び透光性基板３２５に固定された波長フィルタ３２１とファイバコリメータ３１６との調芯・固定が行われる。
【０３８６】
このため、ファイバコリメータ３１２から入射した波長λ１〜λ４の光は、結果として波長λ１の光がファイバコリメータ３１３に結合し、波長λ２の光がファイバコリメータ３１４に結合し、波長λ３の光がファイバコリメータ３１５に結合し、波長λ４の光がファイバコリメータ３１６に結合することになり、このようにして分波動作が行われる。
【０３８７】
これに対し、合波動作の場合、先ずファイバコリメータ３１３から入射した波長λ１の光が透光性基板３２５に固定された波長フィルタ３１８と波長フィルタ３１７とを透過してファイバコリメータ３１２に結合するように、透光性基板３２５に固定された波長フィルタ３１７，３１８とファイバコリメータ３１２，３１３との調芯・固定が行われる。次に、ファイバコリメータ３１４から入射した波長λ２の光が透光性基板３２５に固定された波長フィルタ３１９を透過して透光性基板３２５に固定されたミラー３２２で折り返されるように全反射されて透光性基板３２５に固定された波長フィルタ３１８に入射され、更に波長フィルタ３１８で反射された後に波長λ１の光と光軸が一致して透光性基板３２５に固定された波長フィルタ３１７を透過してファイバコリメータ３１２に結合するように、透光性基板３２５に固定された波長フィルタ３１９及びミラー３２２とファイバコリメータ３１４との調芯・固定が行われる。更に、ファイバコリメータ３１５から入射した波長λ３の光が透光性基板３２５に固定された波長フィルタ３２０を透過してミラー３２３で折り返されるように全反射されて透光性基板３２５に固定された波長フィルタ３１７に入射され、更に波長フィルタ３１７で反射された後に波長λ１の光と光軸が一致してファイバコリメータ３１２に結合するように、透光性基板３２５に固定された波長フィルタ３２０とミラー３２３とファイバコリメータ３１５との調芯・固定が行われる。最後に、ファイバコリメータ３１６から入射した波長λ４の光が透光性基板３２５に固定された波長フィルタ３２１を透過して透光性基板３２５に固定されたミラー３２４で折り返されるように全反射されて透光性基板３２５に固定された波長フィルタ３２０に入射され、更に波長フィルタ３２０で反射された後に波長λ３の光と光軸が一致して再度ミラー３２３で折り返されるように全反射されて透光性基板３２５に固定された波長フィルタ３１７に入射され、この波長フィルタ３１７で反射された後に波長λ１の光と光軸が一致してファイバコリメータ３１２に結合するように、透光性基板３２５に固定された波長フィルタ３２１及びミラー３２４とファイバコリメータ３１６との調芯・固定が行われる。
【０３８８】
このため、ファイバコリメータ３１３から入射した波長λ１の光と、ファイバコリメータ３１４から入射した波長λ２の光と、ファイバコリメータ３１５から入射した波長λ３の光と、ファイバコリメータ３１６から入射した波長λ４の光とは、結果として何れもファイバコリメータ３１２に結合することになり、このようにして合波動作が行われる。
【０３８９】
因みに、この光合分波器において、単純に合波機能のみが要求されたり、或いは分波機能に高いアイソレーションが要求されない場合には、波長フィルタ３１９，３２１の何れか又は双方を省いた構成とすることもできる。
【０３９０】
尚、ここでのファイバコリメータ３１３，３１４，３１５，３１６については、筐体３２６の対向する壁面の他方側近傍にほぼ平行に並んで配置された様相を例示しているが、各光学素子としてのファイバコリメータ３１２，３１３，３１４，３１５，３１６の光の入出射角度、透光性基板３２５に固定された各波長フィルタ３１７，３１８，３１９，３２０，３２１、透光性基板３２５に固定されたミラー３２２，３２４，透光性基板３２５に固定されないミラー３２３、透光性基板３２５の製作精度、並びに各光学素子の筐体３２６に対する実装精度等により多少の調整を行う必要があるために完全には平行にはならない可能性があるが、概ね平行に配置することができる。
【０３９１】
この実施例１８に係る光合分波器の場合、ファイバコリメータ３１２から入射又はこれに結合される光について、４つの波長λ１，λ２，λ３，λ４の光の中心波長を１．４９μｍ，１．５１μｍ，１．５３μｍ，１．５５μｍとして選択したところ、挿入損失は０．７ｄＢ以下、アイソレーションは３０ｄＢ以上の値が得られ、良好な結果となった。尚、ここで選択する中心波長は、上述した値に限定されるものではなく、１．３μｍ帯から１．６μｍ帯までの単一モードでの伝播条件を満たす範囲の値であれば任意に選択可能である。
【０３９２】
ところで、この実施例１８に係る光合分波器についての具体的な製造過程は、実施例１７で述べたものと同様であり、光合分波器の好ましい特徴（作用効果）についても同様であるので、説明を省略する。又、実施例１７でも説明したが、実施例１８に係る光合分波器の基本構成についても、４波長対応のものであるが、波長フィルタ及び全反射ミラーを組み合わせれば、この構成に限定されることなく、原理的に８波長（８波多重）、１６波長（１６波多重）、更には３２波長（３２波多重）へと対応させる構成にも応用可能である。
【実施例１９】
【０３９３】
図２０は、本発明の実施例１９に係る光合分波器の基本構成（全体構成）を示した概略図である。
【０３９４】
この実施例１９に係る光合分波器は、光波長多重通信機能として、５本の光線を透過可能に形成された筐体３４２にあっての対向する壁面の一方側の外方近傍に１つの入出射ポートを持つ１つのファイバコリメータ３２７を備えると共に、他方側の外方近傍にそれぞれ１つの入出射ポートを持つ４つのファイバコリメータ３２８，３２９，３３０，３３１を備え、且つ４つの異なる波長λ１，λ２，λ３，λ４の光を４つのファイバコリメータ３２８，３２９，３３０，３３１から別々に入射して１つのファイバコリメータ３２７へ合波するか、或いは１つのファイバコリメータ３２７から入射して４つのファイバコリメータ３２８，３２９，３３０，３３１へ分波することにより双方向での入出射が可能なものとして構成され、各光学素子を固定するために二枚の透光性基板３５６，３５８が用いられている。
【０３９５】
具体的に言えば、この実施例１９に係る光合分波器の場合、４つの異なる波長λ１，λ２，λ３，λ４にあっての第１の波長λ１及び第２の波長λ２の光を透過し、且つ第３の波長λ３及び第４の波長λ４の光を反射する第１の透光性基板３４０，第２の透光性基板３４１に固定された第１の波長フィルタ３３２と、第１の波長λ１の光を透過し、且つ第２の波長λ２の光を反射する第２の透光性基板３４１に固定された第２の波長フィルタ３３３と、第２の波長λ２の光のみを透過する第２の透光性基板３４１に固定された第３の波長フィルタ３３４と、第３の波長λ３の光を透過し、且つ第４の波長λ４の光を反射する第２の透光性基板３４１に固定された第４の波長フィルタ３３５と、第４の波長λ４の光のみを透過する第２の透光性基板３４１に固定された第５の波長フィルタ３３６と、第２の波長λ２の光を全反射する第１の透光性基板３４０，第２の透光性基板３４１に固定された第１のミラー３３７と、第３の波長λ３及び第４の波長λ４の光を全反射する第１の透光性基板４０に固定された第２のミラー３３８と、第４の波長λ４の光を全反射する第１の透光性基板３４０，第２の透光性基板３４１に固定された第３のミラー３３９とが筐体３４２内に配備されている。
【０３９６】
更に、１つのファイバコリメータ３２７と４つのファイバコリメータ３２８，３２９，３３０，３３１にあっての第１のファイバコリメータ３２８とは、それぞれ入出射する光線の光軸をほぼ一致するように略直線上に配置され、第１の透光性基板３４０，第２の透光性基板３４１に固定された第１の波長フィルタ３３２と第２の透光性基板３４１に固定された第２の波長フィルタ３３３は、それぞれ光軸上に所定の角度で配置され、第１の透光性基板３４０，第２の透光性基板３４１に固定された第１のミラー３３７，第１の透光性基板３４０に固定された第２のミラー３３８，及び第１の透光性基板３４０，第２の透光性基板３４１に固定された第３のミラー３３９は、４つのファイバコリメータ３２８，３２９，３３０，３３１にあっての第２のファイバコリメータ３２９，第３のファイバコリメータ３３０，及び第４のファイバコリメータ３３１に入出射する光線の光軸が１つのファイバコリメータ３２７から第１のファイバコリメータ３２８へ結合される光線の光軸に対してほぼ平行となるように、第２のファイバコリメータ３２９，第３のファイバコリメータ３３０，及び第４のファイバコリメータ３３１に入出射する光線の光軸に対してそれぞれ所定の角度で所定の位置に配置され、何れも第２の透光性基板３４１に固定された第３の波長フィルタ３３４，第４の波長フィルタ３３５，及び第５の波長フィルタ３３６は、それぞれの光軸に対してそれぞれ所定の角度で配置されている。
【０３９７】
これにより、第１の波長λ１の光は、１つのファイバコリメータ３２７と第１のファイバコリメータ３２８との間で第１の透光性基板３４０，第２の透光性基板３４１に固定された第１の波長フィルタ３３２，及び第２の透光性基板３４１に固定された第２の波長フィルタ３３３を介して光学的に結合され、第２の波長λ２の光は、１つのファイバコリメータ３２７と第２のファイバコリメータ３２９との間で第１の透光性基板３４０及び第２の透光性基板３４１に固定された第１の波長フィルタ３３２，第２の透光性基板３４１に固定された第２の波長フィルタ３３，並びに第２の透光性基板３４１に固定された第３の波長フィルタ３３４と第１の透光性基板３４０及び第２の透光性基板３４１に固定された第１のミラー３３１とを介して光学的に結合され、第３の波長λ３の光は、１つのファイバコリメータ３２７と第３のファイバコリメータ３３０との間で第１の透光性基板３４０及び第２の透光性基板３４１に固定された第１の波長フィルタ３３２，並びに第２の透光性基板３４１に固定された第４の波長フィルタ３３５と第１の透光性基板３４０に固定された第２のミラー３３８とを介して光学的に結合され、第４の波長λ４の光は、１つのファイバコリメータ３２７と第４のファイバコリメータ３３１との間で第１の透光性基板３４０及び第２の透光性基板３４１に固定された第１の波長フィルタ３３２，第２の透光性基板３４１に固定された第４の波長フィルタ３３５，並びに第２の透光性基板３４１に固定された第５の波長フィルタ３３６と第１の透光性基板３４０に固定された第２のミラー３３８及び第１の透光性基板３４０と第２の透光性基板３４１に固定された第３のミラー３３９とを介して光学的に結合されるようになっている。
【０３９８】
ここでのファイバコリメータ３２７，３２８，３２９，３３０，３３１は、ピグテールファイバ及びレンズから成るもので、光信号入出射手段として働く。ピグテールファイバ及びレンズの位置は光信号がコリメート光となる位置に配置されている。波長多重信号数が４波の場合、必要となる光学素子については、第１の透光性基板３４０，第２の透光性基板３４１に固定された波長フィルタ３３２とそれに対向する第２の透光性基板３４１の側面に固定された波長フィルタ３３３，３３４，３３５，３３６との誘電体多層膜によるものが５つとなっており、同様に第１の透光性基板３４０，第２の透光性基板３４１に固定された固定されたミラー３３７，３３９とそれに対向する第１の透光性基板３４０の側面に固定されたミラー３３８が３つとなっている。尚、波長フィルタ３３２，３３３，３３４，３３５，３３６は、実施例１８で説明した場合と同様に、それぞれ所定の範囲の波長（即ち、それぞれλ１，λ２，λ３，λ４を示す）を透過する特性を有し、それ以外の波長の範囲を反射する波長選択特性を有するものである。
【０３９９】
この光合分波器における分波動作の場合、先ずファイバコリメータ３２７から入射した波長λ１〜λ４の光に対し、第１の透光性基板３４０，第２の透光性基板３４１に固定された波長フィルタ３３２により波長λ１，λ２の光を選択的に透過し、且つ波長λ３，λ４の光を反射させて２波長ずつに分割し、且つ波長フィルタ３３２を透過した波長λ１，λ２の光について、第２の透光性基板３４１に固定された波長フィルタ３３３により波長λ１の光のみが波長フィルタ３３３を透過してファイバコリメータ３２８に結合するように、波長フィルタ３３２，３３３とファイバコリメータ３２７，３２８との調芯・固定が行われる。次に、第２の透光性基板３４１に固定された波長フィルタ３３３で反射した波長λ２の光が第１の透光性基板３４０，第２の透光性基板３４１に固定されたミラー３３７で折り返されるように反射して第２の透光性基板３４１に固定された波長フィルタ３３４を透過した後にファイバコリメータ３２９に結合するように、波長フィルタ３３４及びミラー３３７とファイバコリメータ３２９との調芯・固定が行われる。更に、第１の透光性基板３４０，第２の透光性基板３４１に固定された波長フィルタ３３２で反射した波長λ３，λ４の光に対し、第１の透光性基板３４０に固定されたミラー３３８で折り返されるように反射して波長λ３の光のみが第２の透光性基板３４１に固定された波長フィルタ３３５を透過してファイバコリメータ３３０に結合するように、ミラー３３８及び波長フィルタ３３５とファイバコリメータ３３０との調芯・固定が行われる。最後に、波長フィルタ３３５で反射した波長λ４の光に対し、第１の透光性基板３４０，第２の透光性基板３４１に固定されたミラー３３９で折り返されるように反射して波長λ４の光が第２の透光性基板３４１に固定された波長フィルタ３３６を透過してファイバコリメータ３３１に結合するように、第１の透光性基板３４０，第２の透光性基板３４１に固定されたミラー３３９及び第２の透光性基板３４１に固定された波長フィルタ３３６とファイバコリメータ３３１との調芯・固定が行われる。
【０４００】
このため、ファイバコリメータ３２７から入射した波長λ１〜λ４の光は、結果として波長λ１の光がファイバコリメータ３２８に結合し、波長λ２の光がファイバコリメータ３２９に結合し、波長λ３の光がファイバコリメータ３３０に結合し、波長λ４の光がファイバコリメータ３３１に結合することになり、このようにして分波動作が行われる。
【０４０１】
これに対し、合波動作の場合、先ずファイバコリメータ３２８から入射した波長λ１の光が第２の透光性基板４１に固定された波長フィルタ３３３と第１の透光性基板３４０，第２の透光性基板３４１に固定された波長フィルタ３３２とを透過してファイバコリメータ３２７に結合するように、第１の透光性基板３４０，第２の透光性基板３４１に固定された波長フィルタ３３３と第２の透光性基板３４１に固定された波長フィルタ３３３とファイバコリメータ３２７，３２８との調芯・固定が行われる。次に、ファイバコリメータ３２９から入射した波長λ２の光が第２の透光性基板３４１に固定された波長フィルタ３３４を透過して第１の透光性基板３４０，第２の透光性基板３４１に固定されたミラー３３７で折り返されるように全反射されて第２の透光性基板３４１に固定された波長フィルタ３３３に入射され、更に波長フィルタ３３３で反射された後に波長λ１の光と光軸が一致して第１の透光性基板３４０，第２の透光性基板３４１に固定された波長フィルタ３３２を透過してファイバコリメータ３２７に結合するように、第２の透光性基板３４１に固定された波長フィルタ３３４及びミラー３３７とファイバコリメータ３２９との調芯・固定が行われる。更に、ファイバコリメータ３３０から入射した波長λ３の光が第２の透光性基板４１に固定された波長フィルタ３３５を透過して第１の透光性基板３４０に固定されたミラー３３８で折り返されるように全反射されて第１の透光性基板３４０，第２の透光性基板３４１に固定された波長フィルタ３３２に入射され、更に波長フィルタ３３２で反射された後に波長λ１の光と光軸が一致してファイバコリメータ３２７に結合するように、透光性基板４１に固定された波長フィルタ３３５と第１の透光性基板３４０に固定されたミラー３３８とファイバコリメータ３３０との調芯・固定が行われる。最後に、ファイバコリメータ３３１から入射した波長λ４の光が第２の透光性基板３４１に固定された波長フィルタ３３６を透過して第１の透光性基板３４０，第２の透光性基板３４１に固定されたミラー３３９で折り返されるように全反射されて第２の透光性基板３４１に固定された波長フィルタ３３５に入射され、更に波長フィルタ３３５で反射された後に波長λ３の光と光軸が一致して再度第１の透光性基板３４０に固定されたミラー３３８で折り返されるように全反射されて第１の透光性基板３４０，第２の透光性基板３４１に固定された波長フィルタ３３２に入射され、この波長フィルタ３３２で反射された後に波長λ１の光と光軸が一致してファイバコリメータ３２７に結合するように、第２の透光性基板３４１に固定された波長フィルタ３３６及びミラー３３９とファイバコリメータ３３１との調芯・固定が行われる。
【０４０２】
このため、ファイバコリメータ３２８から入射した波長λ１の光と、ファイバコリメータ３２９から入射した波長λ２の光と、ファイバコリメータ３３０から入射した波長λ３の光と、ファイバコリメータ３３１から入射した波長λ４の光とは、結果として何れもファイバコリメータ３２７に結合することになり、このようにして合波動作が行われる。
【０４０３】
因みに、この光合分波器において、単純に合波機能のみが要求されたり、或いは分波機能に高いアイソレーションが要求されない場合には、波長フィルタ３３３、３３５の何れか又は双方を省いた構成とすることもできる。
【０４０４】
尚、ここでのファイバコリメータ３２８，３２９，３３０，３３１については、筐体３４２の対向する壁面の他方側近傍にほぼ平行に並んで配置された様相を例示しているが、各光学素子としてのファイバコリメータ３２７，３２８，３２９，３３０，３３１の光の入出射角度、第１の透光性基板３４０，第２の透光性基板３４１に固定された波長フィルタ３３２及び第２の透光性基板３４１に固定された各波長フィルタ３３３，３３４，３３５，３３６、第１の透光性基板３４０，第２の透光性基板３４１に固定されたミラー３３７，３３９及び第１の透光性基板３４０に固定された３３８、第１の透光性基板３４０及び第２の透光性基板３４１の製作精度、並びに各光学素子の筐体３４２に対する実装精度等により多少の調整を行う必要があるために完全には平行にはならない可能性があるが、概ね平行に配置することができる。
【０４０５】
この実施例１９に係る光合分波器の場合、ファイバコリメータ３２７から入射又はこれに結合される光について、４つの波長λ１，λ２，λ３，λ４の光の中心波長を１．４９μｍ，１．５１μｍ，１．５３μｍ，１．５５μｍとして選択したところ、挿入損失は０．８ｄＢ以下、アイソレーションは３０ｄＢ以上の値が得られ、良好な結果となった。尚、ここで選択する中心波長は、上述した値に限定されるものではなく、１．３μｍ帯から１．６μｍ帯までの単一モードでの伝播条件を満たす範囲の値であれば任意に選択可能である。
【０４０６】
ところで、この実施例１９に係る光合分波器についての具体的な製造過程は、実施例１７で述べたものと同様であり、光合分波器の好ましい特徴（作用効果）についても同様であるので、説明を省略する。又、実施例１７でも説明したが、実施例１９に係る光合分波器の基本構成についても、４波長対応のものであるが、波長フィルタ及び全反射ミラーを組み合わせれば、この構成に限定されることなく、原理的に８波長（８波多重）、１６波長（１６波多重）、更には３２波長（３２波多重）へと対応させる構成にも応用可能である。
【実施例２０】
【０４０７】
図２１は、本発明の実施例２０に係る光合分波器の基本構成（全体構成）を示した概略図である。
【０４０８】
この実施例２０に係る光合分波器は、光波長多重通信機能として、５本の光線を透過可能に形成された筐体３５９にあっての対向する壁面の一方側の外方近傍に１つの入出射ポートを持つ１つのファイバコリメータ３４３を備えると共に、他方側の外方近傍にそれぞれ１つの入出射ポートを持つ４つのファイバコリメータ３４４，３４５，３４６，３４７を備え、且つ４つの異なる波長λ１，λ２，λ３，λ４の光を４つのファイバコリメータ３４４，３４５，３４６，３４７から別々に入射して１つのファイバコリメータ３４３へ合波するか、或いは１つのファイバコリメータ３４３から入射して４つのファイバコリメータ３４４，３４５，３４６，３４７へ分波することにより双方向での入出射が可能なものとして構成され、各光学素子を固定するために三枚の透光性基板３５６，３５７，３５８が用いられている。
【０４０９】
具体的に言えば、この実施例２０に係る光合分波器の場合、４つの異なる波長λ１，λ２，λ３，λ４にあっての第１の波長λ１及び第２の波長λ２の光を透過し、且つ第３の波長λ３及び第４の波長λ４の光を反射する第１の透光性基板３５６，第２の透光性基板３５８に固定された第１の波長フィルタ３４８と、第１の波長λ１の光を透過し、且つ第２の波長λ２の光を反射する第２の透光性基板３５８に固定された第２の波長フィルタ３４９と、第２の波長λ２の光のみを透過する第２の透光性基板３５８に固定された第３の波長フィルタ３５１と、第３の波長λ３の光を透過し、且つ第４の波長λ４の光を反射する第２の透光性基板３５８に固定された第４の波長フィルタ３５０と、第４の波長λ４の光のみを透過する第２の透光性基板３５８に固定された第５の波長フィルタ３５２と、第２の波長λ２の光を全反射する第１の透光性基板３５６に固定された第１のミラー３５４と、第３の波長λ３及び第４の波長λ４の光を全反射する第１の透光性基板３５６に固定された第２のミラー３５３と、第４の波長λ４の光を全反射する第１の透光性基板３５６に固定された第３のミラー３５５と、第１の透光性基板３５６及び第２の透光性基板３５８を固定している第３の透光性基板３５７とが筐体３５９内に配備されている。
【０４１０】
更に、１つのファイバコリメータ３４３と４つのファイバコリメータ３４４，３４５，３４６，３４７にあっての第１のファイバコリメータ３４４とは、それぞれ入出射する光線の光軸をほぼ一致するように略直線上に配置され、第１の透光性基板３５６，第２の透光性基板３５８に固定された第１の波長フィルタ３４８と第２の透光性基板３５８に固定された第２の波長フィルタ３４９は、それぞれ光軸上に所定の角度で配置され、第１の透光性基板３５６に固定された第１のミラー３５４，第２のミラー３５３，及び第３のミラー３５５は、４つのファイバコリメータ３４４，３４５，３４６，３４７にあっての第２のファイバコリメータ３４５，第３のファイバコリメータ３４６，及び第４のファイバコリメータ３４７に入出射する光線の光軸が１つのファイバコリメータ３４３から第１のファイバコリメータ３４４へ結合される光線の光軸に対してほぼ平行となるように、第２のファイバコリメータ３４５，第３のファイバコリメータ３４６，及び第４のファイバコリメータ３４７に入出射する光線の光軸に対してそれぞれ所定の角度で所定の位置に配置され、第２の透光性基板３５８に固定された第３の波長フィルタ３５１，第２の透光性基板３５８に固定された第４の波長フィルタ３５０，及び第２の透光性基板３５８に固定された第５の波長フィルタ３５２は、それぞれの光軸に対してそれぞれ所定の角度で配置されている。
【０４１１】
これにより、第１の波長λ１の光は、１つのファイバコリメータ３４３と第１のファイバコリメータ３４４との間で第１の透光性基板３５６及び第２の透光性基板３５８に固定された第１の波長フィルタ３４８，及び第２の透光性基板３５８に固定された第２の波長フィルタ３４９を介して光学的に結合され、第２の波長λ２の光は、１つのファイバコリメータ３４３と第２のファイバコリメータ３４５との間で第１の透光性基板３５６及び第２の透光性基板３５８に固定された第１の波長フィルタ３４８，透光性基板３５８に固定された第２の波長フィルタ３４９，並びに第２の透光性基板３５８に固定された第３の波長フィルタ３５１と第１の透光性基板３５６に固定された第１のミラー３５４とを介して光学的に結合され、第３の波長λ３の光は、１つのファイバコリメータ３４３と第３のファイバコリメータ３４６との間で第１の透光性基板３５６及び第２の透光性基板３５８に固定された第１の波長フィルタ３４８，並びに第２の透光性基板３５８に固定された第４の波長フィルタ３５０と第１の透光性基板３５６に固定された第２のミラー３５３とを介して光学的に結合され、第４の波長λ４の光は、１つのファイバコリメータ３４３と第４のファイバコリメータ３４７との間で第１の透光性基板３５６及び第２の透光性基板３５８に固定された第１の波長フィルタ３４８，第２の透光性基板３５８に固定された第４の波長フィルタ３５０，並びに第２の透光性基板３５８に固定された第５の波長フィルタ３５２と第１の透光性基板３５６に固定された第２のミラー３５３と第１の透光性基板３５６に固定された第３のミラー３５５とを介して光学的に結合されるようになっている。
【０４１２】
ここでのファイバコリメータ３４３，３４４，３４５，３４６，３４７は、ピグテールファイバ及びレンズから成るもので、光信号入出射手段として働く。ピグテールファイバ及びレンズの位置は光信号がコリメート光となる位置に配置されている。波長多重信号数が４波の場合、必要となる光学素子については、第１の透光性基板３５６，第２の透光性基板３５８に固定された波長フィルタ３４８とそれに対向する第２の透光性基板３５８の側面に固定された波長フィルタ３４９，３５０，３５１，３５２との誘電体多層膜によるものが５つとなっており、波長フィルタ３４８に対向する第１の透光性基板３５６の側面に固定されたミラー３５３，３５４，３５５が３つとなっている。
【０４１３】
尚、波長フィルタ３４８，３４９，３５０，３５１，３５２は、実施例１８で説明した場合と同様に、それぞれ所定の範囲の波長（即ち、それぞれλ１，λ２，λ３，λ４を示す）を透過する特性を有し、それ以外の波長の範囲を反射する波長選択特性を有するものである。
【０４１４】
この光合分波器における分波動作の場合、先ずファイバコリメータ３４３から入射した波長λ１〜λ４の光に対し、透光性基板３５６，第２の透光性基板３５８に固定された波長フィルタ３４８により波長λ１，λ２の光を選択的に透過し、且つ波長λ３，λ４の光を反射させて２波長ずつに分割し、且つ波長フィルタ３４８を透過した波長λ１，λ２の光について、第２の透光性基板３５８に固定された波長フィルタ３４９により波長λ１の光のみが波長フィルタ３４９を透過してファイバコリメータ３４４に結合するように、波長フィルタ３４８，３４９とファイバコリメータ３４３，３４４との調芯・固定が行われる。次に、第２の透光性基板３５８に固定された波長フィルタ３４９で反射した波長λ２の光が第１の透光性基板３５６に固定されたミラー３５４で折り返されるように反射して第２の透光性基板３５８に固定された波長フィルタ３５１を透過した後にファイバコリメータ３４６に結合するように、波長フィルタ３５１及びミラー３５４とファイバコリメータ３４６との調芯・固定が行われる。更に、透光性基板３５６，第２の透光性基板３５８に固定された波長フィルタ３４８で反射した波長λ３，λ４の光に対し、第１の透光性基板３５６に固定されたミラー３５３で折り返されるように反射して波長λ３の光のみが第２の透光性基板３５８に固定された波長フィルタ３５０を透過してファイバコリメータ３４５に結合するように、ミラー３５３及び波長フィルタ３５０とファイバコリメータ３４５との調芯・固定が行われる。最後に、第２の透光性基板３５８に固定された波長フィルタ３５０で反射した波長λ４の光に対し、第１の透光性基板３５６に固定されたミラー３５５で折り返されるように反射して波長λ４の光が第２の透光性基板３５８に固定された波長フィルタ３５２を透過してファイバコリメータ３４７に結合するように、第１の透光性基板３５６に固定されたミラー３５５及び第２の透光性基板３５８に固定された波長フィルタ３５２とファイバコリメータ３４７との調芯・固定が行われる。尚、第３の透光性基板３５７は、第２の透光性基板３５６，第２の透光性基板３５８を固定するために使用されている。
【０４１５】
このため、ファイバコリメータ３４３から入射した波長λ１〜λ４の光は、結果として波長λ１の光がファイバコリメータ３４４に結合し、波長λ２の光がファイバコリメータ３４５に結合し、波長λ３の光がファイバコリメータ３４６に結合し、波長λ４の光がファイバコリメータ３４７に結合することになり、このようにして分波動作が行われる。
【０４１６】
これに対し、合波動作の場合、先ずファイバコリメータ３４４から入射した波長λ１の光が第２の透光性基板３５８に固定された波長フィルタ３４９と透光性基板３５６，第２の透光性基板３５８に固定された波長フィルタ３４８とを透過してファイバコリメータ３４３に結合するように、透光性基板３５６，第２の透光性基板３５８に固定された波長フィルタ３４８，第２の透光性基板３５８に固定された波長フィルタ３４９とファイバコリメータ３４３，３４４との調芯・固定が行われる。次に、ファイバコリメータ３４６から入射した波長λ２の光が第２の透光性基板３５８に固定された波長フィルタ３５１を透過して第１の透光性基板３５６に固定されたミラー３５４で折り返されるように全反射されて第２の透光性基板３５８に固定された波長フィルタ３４９に入射され、更に波長フィルタ３４９で反射された後に波長λ１の光と光軸が一致して透光性基板３５６，第２の透光性基板３５８に固定された波長フィルタ３４８を透過してファイバコリメータ３４３に結合するように、第２の透光性基板３５８に固定された波長フィルタ３４９，３５１と第１の透光性基板３５６に固定されたミラー３５４とファイバコリメータ３４６との調芯・固定が行われる。更に、ファイバコリメータ３４５から入射した波長λ３の光が第２の透光性基板３５８に固定された波長フィルタ３５０を透過して第１の透光性基板３５６に固定されたミラー３５３で折り返されるように全反射されて透光性基板３５６，第２の透光性基板３５８に固定された波長フィルタ３４８に入射され、更に波長フィルタ３４８で反射された後に波長λ１の光と光軸が一致してファイバコリメータ３４３に結合するように、第２の透光性基板３５８に固定された波長フィルタ３５０と第１の透光性基板３５６に固定されたミラー３５３とファイバコリメータ３４５との調芯・固定が行われる。最後に、ファイバコリメータ３４７から入射した波長λ４の光が第２の透光性基板３５８に固定された波長フィルタ３５２を透過して第１の透光性基板３５６に固定されたミラー３５５で折り返されるように全反射されて第２の透光性基板３５８に固定された波長フィルタ３５０に入射され、更に波長フィルタ３５０で反射された後に波長λ３の光と光軸が一致して再度第１の透光性基板３５６に固定されたミラー３５３で折り返されるように全反射されて透光性基板３５６，第２の透光性基板３５８に固定された波長フィルタ３４８に入射され、この波長フィルタ３４８で反射された後に波長λ１の光と光軸が一致してファイバコリメータ３４３に結合するように、第２の透光性基板３５８に固定された波長フィルタ３５２と第１の透光性基板３５６に固定されたミラー３５５とファイバコリメータ３４７との調芯・固定が行われる。
【０４１７】
このため、ファイバコリメータ３４４から入射した波長λ１の光と、ファイバコリメータ３４５から入射した波長λ２の光と、ファイバコリメータ３４６から入射した波長λ３の光と、ファイバコリメータ３４７から入射した波長λ４の光とは、結果として何れもファイバコリメータ３４３に結合することになり、このようにして合波動作が行われる。
【０４１８】
因みに、この光合分波器において、単純に合波機能のみが要求されたり、或いは分波機能に高いアイソレーションが要求されない場合には、波長フィルタ３５０，３５２の何れか又は双方を省いた構成とすることもできる。
【０４１９】
尚、ここでのファイバコリメータ３４４，３４５，３４６，３４７については、筐体３５９の対向する壁面の他方側近傍にほぼ平行に並んで配置された様相を例示しているが、各光学素子としてのファイバコリメータ３４３，３４４，３４５，３４６，３４７の光の入出射角度、第１の透光性基板３５６，第２の透光性基板３５８に固定された波長フィルタ３４８や第２の透光性基板３５８に固定された各波長フィルタ３４９，３５０，３５１，３５２、第１の透光性基板３４０に固定された各ミラー３５３，３５４，３５５、第１の透光性基板３５６，第２の透光性基板３５８，及び第３の透光性基板３５７の製作精度、並びに各光学素子の筐体３５９に対する実装精度等により多少の調整を行う必要があるために完全には平行にはならない可能性があるが、概ね平行に配置することができる。
【０４２０】
この実施例２０に係る光合分波器の場合、ファイバコリメータ３４３から入射又はこれに結合される光について、４つの波長λ１，λ２，λ３，λ４の光の中心波長を１．４９μｍ，１．５１μｍ，１．５３μｍ，１．５５μｍとして選択したところ、挿入損失は０．８ｄＢ以下、アイソレーションは３０ｄＢ以上の値が得られ、良好な結果となった。尚、ここで選択する中心波長は、上述した値に限定されるものではなく、１．３μｍ帯から１．６μｍ帯までの単一モードでの伝播条件を満たす範囲の値であれば任意に選択可能である。
【０４２１】
ところで、この実施例２０に係る光合分波器についての具体的な製造過程は、実施例１７で述べたものと同様であり、光合分波器の好ましい特徴（作用効果）についても同様であるので、説明を省略する。又、実施例１７でも説明したが、実施例２０に係る光合分波器の基本構成についても、４波長対応のものであるが、本発明はこれに限定されるものでなく、波長フィルタ及び全反射ミラーを適宜組み合わせれば、原理的に２波長，３波長，５波長，６波長，７波長，８波長，１６波長，更には３２波長等の２波長以上の任意な波長数（その数の波の多重が可能であることを示す）へと対応させる構成にも応用可能である。
【産業上の利用可能性】
【０４２２】
本発明の光モジュールは、４波多重以上の光モジュールの構築も可能であり、メトロ・アクセス系における高速・大容量での光通信が可能であることにより、加入者向けの光アクセス網を容易にして廉価に具現できる。又、本発明の光合分波器は、単純に波長フィルタの数を増加させたり、或いは２波多重用の構成や４波多重用の構成を単位として複数組み合わせることにより、例えば８波多重，或いは１６波多重等の６波以上の多重通信を対象にした光合分波器としても応用可能である。更に、誘電体多層膜による波長フィルタを適宜組み合わせることにより、波長間隔の非常に狭い高密度波長多重（ＤＷＤＭ）の光合分波器としても適用可能である。
【図面の簡単な説明】
【０４２３】
【図１】本発明の実施例１に係る光モジュールの基本構成を示した概略図である。
【図２】本発明の実施例２に係る光モジュールの基本構成を示した概略図である。
【図３】本発明の実施例３に係る光モジュールの基本構成を示した概略図である。
【図４】本発明の実施例４に係る光モジュールの基本構成を示した概略図である。
【図５】本発明の実施例５に係る光モジュールの基本構成を示した概略図である。
【図６】本発明の実施例６に係る光合分波器の基本構成（全体構成）を示した概略図である。
【図７】本発明の実施例７に係る光合分波器の基本構成（全体構成）を示した概略図である。
【図８】本発明の実施例８に係る光合分波器の基本構成（全体構成）を示す概略図である。
【図９】本発明の実施例９に係る光合分波器の基本構成（全体構成）を示す概略図である。
【図１０】本発明の実施例１０に係る光合分波器の基本構成（全体構成）を示す概略図である。
【図１１】本発明の実施例１１に係る光合分波器の基本構成（全体構成）を示す概略図である。
【図１２】本発明の実施例１２に係る光合分波ユニットの基本構成（全体構成）を示す概略図である。
【図１３】本発明の実施例１３に係る光合分波ユニットの基本構成（全体構成）を示す概略図である。
【図１４】本発明の実施例１４に係る光合分波器の基本構成（全体構成）を示した概略図である。
【図１５】図１４に示す光合分波器に用いられる波長フィルタの波長選択特性を波長に対する透過率の関係により示したものである。
【図１６】本発明の実施例１５に係る光合分波器の基本構成（全体構成）を示した概略図である。
【図１７】本発明の実施例１６に係る光合分波器の基本構成（全体構成）を示した概略図である。
【図１８】本発明の実施例１７に係る光合分波器の基本構成（全体構成）を示した概略図である。
【図１９】本発明の実施例１８に係る光合分波器の基本構成（全体構成）を示した概略図である。
【図２０】本発明の実施例１９に係る光合分波器の基本構成（全体構成）を示した概略図である。
【図２１】本発明の実施例２０に係る光合分波器の基本構成（全体構成）を示した概略図である。
【図２２】従来のマイクロオプティクス型の光送受信モジュールの基本構成を示した概略図である。
【図２３】従来技術の光合分波器の基本構成（全体構成）を示した概略図である。
【図２４】従来の光合分波器の基本構成（全体構成）を示す概略図である。
【符号の説明】
【０４２４】
１，１５，３１，５１，８１，１２０，１４８，１９６，２０３，２１０，２２３〜２２５，２５６，２８１，２９７，３１２，３２６，３４２，３５９，４７０，５７７  筐体
２，１６，３２，３３，５２〜５５，８２〜８５，４７１  レーザダイオード
３，４，１７，１８，４７２  フォトダイオード
５，１９，３４，５６，８６，１２１〜１２５，１３８〜１４２，１５１，１５２，１５３〜１５６，１７１，１７２，１７３〜１７６，１９７〜２０２，２０４〜２０９，２１１〜２１６，２２６〜２３１，２３２，２３３〜２４１，２５１〜２５３，２６８〜２７２，２８２〜２８８，３０１〜３０５，３１２〜３１６，３２７〜３３１，３４３〜３４７，４７３，４９９〜５０１，５７８〜５８０  ファイバコリメータ
６，７，２２，２３，３５，５７，５９，６１，８７，８９，９０  全反射用波長フィルタ
８，９，２０，２１，３６，５８，６０，６２，８８，９１，９２，４７４  波長分離用フィルタ
１０，２４，３７，３９，６３，６５，６７，６９，９３，９５，９７，９９，４７６  集光レンズ
１１，１２，２５，２６  結合レンズ
１３，２７，３８，４０，６４，６６，６８，７０，９４，９６，９８，１００，４７５  コリメータレンズ
１４，２８，４１，４２，７１〜７４，１０１〜１０４  キャピラリ
１０５  光アイソレータ
１２６〜１３０，１４３〜１４６，１５７〜１６２，１７７〜１８１，２５４，２７３〜２７７，２８９〜２９５，３０６〜３０９，３１７〜３２１，３３２〜３３６，３４８〜３５２，４９８，５８１，５８２    波長フィルタ
１３１〜１３３，１４７，１６３〜１６６，１８２，２５５，２７８〜２８０，２９６，３１０，３２２〜３２４，３３７〜３３９，３５３〜３５５    ミラー
３１１，３２５，３４０，３４１，３５６〜３５８  透光性基板
【図１】
2005309370.tif 000003
【図２】
2005309370.tif 000004
【図３】
2005309370.tif 000005
【図４】
2005309370.tif 000006
【図５】
2005309370.tif 000007
【図６】
2005309370.tif 000008
【図７】
2005309370.tif 000009
【図８】
2005309370.tif 000010
【図９】
2005309370.tif 000011
【図１０】
2005309370.tif 000012
【図１１】
2005309370.tif 000013
【図１２】
2005309370.tif 000014
【図１３】
2005309370.tif 000015
【図１４】
2005309370.tif 000016
【図１５】
2005309370.tif 000017
【図１６】
2005309370.tif 000018
【図１７】
2005309370.tif 000019
【図１８】
2005309370.tif 000020
【図１９】
2005309370.tif 000021
【図２０】
2005309370.tif 000022
【図２１】
2005309370.tif 000023
【図２２】
2005309370.tif 000024
【図２３】
2005309370.tif 000025
【図２４】
2005309370.tif 000026